(57)【要約】本開示は、ＨＡＲＱフィードバック方法および装置を提供し、方法は、基地局に使用され、基地局は、端末に対して、ＥＤＴサービスを提供するための複数の利用可能なスケジューリングリソースを割り当て、方法は、各利用可能なスケジューリングリソース上で、端末から基地局に伝送したＥＤＴデータに対してブラインド検出を実行することと、設定されたルールに従ってブラインド検出に対応するＨＡＲＱフィードバック時点を決定することと、ＨＡＲＱフィードバック時点にブラインド検出に対応するＨＡＲＱ情報を端末に送信することとを含む。本開示における端末は、設定されたルールに従って決定されたＨＡＲＱフィードバック時点に、基地局によって送信されたＨＡＲＱ情報を受信することができ、当該ＨＡＲＱ情報に従ってＥＤＴデータの正しい伝送結果を決定することができ、それによりＨＡＲＱフィードバックの信頼性を向上させＥＤＴ伝送の効率も向上させる。【選択図】図１
2021520152.tif 000002
【特許請求の範囲】
【請求項１】
ハイブリッド自動再送要求（ＨＡＲＱ）のフィードバック方法であって、
基地局に使用され、前記基地局は、端末に対して、早期データ送信（ＥＤＴ）サービスを提供するための複数の予備スケジューリングリソースを割り当て、前記方法は、
各前記予備スケジューリングリソース上で、前記端末から前記基地局に伝送したＥＤＴデータに対してブラインド検出を実行することと、
設定されたルールに従って、前記ブラインド検出に対応するＨＡＲＱフィードバック時点を決定することと、
前記ＨＡＲＱフィードバック時点に、前記ブラインド検出に対応するＨＡＲＱフィードバック情報を前記端末に送信することとを含むことを特徴とする、前記ＨＡＲＱフィードバック方法。
【請求項２】
前記ＥＤＴデータは、ランダムアクセスプロセス中に前記端末によって伝送されたアップリンクデータであり、且つ前記ランダムプロセス中のメッセージ３に配置されることを特徴とする、
請求項１に記載のＨＡＲＱフィードバック方法。
【請求項３】
前記予備スケジューリングリソースは、伝送ブロックサイズ（ＴＢＳ）およびアップリンク伝送の繰り返し回数を含み、
前記各前記予備スケジューリングリソース上で、前記端末から前記基地局に伝送したＥＤＴデータに対してブラインド検出を実行することは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定することと、
各前記アップリンク伝送のカットオフ時点に、前記ＥＤＴデータに対してブラインド検出を実行することとを含むことを特徴とする、
請求項１に記載のＨＡＲＱフィードバック方法。
【請求項４】
前記設定されたルールは、アップリンク伝送の最大繰り返し回数に基づいてＨＡＲＱフィードバックを実行することであり、
前記設定されたルールに従って、前記ブラインド検出に対応するＨＡＲＱフィードバック時点を決定することは、
各前記予備スケジューリングリソースに含まれる前記アップリンク伝送の繰り返し回数に従って、アップリンク伝送の最大繰り返し回数を決定することと、
各前記アップリンク伝送のカットオフ時点に従って、前記アップリンク伝送の最大繰り返し回数に対応するアップリンク伝送のカットオフ時点を決定することと、
前記アップリンク伝送の最大繰り返し回数に対応するアップリンク伝送のカットオフ時点に従って前記ＨＡＲＱフィードバック時点を決定することであって、決定されたＨＡＲＱフィードバック時点は、前記アップリンク伝送の最大繰り返し回数に対応するアップリンク伝送のカットオフ時点の後の指定された位置に位置することとを含むことを特徴とする、
請求項３に記載のＨＡＲＱフィードバック方法。
【請求項５】
前記ブラインド検出に対応するＨＡＲＱフィードバック情報は、復調成功を表す第１情報または復調失敗を表す第２情報を含み、
前記ＨＡＲＱフィードバック時点に、前記ブラインド検出に対応するＨＡＲＱフィードバック情報を前記端末に送信することは、
各前記アップリンク伝送のカットオフ時点のブラインド検出結果に対して、各前記ブラインド検出結果が復調成功を含む場合、前記ＨＡＲＱフィードバック時点に、前記第１情報を前記端末に送信することと、
各前記ブラインド検出結果が前記復調成功を含まない場合、前記ＨＡＲＱフィードバック時点に、前記第２情報を前記端末に送信することとを含むことを特徴とする、
請求項４に記載のＨＡＲＱフィードバック方法。
【請求項６】
前記設定されたルールは、各前記予備スケジューリングリソースに対応するアップリンク伝送のカットオフ時点の全てに対してＨＡＲＱフィードバックを実行することであり、
前記設定されたルールに従って、前記ブラインド検出に対応するＨＡＲＱフィードバック時点を決定することは、
任意の前記アップリンク伝送のカットオフ時点に対して、前記アップリンク伝送のカットオフ時点に対応するＨＡＲＱフィードバック時点を決定することを含み、決定されたＨＡＲＱフィードバック時点は、前記アップリンク伝送のカットオフ時点の後の指定された位置に位置することを特徴とする、
請求項３に記載のＨＡＲＱフィードバック方法。
【請求項７】
前記ブラインド検出に対応するＨＡＲＱフィードバック情報は、復調成功を表す第１情報または復調失敗を表す第２情報を含み、
前記ＨＡＲＱフィードバック時点に、前記ブラインド検出に対応するＨＡＲＱフィードバック情報を前記端末に送信することは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信することと、
前記ブラインド検出結果が復調失敗である場合、前記アップリンク伝送のカットオフ時点に対応するＨＡＲＱフィードバック時点に、前記第２情報を前記端末に送信することとを含むことを特徴とする、
請求項６に記載のＨＡＲＱフィードバック方法。
【請求項８】
前記設定されたルールは、ブラインド検出結果が復調成功である場合にのみＨＡＲＱフィードバックを実行することであり、
前記設定されたルールに従って、前記ブラインド検出に対応するＨＡＲＱフィードバック時点を決定することは、
任意の前記アップリンク伝送のカットオフ時点に対して、前記アップリンク伝送のカットオフ時点に対応するＨＡＲＱフィードバック時点を決定することを含み、決定されたＨＡＲＱフィードバック時点は、前記アップリンク伝送のカットオフ時点の後の指定された位置に位置することを特徴とする、
請求項３に記載のＨＡＲＱフィードバック方法。
【請求項９】
前記ブラインド検出に対応するＨＡＲＱフィードバック情報は、復調成功を表す第１情報を含み、
前記ＨＡＲＱフィードバック時点に、前記ブラインド検出に対応するＨＡＲＱフィードバック情報を前記端末に送信することは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信することと、
前記ブラインド検出結果が復調失敗である場合、前記アップリンク伝送のカットオフ時点に対応するＨＡＲＱフィードバック時点にＨＡＲＱフィードバックを実行しないこととを含むことを特徴とする、
請求項８に記載のＨＡＲＱフィードバック方法。
【請求項１０】
前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示することを特徴とする、
請求項４または６または８に記載のＨＡＲＱフィードバック方法。
【請求項１１】
ハイブリッド自動再送要求（ＨＡＲＱ）フィードバック方法であって、
端末に使用され、基地局は、前記端末に対して、早期データ送信（ＥＤＴ）サービスを提供するための複数の予備スケジューリングリソースを割り当て、前記方法は、
各前記予備スケジューリングリソースから１つの予備スケジューリングリソースを選択し、選択された予備スケジューリングリソース上でＥＤＴデータを基地局に送信することと、
設定されたルールに従って、前記ＥＤＴデータに対応するＨＡＲＱフィードバック時点を決定することと、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することとを含むことを特徴とする、前記ＨＡＲＱフィードバック方法。
【請求項１２】
前記ＥＤＴデータは、前記端末がランダムアクセスプロセス中に伝送する必要があるアップリンクデータであり、且つ前記ランダムプロセス中のメッセージ３に配置されることを特徴とする、
請求項１１に記載のＨＡＲＱフィードバック方法。
【請求項１３】
前記予備スケジューリングリソースは、伝送ブロックサイズ（ＴＢＳ）およびアップリンク伝送の繰り返し回数を含み、
前記各前記予備スケジューリングリソースから１つの予備スケジューリングリソースを選択し、選択された予備スケジューリングリソース上でＥＤＴデータを基地局に送信することは、
各前記予備スケジューリングリソースに含まれる前記ＴＢＳおよび前記アップリンク伝送の繰り返し回数に従って、各前記予備スケジューリングリソースから１つの予備スケジューリングリソースを選択することと、
選択された予備スケジューリングリソース上でＥＤＴデータを基地局に送信することとを含むことを特徴とする、
請求項１１に記載のＨＡＲＱフィードバック方法。
【請求項１４】
前記設定されたルールは、アップリンク伝送の最大繰り返し回数に基づいてＨＡＲＱフィードバックを実行することであり、
前記設定されたルールに従って、前記ＥＤＴデータに対応するＨＡＲＱフィードバック時点を決定することは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定することと、
各前記予備スケジューリングリソースに含まれる前記アップリンク伝送の繰り返し回数に従って、アップリンク伝送の最大繰り返し回数を決定することと、
各前記アップリンク伝送のカットオフ時点に従って、前記アップリンク伝送の最大繰り返し回数に対応するアップリンク伝送のカットオフ時点を決定することと、
前記アップリンク伝送の最大繰り返し回数に対応するアップリンク伝送のカットオフ時点に従って前記ＨＡＲＱフィードバック時点を決定することであって、決定されたＨＡＲＱフィードバック時点は、前記アップリンク伝送の最大繰り返し回数に対応するアップリンク伝送のカットオフ時点の後の指定された位置に位置することとを含むことを特徴とする、
請求項１３に記載のＨＡＲＱフィードバック方法。
【請求項１５】
前記ＨＡＲＱフィードバック情報は、復調成功を表す第１情報または復調失敗を表す第２情報を含み、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することは、
前記ＨＡＲＱフィードバック時点に、前記基地局によって送信されたＨＡＲＱフィードバック情報を受信することと、
前記ＨＡＲＱフィードバック情報が前記第１情報である場合、前記ＥＤＴデータの伝送結果が伝送成功であると決定することと、
前記ＨＡＲＱフィードバック情報が前記第２情報である場合、前記ＥＤＴデータの伝送結果が伝送失敗であると決定することとを含むことを特徴とする、
請求項１４に記載のＨＡＲＱフィードバック方法。
【請求項１６】
前記設定されたルールは、各前記予備スケジューリングリソースに対応するアップリンク伝送のカットオフ時点の全てに対してＨＡＲＱフィードバックを実行することであり、
前記設定されたルールに従って、前記ＥＤＴデータに対応するＨＡＲＱフィードバック時点を決定することは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定することと、
前記選択された予備スケジューリングリソースに対応するアップリンク伝送のカットオフ時点に対して、前記アップリンク伝送のカットオフ時点に対応するＨＡＲＱフィードバック時点を決定することであって、決定されたＨＡＲＱフィードバック時点は、前記アップリンク伝送のカットオフ時点の後の指定された位置に位置することとを含むことを特徴とする、
請求項１３に記載のＨＡＲＱフィードバック方法。
【請求項１７】
前記ＨＡＲＱフィードバック情報は、復調成功を表す第１情報または復調失敗を表す第２情報を含み、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することは、
前記アップリンク伝送のカットオフ時点に対応するＨＡＲＱフィードバック時点に、前記基地局によって送信されたＨＡＲＱフィードバック情報を受信することと、
前記ＨＡＲＱフィードバック情報が前記第１情報である場合、前記ＥＤＴデータの伝送結果が伝送成功であると決定することと、
前記ＨＡＲＱフィードバック情報が前記第２情報である場合、前記ＥＤＴデータの伝送結果が伝送失敗であると決定することとを含むことを特徴とする、
請求項１６に記載のＨＡＲＱフィードバック方法。
【請求項１８】
前記設定されたルールは、ブラインド検出結果が復調成功である場合にのみＨＡＲＱフィードバックを実行することであり、
前記設定されたルールに従って、前記ＥＤＴデータに対応するＨＡＲＱフィードバック時点を決定することは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定することと、
前記選択された予備スケジューリングリソースに対応するアップリンク伝送のカットオフ時点に対して、前記アップリンク伝送のカットオフ時点に対応するＨＡＲＱフィードバック時点を決定することであって、決定されたＨＡＲＱフィードバック時点は、前記アップリンク伝送のカットオフ時点の後の指定された位置に位置することとを含むことを特徴とする、
請求項１３に記載のＨＡＲＱフィードバック方法。
【請求項１９】
前記ＨＡＲＱフィードバック情報は、復調成功を表す第１情報を含み、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することは、
前記アップリンク伝送のカットオフ時点に対応するＨＡＲＱフィードバック時点に、前記基地局によって送信されたＨＡＲＱフィードバック情報を受信し、且つ前記ＨＡＲＱフィードバック情報が前記第１情報である場合、前記ＥＤＴデータの伝送結果が伝送成功であると決定することと、
前記アップリンク伝送のカットオフ時点に対応するＨＡＲＱフィードバック時点に、前記基地局によって送信されたＨＡＲＱフィードバック情報を受信しなかった場合、前記ＥＤＴデータの伝送結果が伝送失敗であると決定することとを含むことを特徴とする、
請求項１８に記載のＨＡＲＱフィードバック方法。
【請求項２０】
前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示することを特徴とする、
請求項１４または１６または１８に記載のＨＡＲＱフィードバック方法。
【請求項２１】
ハイブリッド自動再送要求（ＨＡＲＱ）フィードバック装置であって、
基地局に使用され、前記基地局は、端末に対して、早期データ送信（ＥＤＴ）サービスを提供するための複数の予備スケジューリングリソースを割り当て、前記装置は、
各前記予備スケジューリングリソース上で、前記端末から前記基地局に伝送したＥＤＴデータに対してブラインド検出を実行するように構成される検出モジュールと、
設定されたルールに従って、前記ブラインド検出に対応するＨＡＲＱフィードバック時点を決定するように構成される第１決定モジュールと、
前記ＨＡＲＱフィードバック時点に、前記ブラインド検出に対応するＨＡＲＱフィードバック情報を前記端末に送信するように構成される送信モジュールとを備えることを特徴とする、前記ＨＡＲＱフィードバック装置。
【請求項２２】
前記ＥＤＴデータは、ランダムアクセスプロセス中に前記端末によって伝送されたアップリンクデータであり、且つ前記ランダムプロセス中のメッセージ３に配置されることを特徴とする、
請求項２１に記載のＨＡＲＱフィードバック装置。
【請求項２３】
前記予備スケジューリングリソースは、伝送ブロックサイズ（ＴＢＳ）およびアップリンク伝送の繰り返し回数を含み、
前記検出モジュールは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定するように構成される第１決定サブモジュールと、
各前記アップリンク伝送のカットオフ時点に、前記ＥＤＴデータに対してブラインド検出を実行するように構成される検出サブモジュールとを備えることを特徴とする、
請求項２１に記載のＨＡＲＱフィードバック装置。
【請求項２４】
前記設定されたルールは、アップリンク伝送の最大繰り返し回数に基づいてＨＡＲＱフィードバックを実行することであり、
前記第１決定モジュールは、
各前記予備スケジューリングリソースに含まれる前記アップリンク伝送の繰り返し回数に従って、アップリンク伝送の最大繰り返し回数を決定するように構成される第２決定サブモジュールと、
各前記アップリンク伝送のカットオフ時点に従って、前記アップリンク伝送の最大繰り返し回数に対応するアップリンク伝送のカットオフ時点を決定するように構成される第３決定サブモジュールと、
前記アップリンク伝送の最大繰り返し回数に対応するアップリンク伝送のカットオフ時点に従って前記ＨＡＲＱフィードバック時点を決定するように構成される第４決定サブモジュールであって、決定されたＨＡＲＱフィードバック時点は、前記アップリンク伝送の最大繰り返し回数に対応するアップリンク伝送のカットオフ時点の後の指定された位置に位置する第４決定サブモジュールとを備えることを特徴とする、
請求項２３に記載のＨＡＲＱフィードバック装置。
【請求項２５】
前記ブラインド検出に対応するＨＡＲＱフィードバック情報は、復調成功を表す第１情報または復調失敗を表す第２情報を含み、
前記送信モジュールは、
各前記アップリンク伝送のカットオフ時点のブラインド検出結果に対して、各前記ブラインド検出結果が復調成功を含む場合、前記ＨＡＲＱフィードバック時点に、前記第１情報を前記端末に送信するように構成される第１送信サブモジュールと、
各前記ブラインド検出結果が前記復調成功を含まない場合、前記ＨＡＲＱフィードバック時点に、前記第２情報を前記端末に送信するように構成される第２送信サブモジュールとを備えることを特徴とする、
請求項２４に記載のＨＡＲＱフィードバック装置。
【請求項２６】
前記設定されたルールは、各前記予備スケジューリングリソースに対応するアップリンク伝送のカットオフ時点の全てに対してＨＡＲＱフィードバックを実行することであり、
前記第１決定モジュールは、
任意の前記アップリンク伝送のカットオフ時点に対して、前記アップリンク伝送のカットオフ時点に対応するＨＡＲＱフィードバック時点を決定するように構成される第５決定サブモジュールを備え、決定されたＨＡＲＱフィードバック時点は、前記アップリンク伝送のカットオフ時点の後の指定された位置に位置することを特徴とする、
請求項２３に記載のＨＡＲＱフィードバック装置。
【請求項２７】
前記ブラインド検出に対応するＨＡＲＱフィードバック情報は、復調成功を表す第１情報または復調失敗を表す第２情報を含み、
前記送信モジュールは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信するように構成される第３送信サブモジュールと、
前記ブラインド検出結果が復調失敗である場合、前記アップリンク伝送のカットオフ時点に対応するＨＡＲＱフィードバック時点に、前記第２情報を前記端末に送信するように構成される第４送信サブモジュールとを備えることを特徴とする、
請求項２６に記載のＨＡＲＱフィードバック装置。
【請求項２８】
前記設定されたルールは、ブラインド検出結果が復調成功である場合にのみＨＡＲＱフィードバックを実行することであり、
前記第１決定モジュールは、
任意の前記アップリンク伝送のカットオフ時点に対して、前記アップリンク伝送のカットオフ時点に対応するＨＡＲＱフィードバック時点を決定するように構成される第６決定サブモジュールを備え、決定されたＨＡＲＱフィードバック時点は、前記アップリンク伝送のカットオフ時点の後の指定された位置に位置することを特徴とする、
請求項２３に記載のＨＡＲＱフィードバック装置。
【請求項２９】
前記ブラインド検出に対応するＨＡＲＱフィードバック情報は、復調成功を表す第１情報を含み、
前記送信モジュールは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信するように構成される第５送信サブモジュールと、
前記ブラインド検出結果が復調失敗である場合、前記アップリンク伝送のカットオフ時点に対応するＨＡＲＱフィードバック時点にＨＡＲＱフィードバックを実行しないように構成される第６送信サブモジュールとを備えることを特徴とする、
請求項２８に記載のＨＡＲＱフィードバック装置。
【請求項３０】
前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示することを特徴とする、
請求項２４または２６または２８に記載のＨＡＲＱフィードバック装置。
【請求項３１】
ハイブリッド自動再送要求（ＨＡＲＱ）フィードバック装置であって、
端末に使用され、基地局は、前記端末に対して、早期データ送信（ＥＤＴ）サービスを提供するための複数の予備スケジューリングリソースを割り当て、前記装置は、
各前記予備スケジューリングリソースから１つの予備スケジューリングリソースを選択し、選択された予備スケジューリングリソース上でＥＤＴデータを基地局に送信するように構成される選択モジュールと、
設定されたルールに従って、前記ＥＤＴデータに対応するＨＡＲＱフィードバック時点を決定するように構成される第２決定モジュールと、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定するように構成される第３決定モジュールとを備えることを特徴とする、前記ＨＡＲＱフィードバック装置。
【請求項３２】
前記ＥＤＴデータは、前記端末がランダムアクセスプロセス中に伝送する必要があるアップリンクデータであり、且つ前記ランダムプロセス中のメッセージ３に配置されることを特徴とする、
請求項３１に記載のＨＡＲＱフィードバック装置。
【請求項３３】
前記予備スケジューリングリソースは、伝送ブロックサイズ（ＴＢＳ）およびアップリンク伝送の繰り返し回数を含み、
前記選択モジュールは、
各前記予備スケジューリングリソースに含まれる前記ＴＢＳおよび前記アップリンク伝送の繰り返し回数に従って、各前記予備スケジューリングリソースから１つの予備スケジューリングリソースを選択するように構成される選択サブモジュールと、
選択された予備スケジューリングリソース上でＥＤＴデータを基地局に送信するように構成される送信サブモジュールとを備えることを特徴とする、
請求項３１に記載のＨＡＲＱフィードバック装置。
【請求項３４】
前記設定されたルールは、アップリンク伝送の最大繰り返し回数に基づいてＨＡＲＱフィードバックを実行することであり、
前記第２決定モジュールは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定するように構成される第１時点決定サブモジュールと、
各前記予備スケジューリングリソースに含まれる前記アップリンク伝送の繰り返し回数に従って、アップリンク伝送の最大繰り返し回数を決定するように構成される繰り返し回数決定サブモジュールと、
各前記アップリンク伝送のカットオフ時点に従って、前記アップリンク伝送の最大繰り返し回数に対応するアップリンク伝送のカットオフ時点を決定するように構成される第２時点決定サブモジュールと、
前記アップリンク伝送の最大繰り返し回数に対応するアップリンク伝送のカットオフ時点に従って前記ＨＡＲＱフィードバック時点を決定するように構成される第３時点決定サブモジュールであって、決定されたＨＡＲＱフィードバック時点は、前記アップリンク伝送の最大繰り返し回数に対応するアップリンク伝送のカットオフ時点の後の指定された位置に位置する第３時点決定サブモジュールとを備えることを特徴とする、
請求項３３に記載のＨＡＲＱフィードバック装置。
【請求項３５】
前記ＨＡＲＱフィードバック情報は、復調成功を表す第１情報または復調失敗を表す第２情報を含み、
前記第３決定モジュールは、
前記ＨＡＲＱフィードバック時点に、前記基地局によって送信されたＨＡＲＱフィードバック情報を受信するように構成される第１受信サブモジュールと、
前記ＨＡＲＱフィードバック情報が前記第１情報である場合、前記ＥＤＴデータの伝送結果が伝送成功であると決定するように構成される第１処理サブモジュールと、
前記ＨＡＲＱフィードバック情報が前記第２情報である場合、前記ＥＤＴデータの伝送結果が伝送失敗であると決定するように構成される第２処理サブモジュールとを備えることを特徴とする、
請求項３４に記載のＨＡＲＱフィードバック装置。
【請求項３６】
前記設定されたルールは、各前記予備スケジューリングリソースに対応するアップリンク伝送のカットオフ時点の全てに対してＨＡＲＱフィードバックを実行することであり、
前記第２決定モジュールは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定するように構成される第４時点決定サブモジュールと、
前記選択された予備スケジューリングリソースに対応するアップリンク伝送のカットオフ時点に対して、前記アップリンク伝送のカットオフ時点に対応するＨＡＲＱフィードバック時点を決定するように構成される第５時点決定サブモジュールであって、決定されたＨＡＲＱフィードバック時点は、前記アップリンク伝送のカットオフ時点の後の指定された位置に位置する第５時点決定サブモジュールとを備えることを特徴とする、
請求項３３に記載のＨＡＲＱフィードバック装置。
【請求項３７】
前記ＨＡＲＱフィードバック情報は、復調成功を表す第１情報または復調失敗を表す第２情報を含み、
前記第３決定モジュールは、
前記アップリンク伝送のカットオフ時点に対応するＨＡＲＱフィードバック時点に、前記基地局によって送信されたＨＡＲＱフィードバック情報を受信するように構成される第２受信サブモジュールと、
前記ＨＡＲＱフィードバック情報が前記第１情報である場合、前記ＥＤＴデータの伝送結果が伝送成功であると決定するように構成される第３処理サブモジュールと、
前記ＨＡＲＱフィードバック情報が前記第２情報である場合、前記ＥＤＴデータの伝送結果が伝送失敗であると決定するように構成される第４処理サブモジュールとを備えることを特徴とする、
請求項３６に記載のＨＡＲＱフィードバック装置。
【請求項３８】
前記設定されたルールは、ブラインド検出結果が復調成功である場合にのみＨＡＲＱフィードバックを実行することであり、
前記第２決定モジュールは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定するように構成される第６時点決定サブモジュールと、
前記選択された予備スケジューリングリソースに対応するアップリンク伝送のカットオフ時点に対して、前記アップリンク伝送のカットオフ時点に対応するＨＡＲＱフィードバック時点を決定するように構成される第７時点決定サブモジュールであって、決定されたＨＡＲＱフィードバック時点は、前記アップリンク伝送のカットオフ時点の後の指定された位置に位置する第７時点決定サブモジュールとを備えることを特徴とする、
請求項３３に記載のＨＡＲＱフィードバック装置。
【請求項３９】
前記ＨＡＲＱフィードバック情報は、復調成功を表す第１情報を含み、
前記第３決定モジュールは、
前記アップリンク伝送のカットオフ時点に対応するＨＡＲＱフィードバック時点に、前記基地局によって送信されたＨＡＲＱフィードバック情報を受信し、且つ前記ＨＡＲＱフィードバック情報が前記第１情報である場合、前記ＥＤＴデータの伝送結果が伝送成功であると決定するように構成される第５処理サブモジュールと、
前記アップリンク伝送のカットオフ時点に対応するＨＡＲＱフィードバック時点に、前記基地局によって送信されたＨＡＲＱフィードバック情報を受信しなかった場合、前記ＥＤＴデータの伝送結果が伝送失敗であると決定するように構成される第６処理サブモジュールとを備えることを特徴とする、
請求項３８に記載のＨＡＲＱフィードバック装置。
【請求項４０】
前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示することを特徴とする、
請求項３４または３６または３８に記載のＨＡＲＱフィードバック装置。
【請求項４１】
コンピュータ命令が記憶された非一時的なコンピュータ読み取り可能な記憶媒体であって、
前記コンピュータプログラムは、請求項１ないし１０のいずれか一項に記載のＨＡＲＱフィードバック方法を実行するために使用されることを特徴とする、前記非一時的なコンピュータ読み取り可能な記憶媒体。
【請求項４２】
コンピュータプログラムが記憶された非一時的なコンピュータ読み取り可能な記憶媒体であって、
前記コンピュータプログラムは、請求項１１ないし２０のいずれか一項に記載のＨＡＲＱフィードバック方法を実行するために使用されることを特徴とする、前記非一時的なコンピュータ読み取り可能な記憶媒体。
【請求項４３】
ハイブリッド自動再送要求（ＨＡＲＱ）フィードバック装置であって、
基地局に使用され、前記基地局は、端末に対して、早期データ送信（ＥＤＴ）サービスを提供するための複数の予備スケジューリングリソースを割り当て、前記装置は、
プロセッサと、
プロセッサ実行可能命令を記憶するように構成されるメモリとを備え、
前記プロセッサは、
各前記予備スケジューリングリソース上で、前記端末から前記基地局に伝送したＥＤＴデータに対してブラインド検出を実行し、
設定されたルールに従って、前記ブラインド検出に対応するＨＡＲＱフィードバック時点を決定し、
前記ＨＡＲＱフィードバック時点に、前記ブラインド検出に対応するＨＡＲＱフィードバック情報を前記端末に送信するように構成されることを特徴とする、前記ＨＡＲＱフィードバック装置。
【請求項４４】
ハイブリッド自動再送要求（ＨＡＲＱ）フィードバック装置であって、
端末に使用され、基地局は、前記端末に対して、早期データ送信（ＥＤＴ）サービスを提供するための複数の予備スケジューリングリソースを割り当て、前記装置は、
プロセッサと、
プロセッサ実行可能命令を記憶するように構成されるメモリとを備え、
前記プロセッサは、
各前記予備スケジューリングリソースから１つの予備スケジューリングリソースを選択し、選択された予備スケジューリングリソース上でＥＤＴデータを基地局に送信し、
設定されたルールに従って、前記ＥＤＴデータに対応するＨＡＲＱフィードバック時点を決定し、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定するように構成されることを特徴とする、前記ＨＡＲＱフィードバック装置。
【発明の詳細な説明】
【技術分野】
【０００１】
本開示は、通信技術分野に関し、特に、ＨＡＲＱフィードバック方法および装置に関する。
【背景技術】
【０００２】
狭帯域モノのインターネット（ＮＢ−ＩｏＴ：Ｎａｒｒｏｗ  ｂａｎｄ  Ｉｎｔｅｒｎｅｔ  ｏｆ  ｔｈｉｎｇｓ）およびマシンタイプ通信（ＭＴＣ：Ｍａｃｈｉｎｅ  ｔｙｐｅ  ｃｏｍｍｕｎｉｃａｔｉｏｎ）は、非常に有望なセルラーＩｏＴ技術であり、広く使用されている。さらに、ＮＢ−ＩｏＴおよびＭＴＣにおいて、伝送遅延をさらに削減し、電力を節約するために、ランダムアクセスプロセス中にアップリンクデータを伝送するメカニズムが導入され、それをデータ抽出伝送（ＥＤＴ：Ｅａｒｌｙ  Ｄａｔａ  Ｔｒａｎｓｍｉｓｓｉｏｎ  ｄｕｒｉｎｇ  ＲＡＣＨ）と略称する。ここで、ＲＡＣＨとは、ランダムアクセスチャネル（Ｒａｎｄｏｍ  Ａｃｃｅｓｓ  ＣＨａｎｎｅｌ）を指す。ただし、既存のＥＤＴプロセスでは、基地局と端末がハイブリッド自動再送要求（ＨＡＲＱ：Ｈｙｂｒｉｄ  Ａｕｔｏｍａｔｉｃ  Ｒｅｐｅａｔ  ｒｅｑｕｅｓｔ）フィードバックコンテンツと時間が一致しないため、伝送品質が低下する。
【発明の概要】
【発明が解決しようとする課題】
【０００３】
関連技術に存在する問題を解決するために、本開示の実施例は、ＨＡＲＱフィードバック方法および装置を提供する。
【課題を解決するための手段】
【０００４】
本開示の実施例の第１態様によれば、ＨＡＲＱフィードバック方法を提供し、前記方法は基地局に使用され、前記基地局は、端末に対して、早期データ送信（ＥＤＴ）サービスを提供するための複数の予備スケジューリングリソースを割り当て、前記方法は、
各前記予備スケジューリングリソース上で、前記端末から前記基地局に伝送したＥＤＴデータに対してブラインド検出を実行することと、
設定されたルールに従って、前記ブラインド検出に対応するＨＡＲＱフィードバック時点を決定することと、
前記ＨＡＲＱフィードバック時点に、前記ブラインド検出に対応するＨＡＲＱフィードバック情報を前記端末に送信することとを含む。
【０００５】
一実施例において、前記ＥＤＴデータは、ランダムアクセスプロセス中に前記端末によって伝送されたアップリンクデータであり、且つ前記ランダムプロセス中のメッセージ３に配置される。
【０００６】
一実施例において、前記予備スケジューリングリソースは、伝送ブロックサイズ（ＴＢＳ）およびアップリンク伝送の繰り返し回数を含み、
前記各前記予備スケジューリングリソース上で、前記端末から前記基地局に伝送したＥＤＴデータに対してブラインド検出を実行することは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定することと、
各前記アップリンク伝送のカットオフ時点に、前記ＥＤＴデータに対してブラインド検出を実行することとを含む。
【０００７】
一実施例において、前記設定されたルールは、アップリンク伝送の最大繰り返し回数に基づいてＨＡＲＱフィードバックを実行することであり、
前記設定されたルールに従って、前記ブラインド検出に対応するＨＡＲＱフィードバック時点を決定することは、
各前記予備スケジューリングリソースに含まれる前記アップリンク伝送の繰り返し回数に従って、アップリンク伝送の最大繰り返し回数を決定することと、
各前記アップリンク伝送のカットオフ時点に従って、前記アップリンク伝送の最大繰り返し回数に対応するアップリンク伝送のカットオフ時点を決定することと、
前記アップリンク伝送の最大繰り返し回数に対応するアップリンク伝送のカットオフ時点に従って前記ＨＡＲＱフィードバック時点を決定することであって、決定されたＨＡＲＱフィードバック時点は、前記アップリンク伝送の最大繰り返し回数に対応するアップリンク伝送のカットオフ時点の後の指定された位置に位置することとを含む。
【０００８】
一実施例において、前記ブラインド検出に対応するＨＡＲＱフィードバック情報は、復調成功を表す第１情報または復調失敗を表す第２情報を含み、
前記ＨＡＲＱフィードバック時点に、前記ブラインド検出に対応するＨＡＲＱフィードバック情報を前記端末に送信することは、
各前記アップリンク伝送のカットオフ時点のブラインド検出結果に対して、各前記ブラインド検出結果が復調成功を含む場合、前記ＨＡＲＱフィードバック時点に、前記第１情報を前記端末に送信することと、
各前記ブラインド検出結果が前記復調成功を含まない場合、前記ＨＡＲＱフィードバック時点に、前記第２情報を前記端末に送信することとを含む。
【０００９】
一実施例において、前記設定されたルールは、各前記予備スケジューリングリソースに対応するアップリンク伝送のカットオフ時点の全てに対してＨＡＲＱフィードバックを実行することであり、
前記設定されたルールに従って、前記ブラインド検出に対応するＨＡＲＱフィードバック時点を決定することは、
任意の前記アップリンク伝送のカットオフ時点に対して、前記アップリンク伝送のカットオフ時点に対応するＨＡＲＱフィードバック時点を決定することを含み、決定されたＨＡＲＱフィードバック時点は、前記アップリンク伝送のカットオフ時点の後の指定された位置に位置する。
【００１０】
一実施例において、前記ブラインド検出に対応するＨＡＲＱフィードバック情報は、復調成功を表す第１情報または復調失敗を表す第２情報を含み、
前記ＨＡＲＱフィードバック時点に、前記ブラインド検出に対応するＨＡＲＱフィードバック情報を前記端末に送信することは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信することと、
前記ブラインド検出結果が復調失敗である場合、前記アップリンク伝送のカットオフ時点に対応するＨＡＲＱフィードバック時点に、前記第２情報を前記端末に送信することとを含む。
【００１１】
一実施例において、前記設定されたルールは、ブラインド検出結果が復調成功である場合にのみＨＡＲＱフィードバックを実行することであり、
前記設定されたルールに従って、前記ブラインド検出に対応するＨＡＲＱフィードバック時点を決定することは、
任意の前記アップリンク伝送のカットオフ時点に対して、前記アップリンク伝送のカットオフ時点に対応するＨＡＲＱフィードバック時点を決定することを含み、決定されたＨＡＲＱフィードバック時点は、前記アップリンク伝送のカットオフ時点の後の指定された位置に位置する。
【００１２】
一実施例において、前記ブラインド検出に対応するＨＡＲＱフィードバック情報は、復調成功を表す第１情報を含み、
前記ＨＡＲＱフィードバック時点に、前記ブラインド検出に対応するＨＡＲＱフィードバック情報を前記端末に送信することは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信することと、
前記ブラインド検出結果が復調失敗である場合、前記アップリンク伝送のカットオフ時点に対応するＨＡＲＱフィードバック時点にＨＡＲＱフィードバックを実行しないこととを含む。
【００１３】
一実施例において、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【００１４】
本開示の実施例の第２態様によれば、ＨＡＲＱフィードバック方法を提供し、前記方法は端末に使用され、基地局は、前記端末に対して、早期データ送信（ＥＤＴ）サービスを提供するための複数の予備スケジューリングリソースを割り当て、前記方法は、
各前記予備スケジューリングリソースから１つの予備スケジューリングリソースを選択し、選択された予備スケジューリングリソース上でＥＤＴデータを基地局に送信することと、
設定されたルールに従って、前記ＥＤＴデータに対応するＨＡＲＱフィードバック時点を決定することと、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することとを含む。
【００１５】
一実施例において、前記ＥＤＴデータは、前記端末がランダムアクセスプロセス中に伝送する必要があるアップリンクデータであり、且つ前記ランダムプロセス中のメッセージ３に配置される。
【００１６】
一実施例において、前記予備スケジューリングリソースは、伝送ブロックサイズ（ＴＢＳ）およびアップリンク伝送の繰り返し回数を含み、
前記各前記予備スケジューリングリソースから１つの予備スケジューリングリソースを選択し、選択された予備スケジューリングリソース上でＥＤＴデータを基地局に送信することは、
各前記予備スケジューリングリソースに含まれる前記ＴＢＳおよび前記アップリンク伝送の繰り返し回数に従って、各前記予備スケジューリングリソースから１つの予備スケジューリングリソースを選択することと、
選択された予備スケジューリングリソース上でＥＤＴデータを基地局に送信することとを含む。
【００１７】
一実施例において、前記設定されたルールは、アップリンク伝送の最大繰り返し回数に基づいてＨＡＲＱフィードバックを実行することであり、
前記設定されたルールに従って、前記ＥＤＴデータに対応するＨＡＲＱフィードバック時点を決定することは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定することと、
各前記予備スケジューリングリソースに含まれる前記アップリンク伝送の繰り返し回数に従って、アップリンク伝送の最大繰り返し回数を決定することと、
各前記アップリンク伝送のカットオフ時点に従って、前記アップリンク伝送の最大繰り返し回数に対応するアップリンク伝送のカットオフ時点を決定することと、
前記アップリンク伝送の最大繰り返し回数に対応するアップリンク伝送のカットオフ時点に従って前記ＨＡＲＱフィードバック時点を決定することであって、決定されたＨＡＲＱフィードバック時点は、前記アップリンク伝送の最大繰り返し回数に対応するアップリンク伝送のカットオフ時点の後の指定された位置に位置することとを含む。
【００１８】
一実施例において、前記ＨＡＲＱフィードバック情報は、復調成功を表す第１情報または復調失敗を表す第２情報を含み、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することは、
前記ＨＡＲＱフィードバック時点に、前記基地局によって送信されたＨＡＲＱフィードバック情報を受信することと、
前記ＨＡＲＱフィードバック情報が前記第１情報である場合、前記ＥＤＴデータの伝送結果が伝送成功であると決定することと、
前記ＨＡＲＱフィードバック情報が前記第２情報である場合、前記ＥＤＴデータの伝送結果が伝送失敗であると決定することとを含む。
【００１９】
一実施例において、前記設定されたルールは、各前記予備スケジューリングリソースに対応するアップリンク伝送のカットオフ時点の全てに対してＨＡＲＱフィードバックを実行することであり、
前記設定されたルールに従って、前記ＥＤＴデータに対応するＨＡＲＱフィードバック時点を決定することは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定することと、
前記選択された予備スケジューリングリソースに対応するアップリンク伝送のカットオフ時点に対して、前記アップリンク伝送のカットオフ時点に対応するＨＡＲＱフィードバック時点を決定することであって、決定されたＨＡＲＱフィードバック時点は、前記アップリンク伝送のカットオフ時点の後の指定された位置に位置することとを含む。
【００２０】
一実施例において、前記ＨＡＲＱフィードバック情報は、復調成功を表す第１情報または復調失敗を表す第２情報を含み、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することは、
前記アップリンク伝送のカットオフ時点に対応するＨＡＲＱフィードバック時点に、前記基地局によって送信されたＨＡＲＱフィードバック情報を受信することと、
前記ＨＡＲＱフィードバック情報が前記第１情報である場合、前記ＥＤＴデータの伝送結果が伝送成功であると決定することと、
前記ＨＡＲＱフィードバック情報が前記第２情報である場合、前記ＥＤＴデータの伝送結果が伝送失敗であると決定することとを含む。
【００２１】
一実施例において、前記設定されたルールは、ブラインド検出結果が復調成功である場合にのみＨＡＲＱフィードバックを実行することであり、
前記設定されたルールに従って、前記ＥＤＴデータに対応するＨＡＲＱフィードバック時点を決定することは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定することと、
前記選択された予備スケジューリングリソースに対応するアップリンク伝送のカットオフ時点に対して、前記アップリンク伝送のカットオフ時点に対応するＨＡＲＱフィードバック時点を決定することであって、決定されたＨＡＲＱフィードバック時点は、前記アップリンク伝送のカットオフ時点の後の指定された位置に位置することとを含む。
【００２２】
一実施例において、前記ＨＡＲＱフィードバック情報は、復調成功を表す第１情報を含み、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することは、
前記アップリンク伝送のカットオフ時点に対応するＨＡＲＱフィードバック時点に、前記基地局によって送信されたＨＡＲＱフィードバック情報を受信し、且つ前記ＨＡＲＱフィードバック情報が前記第１情報である場合、前記ＥＤＴデータの伝送結果が伝送成功であると決定することと、
前記アップリンク伝送のカットオフ時点に対応するＨＡＲＱフィードバック時点に、前記基地局によって送信されたＨＡＲＱフィードバック情報を受信しなかった場合、前記ＥＤＴデータの伝送結果が伝送失敗であると決定することとを含む。
【００２３】
一実施例において、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【００２４】
本開示の実施例の第３態様によれば、ＨＡＲＱフィードバック装置を提供し、前記装置は基地局に使用され、前記基地局は、端末に対して、早期データ送信（ＥＤＴ）サービスを提供するための複数の予備スケジューリングリソースを割り当て、前記装置は、
各前記予備スケジューリングリソース上で、前記端末から前記基地局に伝送したＥＤＴデータに対してブラインド検出を実行するように構成される検出モジュールと、
設定されたルールに従って、前記ブラインド検出に対応するＨＡＲＱフィードバック時点を決定するように構成される第１決定モジュールと、
前記ＨＡＲＱフィードバック時点に、前記ブラインド検出に対応するＨＡＲＱフィードバック情報を前記端末に送信するように構成される送信モジュールとを備える。
【００２５】
一実施例において、前記ＥＤＴデータは、ランダムアクセスプロセス中に前記端末によって伝送されたアップリンクデータであり、且つ前記ランダムプロセス中のメッセージ３に配置される。
【００２６】
一実施例において、前記予備スケジューリングリソースは、伝送ブロックサイズ（ＴＢＳ）およびアップリンク伝送の繰り返し回数を含み、
前記検出モジュールは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定するように構成される第１決定サブモジュールと、
各前記アップリンク伝送のカットオフ時点に、前記ＥＤＴデータに対してブラインド検出を実行するように構成される検出サブモジュールとを備える。
【００２７】
一実施例において、前記設定されたルールは、アップリンク伝送の最大繰り返し回数に基づいてＨＡＲＱフィードバックを実行することであり、
前記第１決定モジュールは、
各前記予備スケジューリングリソースに含まれる前記アップリンク伝送の繰り返し回数に従って、アップリンク伝送の最大繰り返し回数を決定するように構成される第２決定サブモジュールと、
各前記アップリンク伝送のカットオフ時点に従って、前記アップリンク伝送の最大繰り返し回数に対応するアップリンク伝送のカットオフ時点を決定するように構成される第３決定サブモジュールと、
前記アップリンク伝送の最大繰り返し回数に対応するアップリンク伝送のカットオフ時点に従って前記ＨＡＲＱフィードバック時点を決定するように構成される第４決定サブモジュールであって、決定されたＨＡＲＱフィードバック時点は、前記アップリンク伝送の最大繰り返し回数に対応するアップリンク伝送のカットオフ時点の後の指定された位置に位置する第４決定サブモジュールとを備える。
【００２８】
一実施例において、前記ブラインド検出に対応するＨＡＲＱフィードバック情報は、復調成功を表す第１情報または復調失敗を表す第２情報を含み、
前記送信モジュールは、
各前記アップリンク伝送のカットオフ時点のブラインド検出結果に対して、各前記ブラインド検出結果が復調成功を含む場合、前記ＨＡＲＱフィードバック時点に、前記第１情報を前記端末に送信するように構成される第１送信サブモジュールと、
各前記ブラインド検出結果が前記復調成功を含まない場合、前記ＨＡＲＱフィードバック時点に、前記第２情報を前記端末に送信するように構成される第２送信サブモジュールとを備える。
【００２９】
一実施例において、前記設定されたルールは、各前記予備スケジューリングリソースに対応するアップリンク伝送のカットオフ時点の全てに対してＨＡＲＱフィードバックを実行することであり、
前記第１決定モジュールは、
任意の前記アップリンク伝送のカットオフ時点に対して、前記アップリンク伝送のカットオフ時点に対応するＨＡＲＱフィードバック時点を決定するように構成される第５決定サブモジュールを備え、決定されたＨＡＲＱフィードバック時点は、前記アップリンク伝送のカットオフ時点の後の指定された位置に位置する。
【００３０】
一実施例において、前記ブラインド検出に対応するＨＡＲＱフィードバック情報は、復調成功を表す第１情報または復調失敗を表す第２情報を含み、
前記送信モジュールは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信するように構成される第３送信サブモジュールと、
前記ブラインド検出結果が復調失敗である場合、前記アップリンク伝送のカットオフ時点に対応するＨＡＲＱフィードバック時点に、前記第２情報を前記端末に送信するように構成される第４送信サブモジュールとを備える。
【００３１】
一実施例において、前記設定されたルールは、ブラインド検出結果が復調成功である場合にのみＨＡＲＱフィードバックを実行することであり、
前記第１決定モジュールは、
任意の前記アップリンク伝送のカットオフ時点に対して、前記アップリンク伝送のカットオフ時点に対応するＨＡＲＱフィードバック時点を決定するように構成される第６決定サブモジュールを備え、決定されたＨＡＲＱフィードバック時点は、前記アップリンク伝送のカットオフ時点の後の指定された位置に位置する。
【００３２】
一実施例において、前記ブラインド検出に対応するＨＡＲＱフィードバック情報は、復調成功を表す第１情報を含み、
前記送信モジュールは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信するように構成される第５送信サブモジュールと、
前記ブラインド検出結果が復調失敗である場合、前記アップリンク伝送のカットオフ時点に対応するＨＡＲＱフィードバック時点にＨＡＲＱフィードバックを実行しないように構成される第６送信サブモジュールとを備える。
【００３３】
一実施例において、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【００３４】
本開示の実施例の第４態様によれば、ＨＡＲＱフィードバック装置を提供し、前記装置は端末に使用され、基地局は、前記端末に対して、早期データ送信（ＥＤＴ）サービスを提供するための複数の予備スケジューリングリソースを割り当て、前記装置は、
各前記予備スケジューリングリソースから１つの予備スケジューリングリソースを選択し、選択された予備スケジューリングリソース上でＥＤＴデータを基地局に送信するように構成される選択モジュールと、
設定されたルールに従って、前記ＥＤＴデータに対応するＨＡＲＱフィードバック時点を決定するように構成される第２決定モジュールと、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定するように構成される第３決定モジュールとを備える。
【００３５】
一実施例において、前記ＥＤＴデータは、前記端末がランダムアクセスプロセス中に伝送する必要があるアップリンクデータであり、且つ前記ランダムプロセス中のメッセージ３に配置される。
【００３６】
一実施例において、前記予備スケジューリングリソースは、伝送ブロックサイズ（ＴＢＳ）およびアップリンク伝送の繰り返し回数を含み、
前記選択モジュールは、
各前記予備スケジューリングリソースに含まれる前記ＴＢＳおよび前記アップリンク伝送の繰り返し回数に従って、各前記予備スケジューリングリソースから１つの予備スケジューリングリソースを選択するように構成される選択サブモジュールと、
選択された予備スケジューリングリソース上でＥＤＴデータを基地局に送信するように構成される送信サブモジュールとを備える。
【００３７】
一実施例において、前記設定されたルールは、アップリンク伝送の最大繰り返し回数に基づいてＨＡＲＱフィードバックを実行することであり、
前記第２決定モジュールは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定するように構成される第１時点決定サブモジュールと、
各前記予備スケジューリングリソースに含まれる前記アップリンク伝送の繰り返し回数に従って、アップリンク伝送の最大繰り返し回数を決定するように構成される繰り返し回数決定サブモジュールと、
各前記アップリンク伝送のカットオフ時点に従って、前記アップリンク伝送の最大繰り返し回数に対応するアップリンク伝送のカットオフ時点を決定するように構成される第２時点決定サブモジュールと、
前記アップリンク伝送の最大繰り返し回数に対応するアップリンク伝送のカットオフ時点に従って前記ＨＡＲＱフィードバック時点を決定するように構成される第３時点決定サブモジュールであって、決定されたＨＡＲＱフィードバック時点は、前記アップリンク伝送の最大繰り返し回数に対応するアップリンク伝送のカットオフ時点の後の指定された位置に位置する第３時点決定サブモジュールとを備える。
【００３８】
一実施例において、前記ＨＡＲＱフィードバック情報は、復調成功を表す第１情報または復調失敗を表す第２情報を含み、
前記第３決定モジュールは、
前記ＨＡＲＱフィードバック時点に、前記基地局によって送信されたＨＡＲＱフィードバック情報を受信するように構成される第１受信サブモジュールと、
前記ＨＡＲＱフィードバック情報が前記第１情報である場合、前記ＥＤＴデータの伝送結果が伝送成功であると決定するように構成される第１処理サブモジュールと、
前記ＨＡＲＱフィードバック情報が前記第２情報である場合、前記ＥＤＴデータの伝送結果が伝送失敗であると決定するように構成される第２処理サブモジュールとを備える。
【００３９】
一実施例において、前記設定されたルールは、各前記予備スケジューリングリソースに対応するアップリンク伝送のカットオフ時点の全てに対してＨＡＲＱフィードバックを実行することであり、
前記第２決定モジュールは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定するように構成される第４時点決定サブモジュールと、
前記選択された予備スケジューリングリソースに対応するアップリンク伝送のカットオフ時点に対して、前記アップリンク伝送のカットオフ時点に対応するＨＡＲＱフィードバック時点を決定するように構成される第５時点決定サブモジュールであって、決定されたＨＡＲＱフィードバック時点は、前記アップリンク伝送のカットオフ時点の後の指定された位置に位置する第５時点決定サブモジュールとを備える。
【００４０】
一実施例において、前記ＨＡＲＱフィードバック情報は、復調成功を表す第１情報または復調失敗を表す第２情報を含み、
前記第３決定モジュールは、
前記アップリンク伝送のカットオフ時点に対応するＨＡＲＱフィードバック時点に、前記基地局によって送信されたＨＡＲＱフィードバック情報を受信するように構成される第２受信サブモジュールと、
前記ＨＡＲＱフィードバック情報が前記第１情報である場合、前記ＥＤＴデータの伝送結果が伝送成功であると決定するように構成される第３処理サブモジュールと、
前記ＨＡＲＱフィードバック情報が前記第２情報である場合、前記ＥＤＴデータの伝送結果が伝送失敗であると決定するように構成される第４処理サブモジュールとを備える。
【００４１】
一実施例において、前記設定されたルールは、ブラインド検出結果が復調成功である場合にのみＨＡＲＱフィードバックを実行することであり、
前記第２決定モジュールは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定するように構成される第６時点決定サブモジュールと、
前記選択された予備スケジューリングリソースに対応するアップリンク伝送のカットオフ時点に対して、前記アップリンク伝送のカットオフ時点に対応するＨＡＲＱフィードバック時点を決定するように構成される第７時点決定サブモジュールであって、決定されたＨＡＲＱフィードバック時点は、前記アップリンク伝送のカットオフ時点の後の指定された位置に位置する第７時点決定サブモジュールとを備える。
【００４２】
一実施例において、前記ＨＡＲＱフィードバック情報は、復調成功を表す第１情報を含み、
前記第３決定モジュールは、
前記アップリンク伝送のカットオフ時点に対応するＨＡＲＱフィードバック時点に、前記基地局によって送信されたＨＡＲＱフィードバック情報を受信し、且つ前記ＨＡＲＱフィードバック情報が前記第１情報である場合、前記ＥＤＴデータの伝送結果が伝送成功であると決定するように構成される第５処理サブモジュールと、
前記アップリンク伝送のカットオフ時点に対応するＨＡＲＱフィードバック時点に、前記基地局によって送信されたＨＡＲＱフィードバック情報を受信しなかった場合、前記ＥＤＴデータの伝送結果が伝送失敗であると決定するように構成される第６処理サブモジュールとを備える。
【００４３】
一実施例において、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【００４４】
本開示の実施例の第５態様によれば、非一時的なコンピュータ読み取り可能な記憶媒体を提供し、前記記憶媒体にはコンピュータプログラムが記憶され、前記コンピュータプログラムは、上記の第１態様で提供されたＨＡＲＱフィードバック方法を実行するために使用される。
【００４５】
本開示の実施例の第６態様によれば、非一時的なコンピュータ読み取り可能な記憶媒体を提供し、前記記憶媒体にはコンピュータプログラムが記憶され、前記コンピュータプログラムは、上記の第２態様で提供されたＨＡＲＱフィードバック方法を実行するために使用される。
【００４６】
本開示の実施例の第７態様によれば、ＨＡＲＱフィードバック装置を提供し、前記装置は基地局に使用され、前記基地局は、端末に対して、早期データ送信（ＥＤＴ）サービスを提供するための複数の予備スケジューリングリソースを割り当て、前記装置は、
プロセッサと、プロセッサ実行可能命令を記憶するように構成されるメモリとを備え、
ここで、前記プロセッサは、
各前記予備スケジューリングリソース上で、前記端末から前記基地局に伝送したＥＤＴデータに対してブラインド検出を実行し、
設定されたルールに従って、前記ブラインド検出に対応するＨＡＲＱフィードバック時点を決定し、
前記ＨＡＲＱフィードバック時点に、前記ブラインド検出に対応するＨＡＲＱフィードバック情報を前記端末に送信するように構成される。
【００４７】
本開示の実施例の第８態様によれば、ＨＡＲＱフィードバック装置を提供し、前記装置は端末に使用され、基地局は、前記端末に対して、早期データ送信（ＥＤＴ）サービスを提供するための複数の予備スケジューリングリソースを割り当て、前記装置は、
プロセッサと、プロセッサ実行可能命令を記憶するように構成されるメモリとを備え、
ここで、前記プロセッサは、
各前記予備スケジューリングリソースから１つの予備スケジューリングリソースを選択し、選択された予備スケジューリングリソース上でＥＤＴデータを基地局に送信し、
設定されたルールに従って、前記ＥＤＴデータに対応するＨＡＲＱフィードバック時点を決定し、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定するように構成される。
【発明の効果】
【００４８】
本開示の実施例によって提供される技術的解決策は、以下の有利な効果を含み得る。
【００４９】
本開示における基地局は、各前記予備スケジューリングリソース上で、端末から基地局に伝送したＥＤＴデータに対してブラインド検出を実行し、設定されたルールに従って、ブラインド検出に対応するＨＡＲＱフィードバック時点を決定し、およびＨＡＲＱフィードバック時点に、ブラインド検出に対応するＨＡＲＱフィードバック情報を端末に送信することにより、端末は、設定されたルールに従って決定されたＨＡＲＱフィードバック時点に、基地局によって送信されたＨＡＲＱフィードバック情報を受信することができ、当該ＨＡＲＱフィードバック情報に従ってＥＤＴデータの正しい伝送結果を決定することができ、それにより、ＨＡＲＱフィードバックの信頼性を向上させ、ＥＤＴ伝送の効率も向上させることができる。
【００５０】
本開示における端末は、各予備スケジューリングリソースから１つの予備スケジューリングリソースを選択し、選択された予備スケジューリングリソース上でＥＤＴデータを基地局に送信し、設定されたルールに従って、ＥＤＴデータに対応するＨＡＲＱフィードバック時点を決定し、およびＨＡＲＱフィードバック時点に、基地局によって送信されたＨＡＲＱフィードバック情報を受信した場合、ＨＡＲＱフィードバック情報に従ってＥＤＴデータの伝送結果を決定することにより、ＨＡＲＱフィードバックの信頼性を向上させ、ＥＤＴ伝送の効率も向上させることができる。
【００５１】
上記した一般的な説明および後述する詳細な説明は、単なる例示および説明に過ぎず、本開示を限定するものではないことを理解されたい。
【図面の簡単な説明】
【００５２】
ここでの図面は、本明細書に組み込まれてその一部を構成し、本発明と一致する実施例を示し、明細書とともに本発明の原理を説明するために使用される。
【図１】一例示的な実施例によって示されたＨＡＲＱフィードバック方法のフローチャートである。
【図２】一例示的な実施例によって示されたＨＡＲＱフィードバック方法の適用シナリオの概略図である。
【図３Ａ】一例示的な実施例によって示された別のＨＡＲＱフィードバック方法のフローチャートである。
【図３Ｂ】一例示的な実施例によって示されたＨＡＲＱフィードバック方法の情報の相互作用の概略図である。
【図４Ａ】一例示的な実施例によって示された別のＨＡＲＱフィードバック方法のフローチャートである。
【図４Ｂ】一例示的な実施例によって示された別のＨＡＲＱフィードバック方法の情報の相互作用の概略図である。
【図５Ａ】一例示的な実施例によって示されたＨＡＲＱフィードバック方法のフローチャートである。
【図５Ｂ】一例示的な実施例によって示されたＨＡＲＱフィードバック方法の情報の相互作用の概略図である。
【図５Ｃ】一例示的な実施例によって示された別のＨＡＲＱフィードバック方法の情報の相互作用の概略図である。
【図６Ａ】一例示的な実施例によって示されたＨＡＲＱフィードバック方法のフローチャートである。
【図６Ｂ】一例示的な実施例によって示されたＨＡＲＱフィードバック方法の情報の相互作用の概略図である。
【図６Ｃ】一例示的な実施例によって示された別のＨＡＲＱフィードバック方法の情報の相互作用の概略図である。
【図７】一例示的な実施例によって示されたＨＡＲＱフィードバック方法のフローチャートである。
【図８】一例示的な実施例によって示された別のＨＡＲＱフィードバック方法のフローチャートである。
【図９】一例示的な実施例によって示されたさらに別のＨＡＲＱフィードバック方法のフローチャートである。
【図１０】一例示的な実施例によって示されたさらに別のＨＡＲＱフィードバック方法のフローチャートである。
【図１１】一例示的な実施例によって示されたさらに別のＨＡＲＱフィードバック方法のフローチャートである。
【図１２】一例示的な実施例によって示されたＨＡＲＱフィードバック装置のブロック図である。
【図１３】一例示的な実施例によって示された別のＨＡＲＱフィードバック装置のブロック図である。
【図１４】一例示的な実施例によって示されたさらに別のＨＡＲＱフィードバック装置のブロック図である。
【図１５】一例示的な実施例によって示されたさらに別のＨＡＲＱフィードバック装置のブロック図である。
【図１６】一例示的な実施例によって示されたさらに別のＨＡＲＱフィードバック装置のブロック図である。
【図１７】一例示的な実施例によって示されたさらに別のＨＡＲＱフィードバック装置のブロック図である。
【図１８】一例示的な実施例によって示されたさらに別のＨＡＲＱフィードバック装置のブロック図である。
【図１９】一例示的な実施例によって示されたさらに別のＨＡＲＱフィードバック装置のブロック図である。
【図２０】一例示的な実施例によって示されたＨＡＲＱフィードバック装置のブロック図である。
【図２１】一例示的な実施例によって示された別のＨＡＲＱフィードバック装置のブロック図である。
【図２２】一例示的な実施例によって示されたさらに別のＨＡＲＱフィードバック装置のブロック図である。
【図２３】一例示的な実施例によって示されたさらに別のＨＡＲＱフィードバック装置のブロック図である。
【図２４】一例示的な実施例によって示されたさらに別のＨＡＲＱフィードバック装置のブロック図である。
【図２５】一例示的な実施例によって示されたさらに別のＨＡＲＱフィードバック装置のブロック図である。
【図２６】一例示的な実施例によって示されたさらに別のＨＡＲＱフィードバック装置のブロック図である。
【図２７】一例示的な実施例によって示されたさらに別のＨＡＲＱフィードバック装置のブロック図である。
【図２８】一例示的な実施例によって示されたＨＡＲＱフィードバック装置の概略的な構造図である。
【図２９】一例示的な実施例によって示されたＨＡＲＱフィードバック装置の概略的な構造図である。
【発明を実施するための形態】
【００５３】
ここで、例示的な実施例について詳細に説明し、その例は図面に示す。特に明記しない限り、以下の説明が添付の図面に関する場合、異なる図面の同じ数字は同じまたは類似の要素を表す。以下の例示的な実施例で説明される実施形態は、本発明と一致するすべての実施形態を表すものではない。むしろ、それらは、添付された特許請求の範囲に詳述されたように、本発明の特定の態様と一致する装置および方法の例である。
【００５４】
本開示で使用される用語は、特定の実施例を説明することのみを目的とし、本開示を限定するものではない。本開示および添付された特許請求の範囲で使用された単数形の「１つの」、「前記」および「当該」は、文脈が他の意味を明確に示さない限り、複数形も含むものとする。本明細書で使用される「および／または」という用語は、１つまたは複数の関連する列挙されたアイテムのいずれかまたはすべての可能な組み合わせを指し、それらを含むことを理解されたい。
【００５５】
本開示では、「第１」、「第２」、「第３」などの用語を使用して様々な情報を説明することができるが、これらの情報はこれらの用語に限定されないことを理解されたい。これらの用語は、同じタイプの情報をお互いに区別するためにのみ使用される。例えば、本開示の範囲から逸脱することなく、第１の情報は第２の情報とも称し得、同様に、第２の情報は第１の情報とも称し得る。文脈に応じて、本明細書で使用される「…ば」という語は、「…時」または「…場合」または「…決定に応答して」と解釈することができる。
【００５６】
図１は、一例示的な実施例によって示されたＨＡＲＱフィードバック方法のフローチャートであり、図２は、一例示的な実施例によって示されたＨＡＲＱフィードバック方法の適用シナリオの概略図であり、当該ＨＡＲＱフィードバック方法は基地局に使用されることができ、当該基地局は、端末に対して、ＥＤＴサービスを提供するための複数の予備スケジューリングリソースを割り当て、図１に示されたように、当該ＨＡＲＱフィードバック方法は、次のステップ１１０〜１３０を含み得る。
【００５７】
ステップ１１０において、各予備スケジューリングリソース上で、端末から基地局に伝送したＥＤＴデータに対してブラインド検出を実行する。
【００５８】
本開示の実施例では、基地局は、ＥＤＴサービスを提供することができ、さらに、ＥＤＴサービスを申請した端末に対して、ＥＤＴサービスを提供するための複数の予備スケジューリングリソースを割り当てることができる。
【００５９】
例えば、基地局は、端末に対して、予備スケジューリングリソース１、予備スケジューリングリソース２、予備スケジューリングリソース３および予備スケジューリングリソース４を割り当て、当該予備スケジューリングリソース１、当該予備スケジューリングリソース２、当該予備スケジューリングリソース３および当該予備スケジューリングリソース４のリソースユニットの数（Ｎ＿ＲＵ：Ｎｕｍｂｅｒ  ｏｆ  Ｒｅｓｏｕｒｃｅ  Ｕｎｉｔ）は全て３であるが、予備スケジューリングリソース１の伝送ブロックサイズ（ＴＢＳ：Ｔｒａｎｓｍｉｓｓｉｏｎ  Ｂｌｏｃｋ  Ｓｉｚｅ）およびアップリンク伝送繰り返し（ｒｅｐｅｔｉｔｉｏｎ）回数は、それぞれ３２８ビット（ｂｉｔｓ）および３２回であり、予備スケジューリングリソース２のＴＢＳおよびアップリンク伝送の繰り返し回数は、それぞれ５３６ビットおよび４８回であり、予備スケジューリングリソース３のＴＢＳおよびアップリンク伝送の繰り返し回数は、それぞれ７７６ビットおよび６４回であり、予備スケジューリングリソース４のＴＢＳおよびアップリンク伝送の繰り返し回数は、それぞれ１０００ビットおよび９６回である。
【００６０】
なお、基地局が端末に対して複数の予備スケジューリングリソースを割り当てる目的とは、端末が自体の実際の状況に応じてこれらの予備スケジューリングリソースから１つの予備スケジューリングリソースを選択し、選択された予備スケジューリングリソース上でＥＤＴデータを基地局に送信することができるようにすることであり、当該選択された予備スケジューリングリソースは、端末が実際に使用した予備スケジューリングリソースであるが、基地局は、端末がどの予備スケジューリングリソース上で伝送するかを知らないため、基地局は、各予備スケジューリングリソース上でブラインド検出を実行する。即ち、基地局は、端末が実際に使用した予備スケジューリングリソース上でブラインド検出を実行するとともに、他の予備スケジューリングリソース上でブラインド検出を実行する。
【００６１】
一実施例において、ＥＤＴデータは、ランダムアクセスプロセス中に端末によって伝送されたアップリンクデータであり、且つランダムプロセス中のメッセージ３（ｍｓｇ３：Ｓｃｈｅｄｕｌｅｄ  Ｔｒａｎｓｍｉｓｓｉｏｎ）に配置されるデータを指し得る。即ち、端末は、ＥＤＴデータをメッセージ３に追加し、当該メッセージ３を基地局に送信することができ、このようにして、基地局は、メッセージ３から、当該端末によって伝送されたＥＤＴデータを取得することができる。
【００６２】
一実施例において、前記予備スケジューリングリソースは、ＴＢＳおよびアップリンク伝送の繰り返し回数を含み、ステップ１１０を実行する時に、次の実施形態を使用してもよいが、これらに限定されない。
【００６３】
（１−１）各予備スケジューリングリソースに含まれるＴＢＳおよびアップリンク伝送の繰り返し回数に従って、各予備スケジューリングリソースに対応するアップリンク伝送のカットオフ時点を決定する。
【００６４】
（１−２）各アップリンク伝送のカットオフ時点に、ＥＤＴデータに対してブラインド検出を実行する。
【００６５】
ステップ１２０において、設定されたルールに従って、ブラインド検出に対応するＨＡＲＱフィードバック時点を決定する。
【００６６】
本開示の実施例では、基地局は、端末が実際に使用した予備スケジューリングリソース上でブラインド検出を実行するとともに、他の予備スケジューリングリソース上でブラインド検出を実行するため、ＨＡＲＱフィードバックをどの時点に実行するかを決定する必要がある。
【００６７】
さらに、ブラインド検出に対応するＨＡＲＱフィードバック時点を決定する時に、設定されたルールに従って決定することができる。当該設定されたルールは、ＥＤＴ伝送プロトコルで記述されてもよく、このようにして、基地局および端末は、両方とも、ＥＤＴ伝送プロトコルに従って、設定ルールを取得することができる。
【００６８】
なお、基地局と端末の異なるニーズを満たすために、事前に定義された設定されたルールは、次の３つのルールを含み得るが、これらに限定されない。ただし、基地局および端末がどの設定されたルールを使用するかについては、基地局および端末が事前にネゴシエーションすることができる。
【００６９】
（２−１）設定されたルールは、アップリンク伝送の最大繰り返し回数に基づいてＨＡＲＱフィードバックを実行することであり、その具体的な具現プロセスは、図４Ａに示された実施例を参照することができる。
【００７０】
（２−２）設定されたルールは、各予備スケジューリングリソースに対応するアップリンク伝送のカットオフ時点の全てに対してＨＡＲＱフィードバックを実行することであり、その具体的な具現プロセスは、図５Ａに示された実施例を参照することができる。
【００７１】
（２−３）設定されたルールは、ブラインド検出結果が復調成功である場合にのみＨＡＲＱフィードバックを実行することであり、その具体的な具現プロセスは、図６Ａに示された実施例を参照することができる。
【００７２】
ステップ１３０において、ＨＡＲＱフィードバック時点に、ブラインド検出に対応するＨＡＲＱフィードバック情報を端末に送信する。
【００７３】
本開示の実施例では、基地局が、ＨＡＲＱフィードバック時点に、ＨＡＲＱフィードバック情報を端末に送信した後、端末は、設定されたルールに従って決定されたＨＡＲＱフィードバック時点に、基地局によって送信されたＨＡＲＱフィードバック情報を受信した後に、当該ＨＡＲＱフィードバック情報に従ってＥＤＴデータの伝送結果を決定することができる。
【００７４】
図２に使用された適用シナリオでは、端末および基地局を備える。基地局は、端末に対して、予備スケジューリングリソース１、予備スケジューリングリソース２、予備スケジューリングリソース３および予備スケジューリングリソース４などの複数の予備スケジューリングリソースを割り当て、端末は、これらの予備スケジューリングリソースから１つの予備スケジューリングリソースを選択することができ、例えば、選択された予備スケジューリングリソースが予備スケジューリングリソース２であると、当該端末は、予備スケジューリングリソース２上でＥＤＴデータを基地局に送信することができる。しかし、基地局は、端末に対して複数の予備スケジューリングリソースを割り当てたが、当該基地局は、端末が予備スケジューリングリソース２上で伝送することを知らないため、基地局は、各予備スケジューリングリソース上でＥＤＴデータに対してブラインド検出を実行する必要があり、設定されたルールに従って、ブラインド検出に対応するＨＡＲＱフィードバック時点を決定し、およびＨＡＲＱフィードバック時点に、ブラインド検出に対応するＨＡＲＱフィードバック情報を端末に送信し、このようにして、端末は、設定されたルールに従って決定されたＨＡＲＱフィードバック時点に、基地局によって送信されたＨＡＲＱフィードバック情報を受信した後に、当該ＨＡＲＱフィードバック情報に従ってＥＤＴデータの伝送結果を決定することができ、それにより、ＥＤＴ伝送の信頼性を向上させる。
【００７５】
上記の実施例から分かるように、各前記予備スケジューリングリソース上で、端末から基地局に伝送したＥＤＴデータに対してブラインド検出を実行し、設定されたルールに従って、ブラインド検出に対応するＨＡＲＱフィードバック時点を決定し、およびＨＡＲＱフィードバック時点に、ブラインド検出に対応するＨＡＲＱフィードバック情報を端末に送信することにより、端末は、設定されたルールに従って決定されたＨＡＲＱフィードバック時点に、基地局によって送信されたＨＡＲＱフィードバック情報を受信することができ、当該ＨＡＲＱフィードバック情報に従ってＥＤＴデータの正しい伝送結果を決定することができ、それにより、ＨＡＲＱフィードバックの信頼性を向上させ、ＥＤＴ伝送の効率も向上させる。
【００７６】
図３Ａは、一例示的な実施例によって示された別のＨＡＲＱフィードバック方法のフローチャートであり、当該ＨＡＲＱフィードバック方法は、基地局に使用されることができ、当該基地局は、端末に対して、ＥＤＴサービスを提供するための複数の予備スケジューリングリソースを割り当て、図１に示された方法の基で確立され、前記予備スケジューリングリソースは、ＴＢＳおよびアップリンク伝送の繰り返し回数を含み、ステップ１１０を実行する場合、図３Ａに示されたように、次のステップ３１０〜３２０を含み得る。
【００７７】
ステップ３１０において、各予備スケジューリングリソースに含まれるＴＢＳおよびアップリンク伝送の繰り返し回数に従って、各予備スケジューリングリソースに対応するアップリンク伝送のカットオフ時点を決定する。
【００７８】
本開示の実施例では、異なるＴＢＳの数に従って、アップリンク伝送のカットオフ時点の数を決定することができる。例えば、ＴＢＳの数は４つであり、アップリンク伝送のカットオフ時点の数も４つであり、端末は４つの可能なＴＢＳ選択を有し、それらは４つの異なるアップリンク伝送の繰り返し回数に対応するため、ＥＤＴ伝送中に、４つの可能なアップリンク伝送のカットオフ時点がある。図３Ｂに示されたように、当該４つの可能なアップリンク伝送のカットオフ時点は、それぞれ、アップリンク伝送の可能なカットオフ時点＃１、アップリンク伝送の可能なカットオフ時点＃２、アップリンク伝送の可能なカットオフ時点＃３、アップリンク伝送の可能なカットオフ時点＃４であってもよい。
【００７９】
ステップ３２０において、各アップリンク伝送のカットオフ時点に、ＥＤＴデータに対してブラインド検出を実行する。
【００８０】
上記の実施例から分かるように、各予備スケジューリングリソースに含まれるＴＢＳおよびアップリンク伝送の繰り返し回数に従って、各予備スケジューリングリソースに対応するアップリンク伝送のカットオフ時点を決定し、各アップリンク伝送のカットオフ時点に、ＥＤＴデータに対してブラインド検出を実行し、それにより、ブラインド検出の精度を向上させることができる。
【００８１】
図４Ａは、一例示的な実施例によって示された別のＨＡＲＱフィードバック方法のフローチャートであり、当該ＨＡＲＱフィードバック方法は、基地局に使用されることができ、当該基地局は、端末に対して、ＥＤＴサービスを提供するための複数の予備スケジューリングリソースを割り当て、図３Ａに示された方法の基で確立され、設定されたルールは、アップリンク伝送の最大繰り返し回数に基づいてＨＡＲＱフィードバックを実行することであり、ステップ１２０を実行する場合、図４Ａに示されたように、次のステップ４１０〜４３０を含み得る。
【００８２】
ステップ４１０において、各予備スケジューリングリソースに含まれるアップリンク伝送の繰り返し回数に従って、アップリンク伝送の最大繰り返し回数を決定する。
【００８３】
本開示の実施例では、各予備スケジューリングリソースに含まれるアップリンク伝送の繰り返し回数は異なる可能性があり、当該異なるアップリンク伝送の繰り返し回数から、アップリンク伝送の最大繰り返し回数を決定することができる。
【００８４】
例えば、基地局は、端末に対して予備スケジューリングリソース１、予備スケジューリングリソース２、予備スケジューリングリソース３および予備スケジューリングリソース４を割り当て、当該予備スケジューリングリソース１、当該予備スケジューリングリソース２、当該予備スケジューリングリソース３および当該予備スケジューリングリソース４のアップリンク伝送の繰り返し回数が、それぞれ３２回、４８回、６４回、９６回であると、当該アップリンク伝送の最大繰り返し回数は９６である。
【００８５】
ステップ４２０において、各アップリンク伝送のカットオフ時点に従って、アップリンク伝送の最大繰り返し回数に対応するアップリンク伝送のカットオフ時点を決定する。
【００８６】
本開示の実施例では、アップリンク伝送の最大繰り返し回数は、可能な最大伝送時間に対応し、即ち、可能な最大伝送時間は、アップリンク伝送の最大繰り返し回数で决定される。さらに、アップリンク伝送の最大繰り返し回数に対応するアップリンク伝送のカットオフ時点は、各アップリンク伝送のカットオフ時点のうちの最後のアップリンク伝送のカットオフ時点であってもよい。図３Ｂに示されたように、当該最後のアップリンク伝送のカットオフ時点は、アップリンク伝送の可能なカットオフ時点＃４であってもよい。
【００８７】
ステップ４３０において、アップリンク伝送の最大繰り返し回数に対応するアップリンク伝送のカットオフ時点に従って、ＨＡＲＱフィードバック時点を決定し、決定されたＨＡＲＱフィードバック時点は、前記アップリンク伝送の最大繰り返し回数に対応するアップリンク伝送のカットオフ時点の後の指定された位置に位置する。
【００８８】
本開示の実施例では、指定された位置は、プリセットされた固定値であってもよく、基地局が実際の状況に応じて決定した値であってもよく、例えば、指定された位置は、指定された数のサブフレームであり、さらに、当該指定された数の範囲は、一般的に、４より大きいか等しく、１つのサブフレームが１ｍｓであると、４つのサブフレームは４ｍｓである。
【００８９】
例えば、指定された位置は、指定された数のサブフレームの後の位置である。即ち、ＨＡＲＱフィードバック時間は、可能な最大伝送時間（当該可能な最大伝送時間は、アップリンク伝送の最大繰り返し回数で决定される）に指定された数のサブフレームを加えたものに等しく、図３Ｂに示されたように、アップリンク伝送の最大繰り返し回数に対応するアップリンク伝送のカットオフ時点はアップリンク伝送の可能なカットオフ時点＃４であり、当該アップリンク伝送の可能なカットオフ時点＃４をＨＡＲＱフィードバック基準点として設定し、およびＨＡＲＱフィードバック基準点の指定された数のサブフレームの後の位置をＨＡＲＱフィードバック時点として決定する。
【００９０】
さらに例えば、指定された位置は、指定された数のサブフレームの後の最初のダウンリンク制御チャネルの伝送位置であり、図４Ｂに示されたダウンリンク制御チャネルの伝送可能な位置は、ＨＡＲＱフィードバック時点として決定されることができる。
【００９１】
一実施例において、前記指定された位置は前記基地局によって構成され、ランダムアクセス応答（ＲＡＲ：Ｒａｎｄｏｍ  Ａｃｃｅｓｓ  Ｐｒｅａｍｂｌｅ）のアップリンクスケジューリング認可（ＵＬ  ｇｒａｎｔ：ｕｐｌｉｎｋ  ｇｒａｎｔ）に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【００９２】
一実施例において、前記ブラインド検出に対応するＨＡＲＱフィードバック情報は、復調成功を表す第１情報または復調失敗を表す第２情報を含み、ステップ１３０を実行する場合、図４Ａに示されたように、次のステップ４４０〜４５０を含み得る。
【００９３】
ステップ４４０において、各アップリンク伝送のカットオフ時点のブラインド検出結果に対して、各ブラインド検出結果が復調成功を含む場合、ＨＡＲＱフィードバック時点に、復調成功を表す第１情報を端末に送信する。
【００９４】
本開示の実施例では、各アップリンク伝送のカットオフ時点のブラインド検出結果は復調成功であってもよく、復調失敗であってもよい。図３Ｂに示されたように、アップリンク伝送の可能なカットオフ時点＃１のブラインド検出結果が復調失敗であり、アップリンク伝送の可能なカットオフ時点＃２のブラインド検出結果が復調成功であり、アップリンク伝送の可能なカットオフ時点＃３のブラインド検出結果が復調失敗であり、アップリンク伝送の可能なカットオフ時点＃４のブラインド検出結果が復調失敗であると、決定されたＨＡＲＱフィードバック時点に、復調成功を表す第１情報を端末に送信することができる。
【００９５】
ステップ４５０において、各ブラインド検出結果が復調成功を含まない場合、ＨＡＲＱフィードバック時点に、復調失敗を表す第２情報を端末に送信する。
【００９６】
本開示の実施例では、ブラインド検出結果は復調成功であってもよく、復調失敗であってもよい。図３Ｂに示されたように、アップリンク伝送の可能なカットオフ時点＃１のブラインド検出結果が復調失敗であり、アップリンク伝送の可能なカットオフ時点＃２のブラインド検出結果が復調失敗であり、アップリンク伝送の可能なカットオフ時点＃３のブラインド検出結果が復調失敗であり、アップリンク伝送の可能なカットオフ時点＃４のブラインド検出結果が復調失敗であると、決定されたＨＡＲＱフィードバック時点に、復調失敗を表す第２情報を端末に送信することができる。
【００９７】
上記の実施例から分かるように、設定されたルールが、アップリンク伝送の最大繰り返し回数に基づいてＨＡＲＱフィードバックを実行することである場合、各予備スケジューリングリソースに含まれるアップリンク伝送の繰り返し回数に従って、アップリンク伝送の最大繰り返し回数を決定し、アップリンク伝送の最大繰り返し回数に対応するアップリンク伝送のカットオフ時点を決定し、およびアップリンク伝送の最大繰り返し回数に対応するアップリンク伝送のカットオフ時点に従って、ＨＡＲＱフィードバック時点を決定することができ、決定されたＨＡＲＱフィードバック時点は、前記アップリンク伝送の最大繰り返し回数に対応するアップリンク伝送のカットオフ時点の後の指定された位置に位置し、それにより、アップリンク伝送の最大繰り返し回数に基づいてＨＡＲＱフィードバックという機能を実現し、さらに、端末が正しいＨＡＲＱフィードバック情報を受信することができることを保証し、ＨＡＲＱフィードバックのサービス品質も向上させる。
【００９８】
図５Ａは、一例示的な実施例によって示された別のＨＡＲＱフィードバック方法のフローチャートであり、当該ＨＡＲＱフィードバック方法は、基地局に使用されることができ、当該基地局は、端末に対して、ＥＤＴサービスを提供するための複数の予備スケジューリングリソースを割り当て、図３Ａに示された方法の基で確立され、前記設定されたルールは、各予備スケジューリングリソースに対応するアップリンク伝送のカットオフ時点の全てに対してＨＡＲＱフィードバックを実行することであり、ステップ１２０を実行する場合、図５Ａに示されたように、次のステップ５１０を含み得る。
【００９９】
ステップ５１０において、任意のアップリンク伝送のカットオフ時点に対して、当該アップリンク伝送のカットオフ時点に対応するＨＡＲＱフィードバック時点を決定し、決定されたＨＡＲＱフィードバック時点は、当該アップリンク伝送のカットオフ時点の後の指定された位置に位置する。
【０１００】
本開示の実施例では、各アップリンク伝送のカットオフ時点に対して、基地局の全ては、当該アップリンク伝送のカットオフ時点に対応するＨＡＲＱフィードバック時点を決定する必要がある。例えば、図３Ｂに示されたように、当該４つの可能なアップリンク伝送のカットオフ時点は、それぞれ、アップリンク伝送の可能なカットオフ時点＃１、アップリンク伝送の可能なカットオフ時点＃２、アップリンク伝送の可能なカットオフ時点＃３、アップリンク伝送の可能なカットオフ時点＃４であってもよく、基地局は、４つの可能なアップリンク伝送のカットオフ時点のそれぞれのＨＡＲＱフィードバック時点を決定する必要がある。
【０１０１】
なお、各アップリンク伝送のカットオフ時点の後の指定された位置は、プリセットされた固定値であってもよく、基地局が実際の状況に応じて決定した値であってもよく、例えば、指定された位置は、指定された数のサブフレームである。
【０１０２】
例えば、指定された位置は、指定された数のサブフレームの後の位置であり、こうして決定されたＨＡＲＱフィードバック時点は、図５Ｂに示された＃１のＨＡＲＱフィードバック時点、＃２のＨＡＲＱフィードバック時点、＃３のＨＡＲＱフィードバック時点、＃４のＨＡＲＱフィードバック時点など、各アップリンク伝送のカットオフ時点の後の指定された数のサブフレームの後の位置に位置する。ここで、ＡＣＫは、復調成功を表す第１情報であり、ＮＡＣＫは、復調失敗を表す第２情報である。
【０１０３】
さらに例えば、指定された位置は、指定された数のサブフレームの後の最初のダウンリンク制御チャネルの伝送位置であり、こうして決定されたＨＡＲＱフィードバック時点は、各アップリンク伝送のカットオフ時点の後の指定された数のサブフレームの後の最初のダウンリンク制御チャネルの伝送位置に位置し、例えば、図５Ｃに示された＃１のダウンリンク制御チャネルの伝送可能な位置、＃２のダウンリンク制御チャネルの伝送可能な位置、＃３のダウンリンク制御チャネルの伝送可能な位置、＃４のダウンリンク制御チャネルの伝送可能な位置の全ては、ＨＡＲＱフィードバック時点である。ここで、ＡＣＫは、復調成功を表す第１情報であり、ＮＡＣＫは、復調失敗を表す第２情報である。
【０１０４】
一実施例において、前記指定された位置は前記基地局によって構成され、且つ前記基地局が前記端末に送信したランダムアクセス応答のアップリンクスケジューリング認可に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【０１０５】
一実施例において、前記ブラインド検出に対応するＨＡＲＱフィードバック情報は、復調成功を表す第１情報または復調失敗を表す第２情報を含み、ステップ１３０を実行する場合、図５Ａに示されたように、次のステップ５２０〜５３０を含み得る。
【０１０６】
ステップ５２０において、任意のアップリンク伝送のカットオフ時点のブラインド検出結果に対して、ブラインド検出結果が復調成功である場合、前記アップリンク伝送のカットオフ時点に対応するＨＡＲＱフィードバック時点に、復調成功を表す第１情報を端末に送信する。
【０１０７】
ステップ５３０において、ブラインド検出結果が復調失敗である場合、当該アップリンク伝送のカットオフ時点に対応するＨＡＲＱフィードバック時点に、復調失敗を表す第２情報を端末に送信する。
【０１０８】
上記の実施例から分かるように、設定されたルールが、各予備スケジューリングリソースに対応するアップリンク伝送のカットオフ時点の全てに対してＨＡＲＱフィードバックを実行することである場合、先ず、各アップリンク伝送のカットオフ時点に対応するＨＡＲＱフィードバック時点を決定し、任意のアップリンク伝送のカットオフ時点のブラインド検出結果に対して、ブラインド検出結果が復調成功である場合、当該アップリンク伝送のカットオフ時点に対応するＨＡＲＱフィードバック時点に、復調成功を表す第１情報を端末に送信し、ブラインド検出結果が復調失敗である場合、当該アップリンク伝送のカットオフ時点に対応するＨＡＲＱフィードバック時点に復調失敗を表す第２情報を端末に送信し、それにより、各予備スケジューリングリソースに対応するアップリンク伝送のカットオフ時点の全てに対してＨＡＲＱフィードバックを実行するという機能を実現することができることとものに、端末が正しいＨＡＲＱフィードバック情報を受信することができることを保証するため、ＨＡＲＱフィードバックのサービススタイルが豊富になる。
【０１０９】
図６Ａは、一例示的な実施例によって示された別のＨＡＲＱフィードバック方法のフローチャートであり、当該ＨＡＲＱフィードバック方法は、基地局に使用されることができ、当該基地局は、端末に対して、ＥＤＴサービスを提供するための複数の予備スケジューリングリソースを割り当て、図３Ａに示された方法の基で確立され、前記設定されたルールは、ブラインド検出結果が復調成功である場合にのみＨＡＲＱフィードバックを実行することであり、ステップ１２０を実行する場合、図６Ａに示されたように、次のステップ６１０を含み得る。
【０１１０】
ステップ６１０において、任意のアップリンク伝送のカットオフ時点に対して、当該アップリンク伝送のカットオフ時点に対応するＨＡＲＱフィードバック時点を決定し、決定されたＨＡＲＱフィードバック時点は、当該アップリンク伝送のカットオフ時点の後の指定された位置に位置する。
【０１１１】
本開示の実施例では、各アップリンク伝送のカットオフ時点に対して、基地局の全ては、当該アップリンク伝送のカットオフ時点に対応するＨＡＲＱフィードバック時点を決定する必要がある。例えば、図３Ｂに示されたように、当該４つの可能なアップリンク伝送のカットオフ時点は、それぞれ、アップリンク伝送の可能なカットオフ時点＃１、アップリンク伝送の可能なカットオフ時点＃２、アップリンク伝送の可能なカットオフ時点＃３、アップリンク伝送の可能なカットオフ時点＃４であってもよく、基地局は、４つの可能なアップリンク伝送のカットオフ時点のそれぞれのＨＡＲＱフィードバック時点を決定する必要がある。
【０１１２】
なお、各アップリンク伝送のカットオフ時点の後の指定された位置は、プリセットされた固定値であってもよく、基地局が実際の状況に応じて決定した値であってもよく、例えば、指定された位置は、指定された数のサブフレームである。
【０１１３】
例えば、指定された位置は、指定された数のサブフレームの後の位置であり、こうして決定されたＨＡＲＱフィードバック時点は、各アップリンク伝送のカットオフ時点の後の指定された数のサブフレームの後の位置に位置し、図６Ｂに示されたアップリンク伝送の可能なカットオフ時点＃２は、実際の伝送のカットオフ時点である。ここで、ＡＣＫは、復調成功を表す第１情報であり、即ち、アップリンク伝送の可能なカットオフ時点＃２のブラインド検出結果が復調成功である場合のみに、指定された数のサブフレームの後の位置で、復調成功を表す第１情報、即ちＡＣＫを端末に送信する。
【０１１４】
さらに例えば、指定された位置は、指定された数のサブフレームの後の最初のダウンリンク制御チャネルの伝送位置であり、こうして決定されたＨＡＲＱフィードバック時点は、各アップリンク伝送のカットオフ時点の後の指定された数のサブフレームの後の最初のダウンリンク制御チャネルの伝送位置に位置し、図６Ｃに示されたアップリンク伝送の可能なカットオフ時点＃２は、実際の伝送のカットオフ時点である。ここで、ＡＣＫは、復調成功を表す第１情報であり、即ち、アップリンク伝送の可能なカットオフ時点＃２のブラインド検出結果が復調成功である場合のみに、ダウンリンク制御チャネルの伝送可能な位置で、復調成功を表す第１情報、即ちＡＣＫを端末に送信する。
【０１１５】
一実施例において、前記指定された位置は前記基地局によって構成され、且つ前記基地局が前記端末に送信したランダムアクセス応答のアップリンクスケジューリング認可に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【０１１６】
一実施例において、前記ブラインド検出に対応するＨＡＲＱフィードバック情報は、復調成功を表す第１情報を含み、ステップ１３０を実行する場合、図６Ａに示されたように、次のステップ６２０〜６３０を含み得る。
【０１１７】
ステップ６２０において、任意のアップリンク伝送のカットオフ時点のブラインド検出結果に対して、ブラインド検出結果が復調成功である場合、当該アップリンク伝送のカットオフ時点に対応するＨＡＲＱフィードバック時点に、復調成功を表す第１情報を端末に送信する。
【０１１８】
ステップ６３０において、ブラインド検出結果が復調失敗である場合、当該アップリンク伝送のカットオフ時点に対応するＨＡＲＱフィードバック時点にＨＡＲＱフィードバックを実行しない。
【０１１９】
上記の実施例から分かるように、設定されたルールが、ブラインド検出結果が復調成功である場合にのみ、ＨＡＲＱフィードバックを実行することである場合、まず、各アップリンク伝送のカットオフ時点に対応するＨＡＲＱフィードバック時点を決定し、任意のアップリンク伝送のカットオフ時点のブラインド検出結果に対して、ブラインド検出結果が復調成功である場合、当該アップリンク伝送のカットオフ時点に対応するＨＡＲＱフィードバック時点に、復調成功を表す第１情報を端末に送信し、ブラインド検出結果が復調失敗である場合、当該アップリンク伝送のカットオフ時点に対応するＨＡＲＱフィードバック時点にＨＡＲＱフィードバックを実行せず、それにより、ブラインド検出結果が復調成功である場合にのみ、ＨＡＲＱフィードバックを実行するという機能を実現することができ、端末が正しいＨＡＲＱフィードバック情報を受信することができることを前提として、ＨＡＲＱフィードバックコンテンツおよびフィードバック回数が削減され、ＨＡＲＱフィードバックの効率が向上する。
【０１２０】
図７は、一例示的な実施例によって示された別のＨＡＲＱフィードバック方法のフローチャートであり、当該ＨＡＲＱフィードバック方法は、端末に使用され、基地局は、当該端末に対して、ＥＤＴサービスを提供するための複数の予備スケジューリングリソースを割り当て、図７に示されたように、当該ＨＡＲＱフィードバック方法は、次のステップ７１０〜７３０を含み得る。
【０１２１】
ステップ７１０において、各予備スケジューリングリソースから１つの予備スケジューリングリソースを選択し、選択された予備スケジューリングリソース上でＥＤＴデータを基地局に送信する。
【０１２２】
一実施例において、ＥＤＴデータは、端末がランダムアクセスプロセス中に伝送する必要があるアップリンクデータであり、且つランダムプロセス中のメッセージ３に配置される。即ち、端末は、ＥＤＴデータをメッセージ３に追加し、当該メッセージ３を基地局に送信することができ、このようにして、基地局は、メッセージ３から、当該端末によって伝送されたＥＤＴデータを取得することができる。
【０１２３】
ステップ７２０において、設定されたルールに従って、ＥＤＴデータに対応するＨＡＲＱフィードバック時点を決定する。
【０１２４】
本開示の実施例では、基地局と端末の異なるニーズを満たすために、事前に定義された設定されたルールは、次の３つのルールを含み得るが、これらに限定されない。ただし、基地局および端末がどの設定されたルールを使用するかについては、基地局および端末が事前にネゴシエーションすることができる。
【０１２５】
（３−１）設定されたルールは、アップリンク伝送の最大繰り返し回数に基づいてＨＡＲＱフィードバックを実行することであり、その具体的な具現プロセスは、図９に示された実施例を参照することができる。
【０１２６】
（３−２）設定されたルールは、各予備スケジューリングリソースに対応するアップリンク伝送のカットオフ時点の全てに対してＨＡＲＱフィードバックを実行することであり、その具体的な具現プロセスは、図１０に示された実施例を参照することができる。
【０１２７】
（３−３）設定されたルールは、ブラインド検出結果が復調成功である場合にのみＨＡＲＱフィードバックを実行することであり、その具体的な具現プロセスは、図１１に示された実施例を参照することができる。
【０１２８】
ステップ７３０において、ＨＡＲＱフィードバック時点に、基地局によって送信されたＨＡＲＱフィードバック情報を受信した場合、ＨＡＲＱフィードバック情報に従ってＥＤＴデータの伝送結果を決定する。
【０１２９】
上記の実施例から分かるように、各予備スケジューリングリソースから１つの予備スケジューリングリソースを選択し、選択された予備スケジューリングリソース上でＥＤＴデータを基地局に送信し、設定されたルールに従って、ＥＤＴデータに対応するＨＡＲＱフィードバック時点を決定し、およびＨＡＲＱフィードバック時点に、基地局によって送信されたＨＡＲＱフィードバック情報を受信した場合、ＨＡＲＱフィードバック情報に従ってＥＤＴデータの伝送結果を決定することにより、ＨＡＲＱフィードバックの信頼性を向上させ、ＥＤＴ伝送の効率も向上させることができる。
【０１３０】
図８は、一例示的な実施例によって示された別のＨＡＲＱフィードバック方法のフローチャートであり、当該ＨＡＲＱフィードバック方法は、端末に使用されることができ、基地局は、当該端末に対して、ＥＤＴサービスを提供するための複数の予備スケジューリングリソースを割り当て、図７に示された方法の基で確立され、前記予備スケジューリングリソースは、ＴＢＳおよびアップリンク伝送の繰り返し回数を含み、ステップ７１０を実行する場合、図８に示されたように、次のステップ８１０〜８２０を含み得る。
【０１３１】
ステップ８１０において、各予備スケジューリングリソースに含まれるＴＢＳおよびアップリンク伝送の繰り返し回数に従って、各予備スケジューリングリソースから１つの予備スケジューリングリソースを選択する。
【０１３２】
ステップ８２０において、選択された予備スケジューリングリソース上でＥＤＴデータを基地局に送信する。
【０１３３】
上記の実施例から分かるように、各予備スケジューリングリソースに含まれるＴＢＳおよびアップリンク伝送の繰り返し回数に従って、各予備スケジューリングリソースから１つの予備スケジューリングリソースを選択し、選択された予備スケジューリングリソース上でＥＤＴデータを基地局に送信することができ、それにより、予備スケジューリングリソースの精度を選択する。
【０１３４】
図９は、一例示的な実施例によって示されたさらに別のＨＡＲＱフィードバック方法のフローチャートであり、当該ＨＡＲＱフィードバック方法は、端末に使用されることができ、基地局は、当該端末に対して、ＥＤＴサービスを提供するための複数の予備スケジューリングリソースを割り当て、図８に示された方法の基で確立され、前記設定されたルールは、アップリンク伝送の最大繰り返し回数に基づいてＨＡＲＱフィードバックを実行することであり、ステップ７２０を実行する場合、図９に示されたように、次のステップ９１０〜９５０を含み得る。
【０１３５】
ステップ９１０において、各予備スケジューリングリソースに含まれるＴＢＳおよびアップリンク伝送の繰り返し回数に従って、各予備スケジューリングリソースに対応するアップリンク伝送のカットオフ時点を決定する。
【０１３６】
ステップ９２０において、各予備スケジューリングリソースに含まれるアップリンク伝送の繰り返し回数に従って、アップリンク伝送の最大繰り返し回数を決定する。
【０１３７】
ステップ９３０において、各アップリンク伝送のカットオフ時点に従って、アップリンク伝送の最大繰り返し回数に対応するアップリンク伝送のカットオフ時点を決定する。
【０１３８】
ステップ９４０において、アップリンク伝送の最大繰り返し回数に対応するアップリンク伝送のカットオフ時点に従ってＨＡＲＱフィードバック時点を決定し、決定されたＨＡＲＱフィードバック時点は、アップリンク伝送の最大繰り返し回数に対応するアップリンク伝送のカットオフ時点の後の指定された位置に位置する。
【０１３９】
一実施例において、前記指定された位置は前記基地局によって構成され、且つ前記基地局が前記端末に送信したランダムアクセス応答のアップリンクスケジューリング認可に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【０１４０】
一実施例において、前記ＨＡＲＱフィードバック情報は、復調成功を表す第１情報または復調失敗を表す第２情報を含み、ステップ７３０を実行する場合、図９に示されたように、次のステップ９５０〜９７０を含み得る。
【０１４１】
ステップ９５０において、ＨＡＲＱフィードバック時点に、基地局によって送信されたＨＡＲＱフィードバック情報を受信する。
【０１４２】
ステップ９６０において、ＨＡＲＱフィードバック情報が、復調成功を表す第１情報である場合、ＥＤＴデータの伝送結果が伝送成功であると決定する。
【０１４３】
ステップ９７０において、ＨＡＲＱフィードバック情報が、復調失敗を表す第２情報である場合、ＥＤＴデータの伝送結果が伝送失敗であると決定する。
【０１４４】
上記の実施例から分かるように、設定されたルールが、アップリンク伝送の最大繰り返し回数に基づいてＨＡＲＱフィードバックを実行することである場合、各予備スケジューリングリソースに含まれるＴＢＳおよびアップリンク伝送の繰り返し回数に従って、各予備スケジューリングリソースに対応するアップリンク伝送のカットオフ時点を決定し、およびアップリンク伝送の最大繰り返し回数に対応するアップリンク伝送のカットオフ時点に従って、およびアップリンク伝送の最大繰り返し回数に対応するアップリンク伝送のカットオフ時点に従って、ＨＡＲＱフィードバック時点を決定することができ、決定されたＨＡＲＱフィードバック時点は、前記アップリンク伝送の最大繰り返し回数に対応するアップリンク伝送のカットオフ時点の後の指定された位置に位置し、それにより、アップリンク伝送の最大繰り返し回数に基づいてＨＡＲＱフィードバックを実行するという機能を実現し、さらに、端末が正しいＨＡＲＱフィードバック情報を受信することができることを保証し、ＨＡＲＱフィードバックのサービス品質も向上させる。
【０１４５】
図１０は、一例示的な実施例によって示されたさらに別のＨＡＲＱフィードバック方法のフローチャートであり、当該ＨＡＲＱフィードバック方法は、端末に使用されることができ、基地局は、当該端末に対して、ＥＤＴサービスを提供するための複数の予備スケジューリングリソースを割り当て、図８に示された方法の基で確立され、前記設定されたルールは、各前記予備スケジューリングリソースに対応するアップリンク伝送のカットオフ時点の全てに対してＨＡＲＱフィードバックを実行することであり、ステップ７２０を実行する場合、図１０に示されたように、次のステップ１０１０〜１０２０を含み得る。
【０１４６】
ステップ１０１０において、選択された予備スケジューリングリソースに含まれるＴＢＳおよびアップリンク伝送の繰り返し回数に従って、当該選択された予備スケジューリングリソースに対応するアップリンク伝送のカットオフ時点を決定する。
【０１４７】
ステップ１０２０において、選択された予備スケジューリングリソースに対応するアップリンク伝送のカットオフ時点に対して、前記アップリンク伝送のカットオフ時点に対応するＨＡＲＱフィードバック時点を決定し、決定されたＨＡＲＱフィードバック時点は、当該アップリンク伝送のカットオフ時点の後の指定された位置に位置する。
【０１４８】
一実施例において、前記指定された位置は前記基地局によって構成され、且つ前記基地局が前記端末に送信したランダムアクセス応答のアップリンクスケジューリング認可に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【０１４９】
一実施例において、前記ＨＡＲＱフィードバック情報は、復調成功を表す第１情報または復調失敗を表す第２情報を含み、ステップ７３０を実行する場合、図１０に示されたように、次のステップ１０３０〜１０５０を含み得る。
【０１５０】
ステップ１０３０において、当該アップリンク伝送のカットオフ時点に対応するＨＡＲＱフィードバック時点に、基地局によって送信されたＨＡＲＱフィードバック情報を受信する。
【０１５１】
ステップ１０４０において、ＨＡＲＱフィードバック情報が、復調成功を表す第１情報である場合、ＥＤＴデータの伝送結果が伝送成功であると決定する。
【０１５２】
ステップ１０５０において、ＨＡＲＱフィードバック情報が、復調失敗を表す第２情報である場合、ＥＤＴデータの伝送結果が伝送失敗であると決定する。
【０１５３】
上記の実施例から分かるように、設定されたルールが、各前記予備スケジューリングリソースに対応するアップリンク伝送のカットオフ時点の全てに対してＨＡＲＱフィードバックを実行することである場合、選択された予備スケジューリングリソースに対応するアップリンク伝送のカットオフ時点、および当該アップリンク伝送のカットオフ時点に対応するＨＡＲＱフィードバック時点のみを決定し、当該アップリンク伝送のカットオフ時点に対応するＨＡＲＱフィードバック時点に、基地局によって送信されたＨＡＲＱフィードバック情報を受信し、およびＨＡＲＱフィードバック情報が、復調成功を表す第１情報である場合、ＥＤＴデータの伝送結果が伝送成功であると決定し、ＨＡＲＱフィードバック情報が、復調失敗を表す第２情報である場合、ＥＤＴデータの伝送結果が伝送失敗であると決定ことができ、それにより、伝送結果の精度を向上させる。
【０１５４】
図１１は、一例示的な実施例によって示されたさらに別のＨＡＲＱフィードバック方法のフローチャートであり、当該ＨＡＲＱフィードバック方法は、端末に使用されることができ、基地局は、当該端末に対して、ＥＤＴサービスを提供するための複数の予備スケジューリングリソースを割り当て、図８に示された方法の基で確立され、前記設定されたルールは、ブラインド検出結果が復調成功である場合にのみＨＡＲＱフィードバックを実行することであり、ステップ７２０を実行する場合、図１１に示されたように、次のステップ１１１０〜１１２０を含み得る。
【０１５５】
ステップ１１１０において、選択された予備スケジューリングリソースに含まれるＴＢＳおよびアップリンク伝送の繰り返し回数に従って、当該選択された予備スケジューリングリソースに対応するアップリンク伝送のカットオフ時点を決定する。
【０１５６】
ステップ１１２０において、選択された予備スケジューリングリソースに対応するアップリンク伝送のカットオフ時点に対して、当該アップリンク伝送のカットオフ時点に対応するＨＡＲＱフィードバック時点を決定し、決定されたＨＡＲＱフィードバック時点は、前記アップリンク伝送のカットオフ時点の後の指定された位置に位置する。
【０１５７】
一実施例において、前記指定された位置は前記基地局によって構成され、且つ前記基地局が前記端末に送信したランダムアクセス応答のアップリンクスケジューリング認可に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【０１５８】
一実施例において、前記ＨＡＲＱフィードバック情報は、復調成功を表す第１情報を含み、ステップ７３０を実行する場合、図１１に示されたように、次のステップ１１３０〜１１４０を含み得る。
【０１５９】
ステップ１１３０において、当該アップリンク伝送のカットオフ時点に対応するＨＡＲＱフィードバック時点に、基地局によって送信されたＨＡＲＱフィードバック情報を受信し、且つＨＡＲＱフィードバック情報が復調成功を表す第１情報である場合、ＥＤＴデータの伝送結果が伝送成功であると決定する。
【０１６０】
ステップ１１４０において、当該アップリンク伝送のカットオフ時点に対応するＨＡＲＱフィードバック時点に、基地局によって送信されたＨＡＲＱフィードバック情報を受信しなかった場合、ＥＤＴデータの伝送結果が伝送失敗であると決定する。
【０１６１】
上記の実施例から分かるように、設定されたルール是ブラインド検出結果が復調成功である場合にのみＨＡＲＱフィードバックを実行する場合、選択された予備スケジューリングリソースに対応するアップリンク伝送のカットオフ時点、および当該アップリンク伝送のカットオフ時点に対応するＨＡＲＱフィードバック時点のみを決定し、当該アップリンク伝送のカットオフ時点に対応するＨＡＲＱフィードバック時点に、基地局によって送信されたＨＡＲＱフィードバック情報を受信し、且つＨＡＲＱフィードバック情報が復調成功を表す第１情報である場合、ＥＤＴデータの伝送結果が伝送成功であると決定し、当該アップリンク伝送のカットオフ時点に対応するＨＡＲＱフィードバック時点に、基地局によって送信されたＨＡＲＱフィードバック情報を受信しなかった場合、ＥＤＴデータの伝送結果が伝送失敗であると決定することができ、それにより、伝送結果の精度を保証する以外にも、ＨＡＲＱフィードバックコンテンツおよびフィードバック次数を削減して、ＨＡＲＱフィードバックの効率を向上させる。
【０１６２】
上記したＨＡＲＱフィードバック方法の実施例に対応して、本開示は、ＨＡＲＱフィードバック装置の実施例をさらに提供する。
【０１６３】
図１２は、一例示的な実施例によって示されたＨＡＲＱフィードバック装置のブロック図であり、当該装置は、基地局に使用されることができ、当該基地局は、端末に対して、ＥＤＴサービスを提供するための複数の予備スケジューリングリソースを割り当て、図１に示されたＨＡＲＱフィードバック方法を実行するように構成され、図１２に示されたように、当該ＨＡＲＱフィードバック装置は、
各前記予備スケジューリングリソース上で、前記端末から前記基地局に伝送したＥＤＴデータに対してブラインド検出を実行するように構成される検出モジュール１２１と、
設定されたルールに従って、前記ブラインド検出に対応するＨＡＲＱフィードバック時点を決定するように構成される第１決定モジュール１２２と、
前記ＨＡＲＱフィードバック時点に、前記ブラインド検出に対応するＨＡＲＱフィードバック情報を前記端末に送信するように構成される送信モジュール１２３とを備えることができる。
【０１６４】
上記の実施例から分かるように、各前記予備スケジューリングリソース上で、端末から基地局に伝送したＥＤＴデータに対してブラインド検出を実行し、設定されたルールに従って、ブラインド検出に対応するＨＡＲＱフィードバック時点を決定し、およびＨＡＲＱフィードバック時点に、ブラインド検出に対応するＨＡＲＱフィードバック情報を端末に送信することにより、端末は、設定されたルールに従って決定されたＨＡＲＱフィードバック時点に、基地局によって送信されたＨＡＲＱフィードバック情報を受信することができ、当該ＨＡＲＱフィードバック情報に従ってＥＤＴデータの正しい伝送結果を決定することができ、それにより、ＨＡＲＱフィードバックの信頼性を向上させ、ＥＤＴ伝送の効率も向上させる。
【０１６５】
一実施例において、図１２に示された装置の確立の基で、前記ＥＤＴデータは、ランダムアクセスプロセス中に前記端末によって伝送されたアップリンクデータであり、且つ前記ランダムプロセス中のメッセージ３に配置される。
【０１６６】
一実施例において、図１２に示された装置の確立の基で、前記予備スケジューリングリソースは、伝送ブロックサイズ（ＴＢＳ）およびアップリンク伝送の繰り返し回数を含み、図１３に示されたように、前記検出モジュール１２１は、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定するように構成される第１決定サブモジュール１３１と、
各前記アップリンク伝送のカットオフ時点に、前記ＥＤＴデータに対してブラインド検出を実行するように構成される検出サブモジュール１３２とを備えることができる。
【０１６７】
上記の実施例から分かるように、各予備スケジューリングリソースに含まれるＴＢＳおよびアップリンク伝送の繰り返し回数に従って、各予備スケジューリングリソースに対応するアップリンク伝送のカットオフ時点を決定し、各アップリンク伝送のカットオフ時点に、ＥＤＴデータに対してブラインド検出を実行し、それにより、ブラインド検出の精度を向上させることができる。
【０１６８】
一実施例において、図１３に示された装置の確立の基で、前記設定されたルールは、アップリンク伝送の最大繰り返し回数に基づいてＨＡＲＱフィードバックを実行することであり、図１４に示されたように、前記第１決定モジュール１２２は、
各前記予備スケジューリングリソースに含まれる前記アップリンク伝送の繰り返し回数に従って、アップリンク伝送の最大繰り返し回数を決定するように構成される第２決定サブモジュール１４１と、
各前記アップリンク伝送のカットオフ時点に従って、前記アップリンク伝送の最大繰り返し回数に対応するアップリンク伝送のカットオフ時点を決定するように構成される第３決定サブモジュール１４２と、
前記アップリンク伝送の最大繰り返し回数に対応するアップリンク伝送のカットオフ時点に従って前記ＨＡＲＱフィードバック時点を決定するように構成される第４決定サブモジュール１４３であって、決定されたＨＡＲＱフィードバック時点は、前記アップリンク伝送の最大繰り返し回数に対応するアップリンク伝送のカットオフ時点の後の指定された位置に位置する第４決定サブモジュール１４３とを備えることができる。
【０１６９】
一実施例において、図１４に示された装置の確立の基で、前記ブラインド検出に対応するＨＡＲＱフィードバック情報は、復調成功を表す第１情報または復調失敗を表す第２情報を含み、図１５に示されたように、前記送信モジュール１２３は、
各前記アップリンク伝送のカットオフ時点のブラインド検出結果に対して、各前記ブラインド検出結果が復調成功を含む場合、前記ＨＡＲＱフィードバック時点に、前記第１情報を前記端末に送信するように構成される第１送信サブモジュール１５１と、
各前記ブラインド検出結果が前記復調成功を含まない場合、前記ＨＡＲＱフィードバック時点に、前記第２情報を前記端末に送信するように構成される第２送信サブモジュール１５２とを備えることができる。
【０１７０】
上記の実施例から分かるように、設定されたルールが、アップリンク伝送の最大繰り返し回数に基づいてＨＡＲＱフィードバックを実行することである場合、各予備スケジューリングリソースに含まれるアップリンク伝送の繰り返し回数に従って、アップリンク伝送の最大繰り返し回数を決定し、アップリンク伝送の最大繰り返し回数に対応するアップリンク伝送のカットオフ時点を決定し、およびアップリンク伝送の最大繰り返し回数に対応するアップリンク伝送のカットオフ時点に従って、ＨＡＲＱフィードバック時点を決定することができ、決定されたＨＡＲＱフィードバック時点は、前記アップリンク伝送の最大繰り返し回数に対応するアップリンク伝送のカットオフ時点の後の指定された位置に位置し、それにより、アップリンク伝送の最大繰り返し回数に基づいてＨＡＲＱフィードバックという機能を実現し、さらに、端末が正しいＨＡＲＱフィードバック情報を受信することができることを保証し、ＨＡＲＱフィードバックのサービス品質も向上させる。
【０１７１】
一実施例において、図１３に示された装置の確立の基で、前記設定されたルールは、各前記予備スケジューリングリソースに対応するアップリンク伝送のカットオフ時点の全てに対してＨＡＲＱフィードバックを実行することであり、図１６に示されたように、前記第１決定モジュール１２２は、
任意の前記アップリンク伝送のカットオフ時点に対して、前記アップリンク伝送のカットオフ時点に対応するＨＡＲＱフィードバック時点を決定するように構成される第５決定サブモジュール１６１を備えることができ、決定されたＨＡＲＱフィードバック時点は、当該アップリンク伝送のカットオフ時点の後の指定された位置に位置する。
【０１７２】
一実施例において、図１６に示された装置の確立の基で、図１７に示されたように、前記送信モジュール１２３は、
任意の前記アップリンク伝送のカットオフ時点のブラインド検出結果に対して、前記ブラインド検出結果が復調成功である場合、当該アップリンク伝送のカットオフ時点に対応するＨＡＲＱフィードバック時点に、前記第１情報を前記端末に送信するように構成される第３送信サブモジュール１７１と、
前記ブラインド検出結果が復調失敗である場合、当該アップリンク伝送のカットオフ時点に対応するＨＡＲＱフィードバック時点に、前記第２情報を前記端末に送信するように構成される第４送信サブモジュール１７２とを備えることができる。
【０１７３】
上記の実施例から分かるように、設定されたルールが、各予備スケジューリングリソースに対応するアップリンク伝送のカットオフ時点の全てに対してＨＡＲＱフィードバックを実行することである場合、先ず、各アップリンク伝送のカットオフ時点に対応するＨＡＲＱフィードバック時点を決定し、任意のアップリンク伝送のカットオフ時点のブラインド検出結果に対して、ブラインド検出結果が復調成功である場合、当該アップリンク伝送のカットオフ時点に対応するＨＡＲＱフィードバック時点に、復調成功を表す第１情報を端末に送信し、ブラインド検出結果が復調失敗である場合、当該アップリンク伝送のカットオフ時点に対応するＨＡＲＱフィードバック時点に復調失敗を表す第２情報を端末に送信し、それにより、各予備スケジューリングリソースに対応するアップリンク伝送のカットオフ時点の全てに対してＨＡＲＱフィードバックを実行するという機能を実現することができることとものに、端末が正しいＨＡＲＱフィードバック情報を受信することができることを保証するため、ＨＡＲＱフィードバックのサービススタイルが豊富になる。
【０１７４】
一実施例において、図１３に示された装置の確立の基で、前記設定されたルールは、ブラインド検出結果が復調成功である場合にのみＨＡＲＱフィードバックを実行することであり、図１８に示されたように、前記第１決定モジュール１２２は、
任意の前記アップリンク伝送のカットオフ時点に対して、当該アップリンク伝送のカットオフ時点に対応するＨＡＲＱフィードバック時点を決定するように構成される第６決定サブモジュール１８１を備えることができ、決定されたＨＡＲＱフィードバック時点は、当該アップリンク伝送のカットオフ時点の後の指定された位置に位置する。
【０１７５】
一実施例において、図１８に示された装置の確立の基で、図１９に示されたように、前記送信モジュール１２３は、
任意の前記アップリンク伝送のカットオフ時点のブラインド検出結果に対して、前記ブラインド検出結果が復調成功である場合、当該アップリンク伝送のカットオフ時点に対応するＨＡＲＱフィードバック時点に、前記第１情報を前記端末に送信するように構成される第５送信サブモジュール１９１と、
前記ブラインド検出結果が復調失敗である場合、当該アップリンク伝送のカットオフ時点に対応するＨＡＲＱフィードバック時点にＨＡＲＱフィードバックを実行しないように構成される第６送信サブモジュール１９２とを備えることができる。
【０１７６】
上記の実施例から分かるように、設定されたルールが、ブラインド検出結果が復調成功である場合にのみ、ＨＡＲＱフィードバックを実行することである場合、まず、各アップリンク伝送のカットオフ時点に対応するＨＡＲＱフィードバック時点を決定し、任意のアップリンク伝送のカットオフ時点のブラインド検出結果に対して、ブラインド検出結果が復調成功である場合、当該アップリンク伝送のカットオフ時点に対応するＨＡＲＱフィードバック時点に、復調成功を表す第１情報を端末に送信し、ブラインド検出結果が復調失敗である場合、当該アップリンク伝送のカットオフ時点に対応するＨＡＲＱフィードバック時点にＨＡＲＱフィードバックを実行せず、それにより、ブラインド検出結果が復調成功である場合にのみ、ＨＡＲＱフィードバックを実行するという機能を実現することができ、端末が正しいＨＡＲＱフィードバック情報を受信することができることを前提として、ＨＡＲＱフィードバックコンテンツおよびフィードバック回数が削減され、ＨＡＲＱフィードバックの効率が向上する。
【０１７７】
一実施例において、図１４、１６、１８に示された装置の確立の基で、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【０１７８】
図２０は、一例示的な実施例によって示されたＨＡＲＱフィードバック装置のブロック図であり、当該装置は、端末に使用されることができ、基地局は、当該端末に対して、ＥＤＴサービスを提供するための複数の予備スケジューリングリソースを割り当て、図７に示されたＨＡＲＱフィードバック方法を実行するように構成され、図２０に示されたように、当該ＨＡＲＱフィードバック装置は、
各前記予備スケジューリングリソースから１つの予備スケジューリングリソースを選択し、選択された予備スケジューリングリソース上でＥＤＴデータを基地局に送信するように構成される選択モジュール２０１と、
設定されたルールに従って、前記ＥＤＴデータに対応するＨＡＲＱフィードバック時点を決定するように構成される第２決定モジュール２０２と、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定するように構成される第３決定モジュール２０３とを備えることができる。
【０１７９】
上記の実施例から分かるように、各予備スケジューリングリソースから１つの予備スケジューリングリソースを選択し、選択された予備スケジューリングリソース上でＥＤＴデータを基地局に送信し、設定されたルールに従って、ＥＤＴデータに対応するＨＡＲＱフィードバック時点を決定し、およびＨＡＲＱフィードバック時点に、基地局によって送信されたＨＡＲＱフィードバック情報を受信した場合、ＨＡＲＱフィードバック情報に従ってＥＤＴデータの伝送結果を決定することにより、ＨＡＲＱフィードバックの信頼性を向上させ、ＥＤＴ伝送の効率も向上させることができる。
【０１８０】
一実施例において、図２０に示された装置の確立の基で、前記ＥＤＴデータは、前記端末がランダムアクセスプロセス中に伝送する必要があるアップリンクデータであり、且つ前記ランダムプロセス中のメッセージ３に配置される。
【０１８１】
一実施例において、図２０に示された装置の確立の基で、前記予備スケジューリングリソースは、伝送ブロックサイズ（ＴＢＳ）およびアップリンク伝送の繰り返し回数を含み、図２１に示されたように、前記選択モジュール２０１は、
各前記予備スケジューリングリソースに含まれる前記ＴＢＳおよび前記アップリンク伝送の繰り返し回数に従って、各前記予備スケジューリングリソースから１つの予備スケジューリングリソースを選択するように構成される選択サブモジュール２１１と、
選択された予備スケジューリングリソース上でＥＤＴデータを基地局に送信するように構成される送信サブモジュール２１２とを備えることができる。
【０１８２】
上記の実施例から分かるように、各予備スケジューリングリソースに含まれるＴＢＳおよびアップリンク伝送の繰り返し回数に従って、各予備スケジューリングリソースから１つの予備スケジューリングリソースを選択し、選択された予備スケジューリングリソース上でＥＤＴデータを基地局に送信することができ、それにより、予備スケジューリングリソースの精度を選択する。
【０１８３】
一実施例において、図２１に示された装置の確立の基で、前記設定されたルールは、アップリンク伝送の最大繰り返し回数に基づいてＨＡＲＱフィードバックを実行することであり、図２２に示されたように、前記第２決定モジュール２０２は、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定するように構成される第１時点決定サブモジュール２２１と、
各前記予備スケジューリングリソースに含まれる前記アップリンク伝送の繰り返し回数に従って、アップリンク伝送の最大繰り返し回数を決定するように構成される繰り返し回数決定サブモジュール２２２と、
各前記アップリンク伝送のカットオフ時点に従って、前記アップリンク伝送の最大繰り返し回数に対応するアップリンク伝送のカットオフ時点を決定するように構成される第２時点決定サブモジュール２２３と、
前記アップリンク伝送の最大繰り返し回数に対応するアップリンク伝送のカットオフ時点に従って前記ＨＡＲＱフィードバック時点を決定するように構成される第３時点決定サブモジュール２２４であって、決定されたＨＡＲＱフィードバック時点は、前記アップリンク伝送の最大繰り返し回数に対応するアップリンク伝送のカットオフ時点の後の指定された位置に位置する第３時点決定サブモジュール２２４とを備えることができる。
【０１８４】
一実施例において、図２２に示された装置の確立の基で、図２３に示されたように、前記第３決定モジュール２０３は、
前記ＨＡＲＱフィードバック時点に、前記基地局によって送信されたＨＡＲＱフィードバック情報を受信するように構成される第１受信サブモジュール２３１と、
前記ＨＡＲＱフィードバック情報が前記第１情報である場合、前記ＥＤＴデータの伝送結果が伝送成功であると決定するように構成される第１処理サブモジュール２３２と、
前記ＨＡＲＱフィードバック情報が前記第２情報である場合、前記ＥＤＴデータの伝送結果が伝送失敗であると決定するように構成される第２処理サブモジュール２３３とを備えることができる。
【０１８５】
上記の実施例から分かるように、設定されたルールが、アップリンク伝送の最大繰り返し回数に基づいてＨＡＲＱフィードバックを実行することである場合、各予備スケジューリングリソースに含まれるＴＢＳおよびアップリンク伝送の繰り返し回数に従って、各予備スケジューリングリソースに対応するアップリンク伝送のカットオフ時点を決定し、およびアップリンク伝送の最大繰り返し回数に対応するアップリンク伝送のカットオフ時点に従って、およびアップリンク伝送の最大繰り返し回数に対応するアップリンク伝送のカットオフ時点に従って、ＨＡＲＱフィードバック時点を決定することができ、決定されたＨＡＲＱフィードバック時点は、前記アップリンク伝送の最大繰り返し回数に対応するアップリンク伝送のカットオフ時点の後の指定された位置に位置し、それにより、アップリンク伝送の最大繰り返し回数に基づいてＨＡＲＱフィードバックを実行するという機能を実現し、さらに、端末が正しいＨＡＲＱフィードバック情報を受信することができることを保証し、ＨＡＲＱフィードバックのサービス品質も向上させる。
【０１８６】
一実施例において、図２１に示された装置の確立の基で、前記設定されたルールは、各前記予備スケジューリングリソースに対応するアップリンク伝送のカットオフ時点の全てに対してＨＡＲＱフィードバックを実行することであり、図２４に示されたように、前記第２決定モジュール２０２は、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定するように構成される第４時点決定サブモジュール２４１と、
前記選択された予備スケジューリングリソースに対応するアップリンク伝送のカットオフ時点に対して、前記アップリンク伝送のカットオフ時点に対応するＨＡＲＱフィードバック時点を決定するように構成される第５時点決定サブモジュール２４２であって、決定されたＨＡＲＱフィードバック時点は、前記アップリンク伝送のカットオフ時点の後の指定された位置に位置する第５時点決定サブモジュール２４２とを備えることができる。
【０１８７】
一実施例において、図２４に示された装置の確立の基で、前記ＨＡＲＱフィードバック情報は、復調成功を表す第１情報または復調失敗を表す第２情報を含み、図２５に示されたように、前記第３決定モジュール２０３は、
当該アップリンク伝送のカットオフ時点に対応するＨＡＲＱフィードバック時点に、前記基地局によって送信されたＨＡＲＱフィードバック情報を受信するように構成される第２受信サブモジュール２５１と、
前記ＨＡＲＱフィードバック情報が前記第１情報である場合、前記ＥＤＴデータの伝送結果が伝送成功であると決定するように構成される第３処理サブモジュール２５２と、
前記ＨＡＲＱフィードバック情報が前記第２情報である場合、前記ＥＤＴデータの伝送結果が伝送失敗であると決定するように構成される第４処理サブモジュール２５３とを備えることができる。
【０１８８】
上記の実施例から分かるように、設定されたルールが、各前記予備スケジューリングリソースに対応するアップリンク伝送のカットオフ時点の全てに対してＨＡＲＱフィードバックを実行することである場合、選択された予備スケジューリングリソースに対応するアップリンク伝送のカットオフ時点、および当該アップリンク伝送のカットオフ時点に対応するＨＡＲＱフィードバック時点のみを決定し、当該アップリンク伝送のカットオフ時点に対応するＨＡＲＱフィードバック時点に、基地局によって送信されたＨＡＲＱフィードバック情報を受信し、およびＨＡＲＱフィードバック情報が、復調成功を表す第１情報である場合、ＥＤＴデータの伝送結果が伝送成功であると決定し、ＨＡＲＱフィードバック情報が、復調失敗を表す第２情報である場合、ＥＤＴデータの伝送結果が伝送失敗であると決定ことができ、それにより、伝送結果の精度を向上させる。
【０１８９】
一実施例において、図２１に示された装置の確立の基で、前記設定されたルールは、ブラインド検出結果が復調成功である場合にのみＨＡＲＱフィードバックを実行することであり、図２６に示されたように、前記第２決定モジュール２０２は、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定するように構成される第６時点決定サブモジュール２６１と、
前記選択された予備スケジューリングリソースに対応するアップリンク伝送のカットオフ時点に対して、当該アップリンク伝送のカットオフ時点に対応するＨＡＲＱフィードバック時点を決定するように構成される第７時点決定サブモジュール２６２であって、決定されたＨＡＲＱフィードバック時点は、当該アップリンク伝送のカットオフ時点の後の指定された位置に位置する第７時点決定サブモジュール２６２とを備えることができる。
【０１９０】
一実施例において、図２６に示された装置の確立の基で、図２７に示されたように、前記第３決定モジュール２０３は、
当該アップリンク伝送のカットオフ時点に対応するＨＡＲＱフィードバック時点に、前記基地局によって送信されたＨＡＲＱフィードバック情報を受信し、且つ前記ＨＡＲＱフィードバック情報が前記第１情報である場合、前記ＥＤＴデータの伝送結果が伝送成功であると決定するように構成される第５処理サブモジュール２７１と、
当該アップリンク伝送のカットオフ時点に対応するＨＡＲＱフィードバック時点に、前記基地局によって送信されたＨＡＲＱフィードバック情報を受信しなかった場合、前記ＥＤＴデータの伝送結果が伝送失敗であると決定するように構成される第６処理サブモジュール２７２とを備えることができる。
【０１９１】
上記の実施例から分かるように、設定されたルール是ブラインド検出結果が復調成功である場合にのみＨＡＲＱフィードバックを実行する場合、選択された予備スケジューリングリソースに対応するアップリンク伝送のカットオフ時点、および当該アップリンク伝送のカットオフ時点に対応するＨＡＲＱフィードバック時点のみを決定し、当該アップリンク伝送のカットオフ時点に対応するＨＡＲＱフィードバック時点に、基地局によって送信されたＨＡＲＱフィードバック情報を受信し、且つＨＡＲＱフィードバック情報が復調成功を表す第１情報である場合、ＥＤＴデータの伝送結果が伝送成功であると決定し、当該アップリンク伝送のカットオフ時点に対応するＨＡＲＱフィードバック時点に、基地局によって送信されたＨＡＲＱフィードバック情報を受信しなかった場合、ＥＤＴデータの伝送結果が伝送失敗であると決定することができ、それにより、伝送結果の精度を保証する以外にも、ＨＡＲＱフィードバックコンテンツおよびフィードバック次数を削減して、ＨＡＲＱフィードバックの効率を向上させる。
【０１９２】
一実施例において、図２２、または図２４、または図２６に示された装置の確立の基で、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【０１９３】
装置の実施例において、それらは基本的に方法の実施例に対応するので、関連する部分は方法の実施例の説明の部分を参照することができる。上記で説明された装置の実施例は例示的なものに過ぎず、ここで、前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズに応じて、その中の一部または全てのモジュールを選択して本開示の技術案の目的を実現することができる。当業者は、創造的な努力なしに、理解して実施することができる。
【０１９４】
本開示は、非一時的なコンピュータ読み取り可能な記憶媒体をさらに提供し、前記記憶媒体にはコンピュータプログラムが記憶され、前記コンピュータプログラムは、上記の図１ないし図６Ｃのいずれか１つに記載のＨＡＲＱフィードバック方法を実行するために使用される。
【０１９５】
本開示は、非一時的なコンピュータ読み取り可能な記憶媒体をさらに提供し、前記記憶媒体にはコンピュータプログラムが記憶され、前記コンピュータプログラムは、上記の図７ないし図１１のいずれか１つに記載のＨＡＲＱフィードバック方法を実行するために使用される。
【０１９６】
本開示は、ＨＡＲＱフィードバック装置をさらに提供し、前記装置は基地局に使用され、前記基地局は、端末に対して、ＥＤＴサービスを提供するための複数の予備スケジューリングリソースを割り当て、前記装置は、
プロセッサと、
プロセッサ実行可能命令を記憶するように構成されるメモリを備え、
ここで、前記プロセッサは、
各前記予備スケジューリングリソース上で、前記端末から前記基地局に伝送したＥＤＴデータに対してブラインド検出を実行し、
設定されたルールに従って、前記ブラインド検出に対応するＨＡＲＱフィードバック時点を決定し、
前記ＨＡＲＱフィードバック時点に、前記ブラインド検出に対応するＨＡＲＱフィードバック情報を前記端末に送信するように構成される。
【０１９７】
図２８に示されたように、図２８は、一例示的な実施例によって示されたＨＡＲＱフィードバック装置の概略的な構造図である。装置２８００は、基地局として提供されてもよい。図２８を参照すると、装置２８００は、処理コンポーネント２８２２、無線送信／受信コンポーネント２８２４、アンテナコンポーネント２８２６、および無線インターフェースに固有の信号処理部を備え、処理コンポーネント２８２２は、さらに、１つまたは複数のプロセッサを備えることができる。
【０１９８】
処理コンポーネント２８２２における１つのプロセッサは、上述のいずれか１つに記載のＨＡＲＱフィードバック方法を実行するように構成される。
【０１９９】
本開示は、ＨＡＲＱフィードバック装置をさらに提供し、前記装置は端末に使用され、基地局は、前記端末に対して、早期データ送信（ＥＤＴ）サービスを提供するための複数の予備スケジューリングリソースを割り当て、前記装置は、
プロセッサと、
プロセッサ実行可能命令を記憶するように構成されるメモリを備え、
ここで、前記プロセッサは、
各前記予備スケジューリングリソースから１つの予備スケジューリングリソースを選択し、選択された予備スケジューリングリソース上でＥＤＴデータを基地局に送信し、
設定されたルールに従って、前記ＥＤＴデータに対応するＨＡＲＱフィードバック時点を決定し、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定するように構成される。
【０２００】
図２９は、一例示的な実施例によって示されたＨＡＲＱフィードバック装置の概略的な構造図である。図２９に示されたように、一例示的な実施例によって示されたＨＡＲＱフィードバック装置２９００によれば、当該装置２９００は、コンピュータ、携帯電話、デジタル放送端末、メッセージングデバイス、ゲームコンソール、タブレットデバイス、医療機器、フィットネス機器、携帯情報端末などの端末であってもよい。
【０２０１】
図２９を参照すると、装置２９００は、処理コンポーネント２９０１、メモリ２９０２、電力コンポーネント２９０３、マルチメディアコンポーネント２９０４、オーディオコンポーネント２９０５、入力／出力（Ｉ／Ｏ）インターフェース２９０６、センサコンポーネント２９０７、及び通信コンポーネント２９０８のうちの１つまたは複数のコンポーネットを備えることができる。
【０２０２】
処理コンポーネント２９０１は、一般的に、ディスプレイ、電話の呼び出し、データ通信、カメラ操作及び記録操作に関する操作のような装置２９００の全般的な操作を制御する。処理コンポーネント２９０１は、上記の方法のステップのすべてまたは一部を完了するために、１つまたは複数のプロセッサ２９０９を備えて命令を実行することができる。加えて、処理コンポーネント２９０１は、処理コンポーネント２９０１と他のコンポーネントの間の相互作用を容易にするために、１つまたは複数のモジュールを備えることができる。例えば、処理コンポーネント２９０１は、マルチメディアコンポーネント２９０４と処理コンポーネント２９０１との間の相互作用を容易にするために、マルチメディアモジュールを備えることができる。
【０２０３】
メモリ２９０２は、装置２９００での操作をサポートするために、様々なタイプのデータを格納するように構成される。これらのデータの例には、装置２９００で動作する任意のアプリケーションまたは方法の命令、連絡先データ、電話帳データ、メッセージ、写真、ビデオ等が含まれる。メモリ２９０２は、スタティックランダムアクセスメモリ（ＳＲＡＭ）、電気的に消去可能なプログラム可能な読み取り専用メモリ（ＥＥＰＲＯＭ）、消去可能なプログラム可能な読み取り専用メモリ（ＥＰＲＯＭ）、プログラム可能な読み取り専用メモリ（ＰＲＯＭ）、磁気メモリ、フラッシュメモリ、磁気ディスクまたは光ディスクなど、あらゆるタイプの揮発性または不揮発性ストレージデバイスまたはそれらの組み合わせによって実現されることができる。
【０２０４】
電力コンポーネント２９０３は、装置２９００の様々なコンポーネントに電力を提供する。電力コンポーネント２９０３は、電力管理システム、１つまたは複数の電源、及び装置２９００の電力の生成、管理および分配に関する他のコンポーネントを備えることができる。
【０２０５】
マルチメディアコンポーネント２９０４は、前記バッテリの充電装置２９００とユーザとの間の、出力インターフェースを提供するスクリーンを備える。いくつかの実施例において、スクリーンは、液晶ディスプレイ（ＬＣＤ）及びタッチパネル（ＴＰ）を備えることができる。スクリーンがタッチパネルを備える場合、スクリーンは、ユーザからの入力信号を受信するためのタッチスクリーンとして実装されることができる。タッチパネルは、タッチ、スワイプ及びタッチパネルでのジェスチャーを検知するための１つまたは複数のタッチセンサを備える。前記タッチセンサは、タッチまたはスワイプの操作の境界を感知するだけでなく、前記タッチまたはスワイプ動作に関連する持続時間及び圧力も検出することができる。いくつかの実施例において、マルチメディアコンポーネント２９０４は、１つのフロントカメラおよび／またはリアカメラを備える。装置２９００が撮影モードまたはビデオモードなどの動作モードにあるとき、フロントカメラおよび／またはリアカメラは、外部のマルチメディアデータを受信することができる。各フロントカメラ及びリアカメラは、固定された光学レンズシステムであり、または焦点距離と光学ズーム機能を持つことができる。
【０２０６】
オーディオコンポーネント２９０５は、オーディオ信号を出力および／または入力するように構成される。例えば、オーディオコンポーネント２９０５は、１つのマイクロフォン（ＭＩＣ）を備え、装置２９００が通話モード、録音モード及び音声認識モードなどの動作モードにあるとき、マイクロフォンは、外部オーディオ信号を受信するように構成される。受信されたオーディオ信号は、メモリ２９０２にさらに記憶されてもよく、または通信コンポーネント２９０８を介して送信されてもよい。  いくつかの実施例において、オーディオコンポーネント２９０５は、オーディオ信号を出力するためのスピーカをさらに備える。
【０２０７】
Ｉ／Ｏインターフェース２９０６は、処理コンポーネント２９０１と周辺インターフェースモジュールとの間にインターフェースを提供し、前記周辺インターフェースモジュールは、キーボード、クリックホイール、ボタンなどであってもよい。これらのボタンは、ホームボタン、ボリュームボタン、スタートボタン、ロックボタンを備えることができるが、これらに限定されない。
【０２０８】
センサコンポーネント２９０７は、装置２９００に各態様の状態の評価を提供するための１つまたは複数のセンサを備える。例えば、センサコンポーネント２９０７は、機器２９００のオン／オフ状態と、装置２９００のディスプレイやキーパッドなどのコンポーネントの相対的な位置づけを検出することができ、センサコンポーネント２９０７は、装置２９００または装置２９００のコンポーネントの位置の変化、ユーザとの装置２９００の接触の有無、装置２９００の向きまたは加速／減速、及び装置２９００の温度の変化も検出することができる。センサコンポ―ネット２９０７は、物理的接触なしに近くの物体の存在を検出するように構成された近接センサを備えることができる。センサコンポーネント２９０７は、撮像用途で使用するためのＣＭＯＳまたはＣＣＤ画像センサなどの光センサをさらに備えることができる。いくつかの実施例において、当該センサコンポーネント２９０７は、加速度センサ、ジャイロスコープセンサ、磁気センサ、圧力センサまたは温度センサをさらに備えることができる。
【０２０９】
通信コンポーネント２９０８は、装置２９００と他の装置の間の有線または無線通信を容易にするように構成される。装置２９００は、ＷｉＦｉ、２Ｇまたは３Ｇ、またはそれらの組み合わせなどの通信規格に基づく無線ネットワークにアクセスすることができる。一例示的な実施例において、前記通信コンポーネント２９０８は、放送チャンネルを介して外部放送管理システムからの放送信号または放送関連情報を受信する。一例示的な実施例において、前記通信コンポーネント２９０８は、短距離通信を促進するために、近距離通信（ＮＦＣ）モジュールをさらに備える。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術に基づいて具現することができる。
【０２１０】
例示的な実施例において、装置２９００は、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子によって具現されることができ、上記の方法を実行するように構成される。
【０２１１】
例示的な実施例において、命令を含むメモリ２９０２などの、命令を含む非一時的なコンピュータ読み取り可能な記憶媒体をさらに提供し、前記命令は、装置２９００のプロセッサ２９０９によって実行されて上記の方法を完了することができる。例えば、前記非一時的なコンピュータ読み取り可能な記憶媒体は、ＲＯＭ、ランダムアクセスメモリ（ＲＡＭ）、ＣＤ−ＲＯＭ、磁気テープ、フロッピー（登録商標）ディスクおよび光学データ記憶装置などであってもよい。
【０２１２】
ここで、前記記憶媒体の指令が前記プロセッサによって実行される時に、装置２９００が、上述のいずれか１つに記載のＨＡＲＱフィードバック方法を実行することができるようにする。
【０２１３】
本開示は、上記に既に説明し且つ図面に示した正確な構造に限定されるものではなく、その範囲から逸脱することなく様々な修正及び変更を行うことができることを理解されたい。本開示の範囲は、添付の特許請求の範囲によってのみ制限される。
【図１】
2021520152.tif 000003
【図２】
2021520152.tif 000004
【図３Ａ】
2021520152.tif 000005
【図３Ｂ】
2021520152.tif 000006
【図４Ａ】
2021520152.tif 000007
【図４Ｂ】
2021520152.tif 000008
【図５Ａ】
2021520152.tif 000009
【図５Ｂ】
2021520152.tif 000010
【図５Ｃ】
2021520152.tif 000011
【図６Ａ】
2021520152.tif 000012
【図６Ｂ】
2021520152.tif 000013
【図６Ｃ】
2021520152.tif 000014
【図７】
2021520152.tif 000015
【図８】
2021520152.tif 000016
【図９】
2021520152.tif 000017
【図１０】
2021520152.tif 000018
【図１１】
2021520152.tif 000019
【図１２】
2021520152.tif 000020
【図１３】
2021520152.tif 000021
【図１４】
2021520152.tif 000022
【図１５】
2021520152.tif 000023
【図１６】
2021520152.tif 000024
【図１７】
2021520152.tif 000025
【図１８】
2021520152.tif 000026
【図１９】
2021520152.tif 000027
【図２０】
2021520152.tif 000028
【図２１】
2021520152.tif 000029
【図２２】
2021520152.tif 000030
【図２３】
2021520152.tif 000031
【図２４】
2021520152.tif 000032
【図２５】
2021520152.tif 000033
【図２６】
2021520152.tif 000034
【図２７】
2021520152.tif 000035
【図２８】
2021520152.tif 000036
【図２９】
2021520152.tif 000037
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
ハイブリッド自動再送要求（ＨＡＲＱ）のフィードバック方法であって、
基地局に使用され、前記基地局は、端末に対して、早期データ送信（ＥＤＴ）サービスを提供するための複数の利用可能なスケジューリングリソースを割り当て、前記方法は、
各前記利用可能なスケジューリングリソース上で、前記端末から前記基地局に伝送したＥＤＴデータに対してブラインド検出を実行することと、
設定されたルールに従って、前記ブラインド検出に対応するＨＡＲＱフィードバック時点を決定することと、
前記ＨＡＲＱフィードバック時点に、前記ブラインド検出に対応するＨＡＲＱ情報を前記端末に送信することとを含むことを特徴とする、前記ＨＡＲＱフィードバック方法。
【請求項２】
前記ＥＤＴデータは、ランダムアクセスプロセス中に前記端末によって伝送されたアップリンクデータであり、且つ前記ランダムプロセス中のメッセージ３に配置されることを特徴とする、
請求項１に記載のＨＡＲＱフィードバック方法。
【請求項３】
前記利用可能なスケジューリングリソースは、伝送ブロックサイズ（ＴＢＳ）およびアップリンク伝送の繰り返し回数を含み、
前記各前記利用可能なスケジューリングリソース上で、前記端末から前記基地局に伝送したＥＤＴデータに対してブラインド検出を実行することは、
各前記利用可能なスケジューリングリソースに含まれる前記ＴＢＳおよび前記アップリンク伝送の繰り返し回数に従って、各前記利用可能なスケジューリングリソースに対応するアップリンク伝送のカットオフ時点を決定することと、
各前記アップリンク伝送のカットオフ時点に、前記ＥＤＴデータに対してブラインド検出を実行することとを含むことを特徴とする、
請求項１に記載のＨＡＲＱフィードバック方法。
【請求項４】
ハイブリッド自動再送要求（ＨＡＲＱ）フィードバック方法であって、
端末に使用され、基地局は、前記端末に対して、早期データ送信（ＥＤＴ）サービスを提供するための複数の利用可能なスケジューリングリソースを割り当て、前記方法は、
複数の前記利用可能なスケジューリングリソースから１つの利用可能なスケジューリングリソースを選択し、選択された利用可能なスケジューリングリソース上でＥＤＴデータを基地局に送信することと、
設定されたルールに従って、前記ＥＤＴデータに対応するＨＡＲＱフィードバック時点を決定することと、
前記ＨＡＲＱフィードバック時点に、前記基地局によって送信されたＨＡＲＱ情報を受信した場合、前記ＨＡＲＱ情報に従って前記ＥＤＴデータの伝送結果を決定することとを含むことを特徴とする、前記ＨＡＲＱフィードバック方法。
【請求項５】
前記ＥＤＴデータは、前記端末がランダムアクセスプロセス中に伝送する必要があるアップリンクデータであり、且つ前記ランダムプロセス中のメッセージ３に配置されることを特徴とする、
請求項４に記載のＨＡＲＱフィードバック方法。
【請求項６】
前記利用可能なスケジューリングリソースは、伝送ブロックサイズ（ＴＢＳ）およびアップリンク伝送の繰り返し回数を含み、
前記各前記利用可能なスケジューリングリソースから１つの利用可能なスケジューリングリソースを選択し、選択された利用可能なスケジューリングリソース上でＥＤＴデータを基地局に送信することは、
前記利用可能なスケジューリングリソースに含まれる前記ＴＢＳおよび前記アップリンク伝送の繰り返し回数に従って、複数の前記利用可能なスケジューリングリソースから１つの利用可能なスケジューリングリソースを選択することと、
選択された利用可能なスケジューリングリソース上でＥＤＴデータを基地局に送信することとを含むことを特徴とする、
請求項４に記載のＨＡＲＱフィードバック方法。
【請求項７】
前記設定されたルールは、アップリンク伝送の最大繰り返し回数に基づいてＨＡＲＱ情報をフィードバックすることであり、
前記設定されたルールに従って、前記ＥＤＴデータに対応するＨＡＲＱフィードバック時点を決定することは、
選択された利用可能なスケジューリングリソースに含まれる前記ＴＢＳおよび前記アップリンク伝送の繰り返し回数に従って、選択された利用可能なスケジューリングリソースに対応するアップリンク伝送のカットオフ時点を決定することと、
選択された利用可能なスケジューリングリソースに含まれる前記アップリンク伝送の繰り返し回数に従って、アップリンク伝送の最大繰り返し回数を決定することと、
前記アップリンク伝送のカットオフ時点に従って、前記アップリンク伝送の最大繰り返し回数に対応するアップリンク伝送のカットオフ時点を決定することと、
前記アップリンク伝送の最大繰り返し回数に対応するアップリンク伝送のカットオフ時点に従って前記ＨＡＲＱフィードバック時点を決定することであって、決定されたＨＡＲＱフィードバック時点は、前記アップリンク伝送の最大繰り返し回数に対応するアップリンク伝送のカットオフ時点の後の指定された位置に位置することとを含むことを特徴とする、
請求項６に記載のＨＡＲＱフィードバック方法。
【請求項８】
前記ＨＡＲＱ情報は、復調成功を表す第１情報または復調失敗を表す第２情報を含み、
前記ＨＡＲＱフィードバック時点に、前記基地局によって送信されたＨＡＲＱ情報を受信した場合、前記ＨＡＲＱ情報に従って前記ＥＤＴデータの伝送結果を決定することは、
前記ＨＡＲＱフィードバック時点に、前記基地局によって送信されたＨＡＲＱ情報を受信すること、および
前記ＨＡＲＱ情報が前記第１情報である場合、前記ＥＤＴデータの伝送結果が伝送成功であると決定すること、または
前記ＨＡＲＱ情報が前記第２情報である場合、前記ＥＤＴデータの伝送結果が伝送失敗であると決定することを含むことを特徴とする、
請求項７に記載のＨＡＲＱフィードバック方法。
【請求項９】
前記設定されたルールは、各前記利用可能なスケジューリングリソースに対応するアップリンク伝送のカットオフ時点の全てに対してＨＡＲＱフィードバックを実行することであり、
前記設定されたルールに従って、前記ＥＤＴデータに対応するＨＡＲＱフィードバック時点を決定することは、
前記選択された利用可能なスケジューリングリソースに含まれる前記ＴＢＳおよび前記アップリンク伝送の繰り返し回数に従って、前記選択された利用可能なスケジューリングリソースに対応するアップリンク伝送のカットオフ時点を決定することと、
前記選択された利用可能なスケジューリングリソースに対応するアップリンク伝送のカットオフ時点に対して、前記アップリンク伝送のカットオフ時点に対応するＨＡＲＱフィードバック時点を決定することであって、決定されたＨＡＲＱフィードバック時点は、前記アップリンク伝送のカットオフ時点の後の指定された位置に位置することとを含むことを特徴とする、
請求項６に記載のＨＡＲＱフィードバック方法。
【請求項１０】
前記ＨＡＲＱ情報は、復調成功を表す第１情報または復調失敗を表す第２情報を含み、
前記ＨＡＲＱフィードバック時点に、前記基地局によって送信されたＨＡＲＱ情報を受信した場合、前記ＨＡＲＱ情報に従って前記ＥＤＴデータの伝送結果を決定することは、
前記アップリンク伝送のカットオフ時点に対応するＨＡＲＱフィードバック時点に、前記基地局によって送信されたＨＡＲＱ情報を受信すること、および
前記ＨＡＲＱ情報が前記第１情報である場合、前記ＥＤＴデータの伝送結果が伝送成功であると決定すること、または
前記ＨＡＲＱ情報が前記第２情報である場合、前記ＥＤＴデータの伝送結果が伝送失敗であると決定することを含むことを特徴とする、
請求項９に記載のＨＡＲＱフィードバック方法。
【請求項１１】
前記設定されたルールは、ブラインド検出結果が復調成功である場合にのみＨＡＲＱフィードバックを実行することであり、
前記設定されたルールに従って、前記ＥＤＴデータに対応するＨＡＲＱフィードバック時点を決定することは、
前記選択された利用可能なスケジューリングリソースに含まれる前記ＴＢＳおよび前記アップリンク伝送の繰り返し回数に従って、前記選択された利用可能なスケジューリングリソースに対応するアップリンク伝送のカットオフ時点を決定することと、
前記選択された利用可能なスケジューリングリソースに対応するアップリンク伝送のカットオフ時点に対して、前記アップリンク伝送のカットオフ時点に対応するＨＡＲＱフィードバック時点を決定することであって、決定されたＨＡＲＱフィードバック時点は、前記アップリンク伝送のカットオフ時点の後の指定された位置に位置することとを含むことを特徴とする、
請求項６に記載のＨＡＲＱフィードバック方法。
【請求項１２】
前記ＨＡＲＱ情報は、復調成功を表す第１情報を含み、
前記ＨＡＲＱフィードバック時点に、前記基地局によって送信されたＨＡＲＱ情報を受信した場合、前記ＨＡＲＱ情報に従って前記ＥＤＴデータの伝送結果を決定することは、
前記アップリンク伝送のカットオフ時点に対応するＨＡＲＱフィードバック時点に、前記基地局によって送信されたＨＡＲＱ情報を受信し、且つ前記ＨＡＲＱ情報が前記第１情報である場合、前記ＥＤＴデータの伝送結果が伝送成功であると決定することと、
前記アップリンク伝送のカットオフ時点に対応するＨＡＲＱフィードバック時点に、前記基地局によって送信されたＨＡＲＱ情報を受信しなかった場合、前記ＥＤＴデータの伝送結果が伝送失敗であると決定することとを含むことを特徴とする、
請求項１１に記載のＨＡＲＱフィードバック方法。
【請求項１３】
前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示することを特徴とする、
請求項７または９または１１に記載のＨＡＲＱフィードバック方法。
【請求項１４】
ハイブリッド自動再送要求（ＨＡＲＱ）フィードバック装置であって、
基地局に使用され、前記基地局は、端末に対して、早期データ送信（ＥＤＴ）サービスを提供するための複数の利用可能なスケジューリングリソースを割り当て、前記装置は、
各前記利用可能なスケジューリングリソース上で、前記端末から前記基地局に伝送したＥＤＴデータに対してブラインド検出を実行するように構成される検出モジュールと、
設定されたルールに従って、前記ブラインド検出に対応するＨＡＲＱフィードバック時点を決定するように構成される第１決定モジュールと、
前記ＨＡＲＱフィードバック時点に、前記ブラインド検出に対応するＨＡＲＱ情報を前記端末に送信するように構成される送信モジュールとを備えることを特徴とする、前記ＨＡＲＱフィードバック装置。
【請求項１５】
ハイブリッド自動再送要求（ＨＡＲＱ）フィードバック装置であって、
端末に使用され、基地局は、前記端末に対して、早期データ送信（ＥＤＴ）サービスを提供するための複数の利用可能なスケジューリングリソースを割り当て、前記装置は、
複数の前記利用可能なスケジューリングリソースから１つの利用可能なスケジューリングリソースを選択し、選択された利用可能なスケジューリングリソース上でＥＤＴデータを基地局に送信するように構成される選択モジュールと、
設定されたルールに従って、前記ＥＤＴデータに対応するＨＡＲＱフィードバック時点を決定するように構成される第２決定モジュールと、
前記ＨＡＲＱフィードバック時点に、前記基地局によって送信されたＨＡＲＱ情報を受信した場合、前記ＨＡＲＱ情報に従って前記ＥＤＴデータの伝送結果を決定するように構成される第３決定モジュールとを備えることを特徴とする、前記ＨＡＲＱフィードバック装置。
【請求項１６】
前記ＥＤＴデータは、前記端末がランダムアクセスプロセス中に伝送する必要があるアップリンクデータであり、且つ前記ランダムプロセス中のメッセージ３に配置されることを特徴とする、
請求項１５に記載のＨＡＲＱフィードバック装置。
【請求項１７】
前記利用可能なスケジューリングリソースは、伝送ブロックサイズ（ＴＢＳ）およびアップリンク伝送の繰り返し回数を含み、
前記選択モジュールは、
前記利用可能なスケジューリングリソースに含まれる前記ＴＢＳおよび前記アップリンク伝送の繰り返し回数に従って、複数の前記利用可能なスケジューリングリソースから１つの利用可能なスケジューリングリソースを選択するように構成される選択サブモジュールと、
選択された利用可能なスケジューリングリソース上でＥＤＴデータを基地局に送信するように構成される送信サブモジュールとを備えることを特徴とする、
請求項１５に記載のＨＡＲＱフィードバック装置。
【請求項１８】
前記設定されたルールは、アップリンク伝送の最大繰り返し回数に基づいてＨＡＲＱ情報をフィードバックすることであり、
前記第２決定モジュールは、
選択された利用可能なスケジューリングリソースに含まれる前記ＴＢＳおよび前記アップリンク伝送の繰り返し回数に従って、選択された利用可能なスケジューリングリソースに対応するアップリンク伝送のカットオフ時点を決定するように構成される第１時点決定サブモジュールと、
選択された利用可能なスケジューリングリソースに含まれる前記アップリンク伝送の繰り返し回数に従って、アップリンク伝送の最大繰り返し回数を決定するように構成される繰り返し回数決定サブモジュールと、
前記アップリンク伝送のカットオフ時点に従って、前記アップリンク伝送の最大繰り返し回数に対応するアップリンク伝送のカットオフ時点を決定するように構成される第２時点決定サブモジュールと、
前記アップリンク伝送の最大繰り返し回数に対応するアップリンク伝送のカットオフ時点に従って前記ＨＡＲＱフィードバック時点を決定するように構成される第３時点決定サブモジュールであって、決定されたＨＡＲＱフィードバック時点は、前記アップリンク伝送の最大繰り返し回数に対応するアップリンク伝送のカットオフ時点の後の指定された位置に位置する第３時点決定サブモジュールとを備えることを特徴とする、
請求項１７に記載のＨＡＲＱフィードバック装置。
【請求項１９】
コンピュータ命令が記憶された非一時的なコンピュータ読み取り可能な記憶媒体であって、
前記コンピュータプログラムは、請求項１ないし３のいずれか一項に記載のＨＡＲＱフィードバック方法を実行するために使用されることを特徴とする、前記非一時的なコンピュータ読み取り可能な記憶媒体。
【請求項２０】
コンピュータプログラムが記憶された非一時的なコンピュータ読み取り可能な記憶媒体であって、
前記コンピュータプログラムは、請求項４ないし１３のいずれか一項に記載のＨＡＲＱフィードバック方法を実行するために使用されることを特徴とする、前記非一時的なコンピュータ読み取り可能な記憶媒体。
【請求項２１】
ハイブリッド自動再送要求（ＨＡＲＱ）フィードバック装置であって、
基地局に使用され、前記基地局は、端末に対して、早期データ送信（ＥＤＴ）サービスを提供するための複数の利用可能なスケジューリングリソースを割り当て、前記装置は、
プロセッサと、
プロセッサ実行可能命令を記憶するように構成されるメモリとを備え、
前記プロセッサは、
各前記利用可能なスケジューリングリソース上で、前記端末から前記基地局に伝送したＥＤＴデータに対してブラインド検出を実行し、
設定されたルールに従って、前記ブラインド検出に対応するＨＡＲＱフィードバック時点を決定し、
前記ＨＡＲＱフィードバック時点に、前記ブラインド検出に対応するＨＡＲＱ情報を前記端末に送信するように構成されることを特徴とする、前記ＨＡＲＱフィードバック装置。
【請求項２２】
ハイブリッド自動再送要求（ＨＡＲＱ）フィードバック装置であって、
端末に使用され、基地局は、前記端末に対して、早期データ送信（ＥＤＴ）サービスを提供するための複数の利用可能なスケジューリングリソースを割り当て、前記装置は、
プロセッサと、
プロセッサ実行可能命令を記憶するように構成されるメモリとを備え、
前記プロセッサは、
複数の前記利用可能なスケジューリングリソースから１つの利用可能なスケジューリングリソースを選択し、選択された利用可能なスケジューリングリソース上でＥＤＴデータを基地局に送信し、
設定されたルールに従って、前記ＥＤＴデータに対応するＨＡＲＱフィードバック時点を決定し、
前記ＨＡＲＱフィードバック時点に、前記基地局によって送信されたＨＡＲＱ情報を受信した場合、前記ＨＡＲＱ情報に従って前記ＥＤＴデータの伝送結果を決定するように構成されることを特徴とする、前記ＨＡＲＱフィードバック装置。
【手続補正２】
【補正対象書類名】明細書
【補正対象項目名】全文
【補正方法】変更
【補正の内容】
【発明の詳細な説明】
【技術分野】
【０００１】
本開示は、通信技術分野に関し、特に、ＨＡＲＱフィードバック方法および装置に関する。
【背景技術】
【０００２】
狭帯域モノのインターネット（ＮＢ−ＩｏＴ：Ｎａｒｒｏｗ  ｂａｎｄ  Ｉｎｔｅｒｎｅｔ  ｏｆ  ｔｈｉｎｇｓ）およびマシンタイプ通信（ＭＴＣ：Ｍａｃｈｉｎｅ  ｔｙｐｅ  ｃｏｍｍｕｎｉｃａｔｉｏｎ）は、非常に有望なセルラーＩｏＴ技術であり、広く使用されている。さらに、ＮＢ−ＩｏＴおよびＭＴＣにおいて、伝送遅延をさらに削減し、電力を節約するために、ランダムアクセスプロセス中にアップリンクデータを伝送するメカニズムが導入され、それをデータ抽出伝送（ＥＤＴ：Ｅａｒｌｙ  Ｄａｔａ  Ｔｒａｎｓｍｉｓｓｉｏｎ  ｄｕｒｉｎｇ  ＲＡＣＨ）と略称する。ここで、ＲＡＣＨとは、ランダムアクセスチャネル（Ｒａｎｄｏｍ  Ａｃｃｅｓｓ  ＣＨａｎｎｅｌ）を指す。ただし、既存のＥＤＴプロセスでは、基地局と端末がハイブリッド自動再送要求（ＨＡＲＱ：Ｈｙｂｒｉｄ  Ａｕｔｏｍａｔｉｃ  Ｒｅｐｅａｔ  ｒｅｑｕｅｓｔ）フィードバックコンテンツと時間が一致しないため、伝送品質が低下する。
【発明の概要】
【発明が解決しようとする課題】
【０００３】
関連技術に存在する問題を解決するために、本開示の実施例は、ＨＡＲＱフィードバック方法および装置を提供する。
【課題を解決するための手段】
【０００４】
本開示の実施例の第１態様によれば、ＨＡＲＱフィードバック方法を提供し、前記方法は基地局に使用され、前記基地局は、端末に対して、早期データ送信（ＥＤＴ）サービスを提供するための複数の利用可能なスケジューリングリソースを割り当て、前記方法は、
各前記利用可能なスケジューリングリソース上で、前記端末から前記基地局に伝送したＥＤＴデータに対してブラインド検出を実行することと、
設定されたルールに従って、前記ブラインド検出に対応するＨＡＲＱフィードバック時点を決定することと、
前記ＨＡＲＱフィードバック時点に、前記ブラインド検出に対応するＨＡＲＱ情報を前記端末に送信することとを含む。
【０００５】
一実施例において、前記ＥＤＴデータは、ランダムアクセスプロセス中に前記端末によって伝送されたアップリンクデータであり、且つ前記ランダムプロセス中のメッセージ３に配置される。
【０００６】
一実施例において、前記利用可能なスケジューリングリソースは、伝送ブロックサイズ（ＴＢＳ）およびアップリンク伝送の繰り返し回数を含み、
前記各前記利用可能なスケジューリングリソース上で、前記端末から前記基地局に伝送したＥＤＴデータに対してブラインド検出を実行することは、
各前記利用可能なスケジューリングリソースに含まれる前記ＴＢＳおよび前記アップリンク伝送の繰り返し回数に従って、各前記利用可能なスケジューリングリソースに対応するアップリンク伝送のカットオフ時点を決定することと、
各前記アップリンク伝送のカットオフ時点に、前記ＥＤＴデータに対してブラインド検出を実行することとを含む。
【０００７】
一実施例において、前記設定されたルールは、アップリンク伝送の最大繰り返し回数に基づいてＨＡＲＱフィードバックを実行することであり、
前記設定されたルールに従って、前記ブラインド検出に対応するＨＡＲＱフィードバック時点を決定することは、
各前記利用可能なスケジューリングリソースに含まれる前記アップリンク伝送の繰り返し回数に従って、アップリンク伝送の最大繰り返し回数を決定することと、
各前記アップリンク伝送のカットオフ時点に従って、前記アップリンク伝送の最大繰り返し回数に対応するアップリンク伝送のカットオフ時点を決定することと、
前記アップリンク伝送の最大繰り返し回数に対応するアップリンク伝送のカットオフ時点に従って前記ＨＡＲＱフィードバック時点を決定することであって、決定されたＨＡＲＱフィードバック時点は、前記アップリンク伝送の最大繰り返し回数に対応するアップリンク伝送のカットオフ時点の後の指定された位置に位置することとを含む。
【０００８】
一実施例において、前記ブラインド検出に対応するＨＡＲＱ情報は、復調成功を表す第１情報または復調失敗を表す第２情報を含み、
前記ＨＡＲＱフィードバック時点に、前記ブラインド検出に対応するＨＡＲＱ情報を前記端末に送信することは、
各前記アップリンク伝送のカットオフ時点のブラインド検出結果に対して、各前記ブラインド検出結果が復調成功を含む場合、前記ＨＡＲＱフィードバック時点に、前記第１情報を前記端末に送信することと、
各前記ブラインド検出結果が前記復調成功を含まない場合、前記ＨＡＲＱフィードバック時点に、前記第２情報を前記端末に送信することとを含む。
【０００９】
一実施例において、前記設定されたルールは、各前記利用可能なスケジューリングリソースに対応するアップリンク伝送のカットオフ時点の全てに対してＨＡＲＱフィードバックを実行することであり、
前記設定されたルールに従って、前記ブラインド検出に対応するＨＡＲＱフィードバック時点を決定することは、
任意の前記アップリンク伝送のカットオフ時点に対して、前記アップリンク伝送のカットオフ時点に対応するＨＡＲＱフィードバック時点を決定することを含み、決定されたＨＡＲＱフィードバック時点は、前記アップリンク伝送のカットオフ時点の後の指定された位置に位置する。
【００１０】
一実施例において、前記ブラインド検出に対応するＨＡＲＱ情報は、復調成功を表す第１情報または復調失敗を表す第２情報を含み、
前記ＨＡＲＱフィードバック時点に、前記ブラインド検出に対応するＨＡＲＱ情報を前記端末に送信することは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信することと、
前記ブラインド検出結果が復調失敗である場合、前記アップリンク伝送のカットオフ時点に対応するＨＡＲＱフィードバック時点に、前記第２情報を前記端末に送信することとを含む。
【００１１】
一実施例において、前記設定されたルールは、ブラインド検出結果が復調成功である場合にのみＨＡＲＱフィードバックを実行することであり、
前記設定されたルールに従って、前記ブラインド検出に対応するＨＡＲＱフィードバック時点を決定することは、
任意の前記アップリンク伝送のカットオフ時点に対して、前記アップリンク伝送のカットオフ時点に対応するＨＡＲＱフィードバック時点を決定することを含み、決定されたＨＡＲＱフィードバック時点は、前記アップリンク伝送のカットオフ時点の後の指定された位置に位置する。
【００１２】
一実施例において、前記ブラインド検出に対応するＨＡＲＱ情報は、復調成功を表す第１情報を含み、
前記ＨＡＲＱフィードバック時点に、前記ブラインド検出に対応するＨＡＲＱ情報を前記端末に送信することは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信することと、
前記ブラインド検出結果が復調失敗である場合、前記アップリンク伝送のカットオフ時点に対応するＨＡＲＱフィードバック時点にＨＡＲＱフィードバックを実行しないこととを含む。
【００１３】
一実施例において、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【００１４】
本開示の実施例の第２態様によれば、ＨＡＲＱフィードバック方法を提供し、前記方法は端末に使用され、基地局は、前記端末に対して、早期データ送信（ＥＤＴ）サービスを提供するための複数の利用可能なスケジューリングリソースを割り当て、前記方法は、
各前記利用可能なスケジューリングリソースから１つの利用可能なスケジューリングリソースを選択し、選択された利用可能なスケジューリングリソース上でＥＤＴデータを基地局に送信することと、
設定されたルールに従って、前記ＥＤＴデータに対応するＨＡＲＱフィードバック時点を決定することと、
前記ＨＡＲＱフィードバック時点に、前記基地局によって送信されたＨＡＲＱ情報を受信した場合、前記ＨＡＲＱ情報に従って前記ＥＤＴデータの伝送結果を決定することとを含む。
【００１５】
一実施例において、前記ＥＤＴデータは、前記端末がランダムアクセスプロセス中に伝送する必要があるアップリンクデータであり、且つ前記ランダムプロセス中のメッセージ３に配置される。
【００１６】
一実施例において、前記利用可能なスケジューリングリソースは、伝送ブロックサイズ（ＴＢＳ）およびアップリンク伝送の繰り返し回数を含み、
前記各前記利用可能なスケジューリングリソースから１つの利用可能なスケジューリングリソースを選択し、選択された利用可能なスケジューリングリソース上でＥＤＴデータを基地局に送信することは、
各前記利用可能なスケジューリングリソースに含まれる前記ＴＢＳおよび前記アップリンク伝送の繰り返し回数に従って、各前記利用可能なスケジューリングリソースから１つの利用可能なスケジューリングリソースを選択することと、
選択された利用可能なスケジューリングリソース上でＥＤＴデータを基地局に送信することとを含む。
【００１７】
一実施例において、前記設定されたルールは、アップリンク伝送の最大繰り返し回数に基づいてＨＡＲＱフィードバックを実行することであり、
前記設定されたルールに従って、前記ＥＤＴデータに対応するＨＡＲＱフィードバック時点を決定することは、
各前記利用可能なスケジューリングリソースに含まれる前記ＴＢＳおよび前記アップリンク伝送の繰り返し回数に従って、各前記利用可能なスケジューリングリソースに対応するアップリンク伝送のカットオフ時点を決定することと、
各前記利用可能なスケジューリングリソースに含まれる前記アップリンク伝送の繰り返し回数に従って、アップリンク伝送の最大繰り返し回数を決定することと、
各前記アップリンク伝送のカットオフ時点に従って、前記アップリンク伝送の最大繰り返し回数に対応するアップリンク伝送のカットオフ時点を決定することと、
前記アップリンク伝送の最大繰り返し回数に対応するアップリンク伝送のカットオフ時点に従って前記ＨＡＲＱフィードバック時点を決定することであって、決定されたＨＡＲＱフィードバック時点は、前記アップリンク伝送の最大繰り返し回数に対応するアップリンク伝送のカットオフ時点の後の指定された位置に位置することとを含む。
【００１８】
一実施例において、前記ＨＡＲＱ情報は、復調成功を表す第１情報または復調失敗を表す第２情報を含み、
前記ＨＡＲＱフィードバック時点に、前記基地局によって送信されたＨＡＲＱ情報を受信した場合、前記ＨＡＲＱ情報に従って前記ＥＤＴデータの伝送結果を決定することは、
前記ＨＡＲＱフィードバック時点に、前記基地局によって送信されたＨＡＲＱ情報を受信することと、
前記ＨＡＲＱ情報が前記第１情報である場合、前記ＥＤＴデータの伝送結果が伝送成功であると決定することと、
前記ＨＡＲＱ情報が前記第２情報である場合、前記ＥＤＴデータの伝送結果が伝送失敗であると決定することとを含む。
【００１９】
一実施例において、前記設定されたルールは、各前記利用可能なスケジューリングリソースに対応するアップリンク伝送のカットオフ時点の全てに対してＨＡＲＱフィードバックを実行することであり、
前記設定されたルールに従って、前記ＥＤＴデータに対応するＨＡＲＱフィードバック時点を決定することは、
前記選択された利用可能なスケジューリングリソースに含まれる前記ＴＢＳおよび前記アップリンク伝送の繰り返し回数に従って、前記選択された利用可能なスケジューリングリソースに対応するアップリンク伝送のカットオフ時点を決定することと、
前記選択された利用可能なスケジューリングリソースに対応するアップリンク伝送のカットオフ時点に対して、前記アップリンク伝送のカットオフ時点に対応するＨＡＲＱフィードバック時点を決定することであって、決定されたＨＡＲＱフィードバック時点は、前記アップリンク伝送のカットオフ時点の後の指定された位置に位置することとを含む。
【００２０】
一実施例において、前記ＨＡＲＱ情報は、復調成功を表す第１情報または復調失敗を表す第２情報を含み、
前記ＨＡＲＱフィードバック時点に、前記基地局によって送信されたＨＡＲＱ情報を受信した場合、前記ＨＡＲＱ情報に従って前記ＥＤＴデータの伝送結果を決定することは、
前記アップリンク伝送のカットオフ時点に対応するＨＡＲＱフィードバック時点に、前記基地局によって送信されたＨＡＲＱ情報を受信することと、
前記ＨＡＲＱ情報が前記第１情報である場合、前記ＥＤＴデータの伝送結果が伝送成功であると決定することと、
前記ＨＡＲＱ情報が前記第２情報である場合、前記ＥＤＴデータの伝送結果が伝送失敗であると決定することとを含む。
【００２１】
一実施例において、前記設定されたルールは、ブラインド検出結果が復調成功である場合にのみＨＡＲＱフィードバックを実行することであり、
前記設定されたルールに従って、前記ＥＤＴデータに対応するＨＡＲＱフィードバック時点を決定することは、
前記選択された利用可能なスケジューリングリソースに含まれる前記ＴＢＳおよび前記アップリンク伝送の繰り返し回数に従って、前記選択された利用可能なスケジューリングリソースに対応するアップリンク伝送のカットオフ時点を決定することと、
前記選択された利用可能なスケジューリングリソースに対応するアップリンク伝送のカットオフ時点に対して、前記アップリンク伝送のカットオフ時点に対応するＨＡＲＱフィードバック時点を決定することであって、決定されたＨＡＲＱフィードバック時点は、前記アップリンク伝送のカットオフ時点の後の指定された位置に位置することとを含む。
【００２２】
一実施例において、前記ＨＡＲＱ情報は、復調成功を表す第１情報を含み、
前記ＨＡＲＱフィードバック時点に、前記基地局によって送信されたＨＡＲＱ情報を受信した場合、前記ＨＡＲＱ情報に従って前記ＥＤＴデータの伝送結果を決定することは、
前記アップリンク伝送のカットオフ時点に対応するＨＡＲＱフィードバック時点に、前記基地局によって送信されたＨＡＲＱ情報を受信し、且つ前記ＨＡＲＱ情報が前記第１情報である場合、前記ＥＤＴデータの伝送結果が伝送成功であると決定することと、
前記アップリンク伝送のカットオフ時点に対応するＨＡＲＱフィードバック時点に、前記基地局によって送信されたＨＡＲＱ情報を受信しなかった場合、前記ＥＤＴデータの伝送結果が伝送失敗であると決定することとを含む。
【００２３】
一実施例において、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【００２４】
本開示の実施例の第３態様によれば、ＨＡＲＱフィードバック装置を提供し、前記装置は基地局に使用され、前記基地局は、端末に対して、早期データ送信（ＥＤＴ）サービスを提供するための複数の利用可能なスケジューリングリソースを割り当て、前記装置は、
各前記利用可能なスケジューリングリソース上で、前記端末から前記基地局に伝送したＥＤＴデータに対してブラインド検出を実行するように構成される検出モジュールと、
設定されたルールに従って、前記ブラインド検出に対応するＨＡＲＱフィードバック時点を決定するように構成される第１決定モジュールと、
前記ＨＡＲＱフィードバック時点に、前記ブラインド検出に対応するＨＡＲＱ情報を前記端末に送信するように構成される送信モジュールとを備える。
【００２５】
一実施例において、前記ＥＤＴデータは、ランダムアクセスプロセス中に前記端末によって伝送されたアップリンクデータであり、且つ前記ランダムプロセス中のメッセージ３に配置される。
【００２６】
一実施例において、前記利用可能なスケジューリングリソースは、伝送ブロックサイズ（ＴＢＳ）およびアップリンク伝送の繰り返し回数を含み、
前記検出モジュールは、
各前記利用可能なスケジューリングリソースに含まれる前記ＴＢＳおよび前記アップリンク伝送の繰り返し回数に従って、各前記利用可能なスケジューリングリソースに対応するアップリンク伝送のカットオフ時点を決定するように構成される第１決定サブモジュールと、
各前記アップリンク伝送のカットオフ時点に、前記ＥＤＴデータに対してブラインド検出を実行するように構成される検出サブモジュールとを備える。
【００２７】
一実施例において、前記設定されたルールは、アップリンク伝送の最大繰り返し回数に基づいてＨＡＲＱフィードバックを実行することであり、
前記第１決定モジュールは、
各前記利用可能なスケジューリングリソースに含まれる前記アップリンク伝送の繰り返し回数に従って、アップリンク伝送の最大繰り返し回数を決定するように構成される第２決定サブモジュールと、
各前記アップリンク伝送のカットオフ時点に従って、前記アップリンク伝送の最大繰り返し回数に対応するアップリンク伝送のカットオフ時点を決定するように構成される第３決定サブモジュールと、
前記アップリンク伝送の最大繰り返し回数に対応するアップリンク伝送のカットオフ時点に従って前記ＨＡＲＱフィードバック時点を決定するように構成される第４決定サブモジュールであって、決定されたＨＡＲＱフィードバック時点は、前記アップリンク伝送の最大繰り返し回数に対応するアップリンク伝送のカットオフ時点の後の指定された位置に位置する第４決定サブモジュールとを備える。
【００２８】
一実施例において、前記ブラインド検出に対応するＨＡＲＱ情報は、復調成功を表す第１情報または復調失敗を表す第２情報を含み、
前記送信モジュールは、
各前記アップリンク伝送のカットオフ時点のブラインド検出結果に対して、各前記ブラインド検出結果が復調成功を含む場合、前記ＨＡＲＱフィードバック時点に、前記第１情報を前記端末に送信するように構成される第１送信サブモジュールと、
各前記ブラインド検出結果が前記復調成功を含まない場合、前記ＨＡＲＱフィードバック時点に、前記第２情報を前記端末に送信するように構成される第２送信サブモジュールとを備える。
【００２９】
一実施例において、前記設定されたルールは、各前記利用可能なスケジューリングリソースに対応するアップリンク伝送のカットオフ時点の全てに対してＨＡＲＱフィードバックを実行することであり、
前記第１決定モジュールは、
任意の前記アップリンク伝送のカットオフ時点に対して、前記アップリンク伝送のカットオフ時点に対応するＨＡＲＱフィードバック時点を決定するように構成される第５決定サブモジュールを備え、決定されたＨＡＲＱフィードバック時点は、前記アップリンク伝送のカットオフ時点の後の指定された位置に位置する。
【００３０】
一実施例において、前記ブラインド検出に対応するＨＡＲＱ情報は、復調成功を表す第１情報または復調失敗を表す第２情報を含み、
前記送信モジュールは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信するように構成される第３送信サブモジュールと、
前記ブラインド検出結果が復調失敗である場合、前記アップリンク伝送のカットオフ時点に対応するＨＡＲＱフィードバック時点に、前記第２情報を前記端末に送信するように構成される第４送信サブモジュールとを備える。
【００３１】
一実施例において、前記設定されたルールは、ブラインド検出結果が復調成功である場合にのみＨＡＲＱフィードバックを実行することであり、
前記第１決定モジュールは、
任意の前記アップリンク伝送のカットオフ時点に対して、前記アップリンク伝送のカットオフ時点に対応するＨＡＲＱフィードバック時点を決定するように構成される第６決定サブモジュールを備え、決定されたＨＡＲＱフィードバック時点は、前記アップリンク伝送のカットオフ時点の後の指定された位置に位置する。
【００３２】
一実施例において、前記ブラインド検出に対応するＨＡＲＱ情報は、復調成功を表す第１情報を含み、
前記送信モジュールは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信するように構成される第５送信サブモジュールと、
前記ブラインド検出結果が復調失敗である場合、前記アップリンク伝送のカットオフ時点に対応するＨＡＲＱフィードバック時点にＨＡＲＱフィードバックを実行しないように構成される第６送信サブモジュールとを備える。
【００３３】
一実施例において、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【００３４】
本開示の実施例の第４態様によれば、ＨＡＲＱフィードバック装置を提供し、前記装置は端末に使用され、基地局は、前記端末に対して、早期データ送信（ＥＤＴ）サービスを提供するための複数の利用可能なスケジューリングリソースを割り当て、前記装置は、
各前記利用可能なスケジューリングリソースから１つの利用可能なスケジューリングリソースを選択し、選択された利用可能なスケジューリングリソース上でＥＤＴデータを基地局に送信するように構成される選択モジュールと、
設定されたルールに従って、前記ＥＤＴデータに対応するＨＡＲＱフィードバック時点を決定するように構成される第２決定モジュールと、
前記ＨＡＲＱフィードバック時点に、前記基地局によって送信されたＨＡＲＱ情報を受信した場合、前記ＨＡＲＱ情報に従って前記ＥＤＴデータの伝送結果を決定するように構成される第３決定モジュールとを備える。
【００３５】
一実施例において、前記ＥＤＴデータは、前記端末がランダムアクセスプロセス中に伝送する必要があるアップリンクデータであり、且つ前記ランダムプロセス中のメッセージ３に配置される。
【００３６】
一実施例において、前記利用可能なスケジューリングリソースは、伝送ブロックサイズ（ＴＢＳ）およびアップリンク伝送の繰り返し回数を含み、
前記選択モジュールは、
各前記利用可能なスケジューリングリソースに含まれる前記ＴＢＳおよび前記アップリンク伝送の繰り返し回数に従って、各前記利用可能なスケジューリングリソースから１つの利用可能なスケジューリングリソースを選択するように構成される選択サブモジュールと、
選択された利用可能なスケジューリングリソース上でＥＤＴデータを基地局に送信するように構成される送信サブモジュールとを備える。
【００３７】
一実施例において、前記設定されたルールは、アップリンク伝送の最大繰り返し回数に基づいてＨＡＲＱフィードバックを実行することであり、
前記第２決定モジュールは、
各前記利用可能なスケジューリングリソースに含まれる前記ＴＢＳおよび前記アップリンク伝送の繰り返し回数に従って、各前記利用可能なスケジューリングリソースに対応するアップリンク伝送のカットオフ時点を決定するように構成される第１時点決定サブモジュールと、
各前記利用可能なスケジューリングリソースに含まれる前記アップリンク伝送の繰り返し回数に従って、アップリンク伝送の最大繰り返し回数を決定するように構成される繰り返し回数決定サブモジュールと、
各前記アップリンク伝送のカットオフ時点に従って、前記アップリンク伝送の最大繰り返し回数に対応するアップリンク伝送のカットオフ時点を決定するように構成される第２時点決定サブモジュールと、
前記アップリンク伝送の最大繰り返し回数に対応するアップリンク伝送のカットオフ時点に従って前記ＨＡＲＱフィードバック時点を決定するように構成される第３時点決定サブモジュールであって、決定されたＨＡＲＱフィードバック時点は、前記アップリンク伝送の最大繰り返し回数に対応するアップリンク伝送のカットオフ時点の後の指定された位置に位置する第３時点決定サブモジュールとを備える。
【００３８】
一実施例において、前記ＨＡＲＱ情報は、復調成功を表す第１情報または復調失敗を表す第２情報を含み、
前記第３決定モジュールは、
前記ＨＡＲＱフィードバック時点に、前記基地局によって送信されたＨＡＲＱ情報を受信するように構成される第１受信サブモジュールと、
前記ＨＡＲＱ情報が前記第１情報である場合、前記ＥＤＴデータの伝送結果が伝送成功であると決定するように構成される第１処理サブモジュールと、
前記ＨＡＲＱ情報が前記第２情報である場合、前記ＥＤＴデータの伝送結果が伝送失敗であると決定するように構成される第２処理サブモジュールとを備える。
【００３９】
一実施例において、前記設定されたルールは、各前記利用可能なスケジューリングリソースに対応するアップリンク伝送のカットオフ時点の全てに対してＨＡＲＱフィードバックを実行することであり、
前記第２決定モジュールは、
前記選択された利用可能なスケジューリングリソースに含まれる前記ＴＢＳおよび前記アップリンク伝送の繰り返し回数に従って、前記選択された利用可能なスケジューリングリソースに対応するアップリンク伝送のカットオフ時点を決定するように構成される第４時点決定サブモジュールと、
前記選択された利用可能なスケジューリングリソースに対応するアップリンク伝送のカットオフ時点に対して、前記アップリンク伝送のカットオフ時点に対応するＨＡＲＱフィードバック時点を決定するように構成される第５時点決定サブモジュールであって、決定されたＨＡＲＱフィードバック時点は、前記アップリンク伝送のカットオフ時点の後の指定された位置に位置する第５時点決定サブモジュールとを備える。
【００４０】
一実施例において、前記ＨＡＲＱ情報は、復調成功を表す第１情報または復調失敗を表す第２情報を含み、
前記第３決定モジュールは、
前記アップリンク伝送のカットオフ時点に対応するＨＡＲＱフィードバック時点に、前記基地局によって送信されたＨＡＲＱ情報を受信するように構成される第２受信サブモジュールと、
前記ＨＡＲＱ情報が前記第１情報である場合、前記ＥＤＴデータの伝送結果が伝送成功であると決定するように構成される第３処理サブモジュールと、
前記ＨＡＲＱ情報が前記第２情報である場合、前記ＥＤＴデータの伝送結果が伝送失敗であると決定するように構成される第４処理サブモジュールとを備える。
【００４１】
一実施例において、前記設定されたルールは、ブラインド検出結果が復調成功である場合にのみＨＡＲＱフィードバックを実行することであり、
前記第２決定モジュールは、
前記選択された利用可能なスケジューリングリソースに含まれる前記ＴＢＳおよび前記アップリンク伝送の繰り返し回数に従って、前記選択された利用可能なスケジューリングリソースに対応するアップリンク伝送のカットオフ時点を決定するように構成される第６時点決定サブモジュールと、
前記選択された利用可能なスケジューリングリソースに対応するアップリンク伝送のカットオフ時点に対して、前記アップリンク伝送のカットオフ時点に対応するＨＡＲＱフィードバック時点を決定するように構成される第７時点決定サブモジュールであって、決定されたＨＡＲＱフィードバック時点は、前記アップリンク伝送のカットオフ時点の後の指定された位置に位置する第７時点決定サブモジュールとを備える。
【００４２】
一実施例において、前記ＨＡＲＱ情報は、復調成功を表す第１情報を含み、
前記第３決定モジュールは、
前記アップリンク伝送のカットオフ時点に対応するＨＡＲＱフィードバック時点に、前記基地局によって送信されたＨＡＲＱ情報を受信し、且つ前記ＨＡＲＱ情報が前記第１情報である場合、前記ＥＤＴデータの伝送結果が伝送成功であると決定するように構成される第５処理サブモジュールと、
前記アップリンク伝送のカットオフ時点に対応するＨＡＲＱフィードバック時点に、前記基地局によって送信されたＨＡＲＱ情報を受信しなかった場合、前記ＥＤＴデータの伝送結果が伝送失敗であると決定するように構成される第６処理サブモジュールとを備える。
【００４３】
一実施例において、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【００４４】
本開示の実施例の第５態様によれば、非一時的なコンピュータ読み取り可能な記憶媒体を提供し、前記記憶媒体にはコンピュータプログラムが記憶され、前記コンピュータプログラムは、上記の第１態様で提供されたＨＡＲＱフィードバック方法を実行するために使用される。
【００４５】
本開示の実施例の第６態様によれば、非一時的なコンピュータ読み取り可能な記憶媒体を提供し、前記記憶媒体にはコンピュータプログラムが記憶され、前記コンピュータプログラムは、上記の第２態様で提供されたＨＡＲＱフィードバック方法を実行するために使用される。
【００４６】
本開示の実施例の第７態様によれば、ＨＡＲＱフィードバック装置を提供し、前記装置は基地局に使用され、前記基地局は、端末に対して、早期データ送信（ＥＤＴ）サービスを提供するための複数の利用可能なスケジューリングリソースを割り当て、前記装置は、
プロセッサと、プロセッサ実行可能命令を記憶するように構成されるメモリとを備え、
ここで、前記プロセッサは、
各前記利用可能なスケジューリングリソース上で、前記端末から前記基地局に伝送したＥＤＴデータに対してブラインド検出を実行し、
設定されたルールに従って、前記ブラインド検出に対応するＨＡＲＱフィードバック時点を決定し、
前記ＨＡＲＱフィードバック時点に、前記ブラインド検出に対応するＨＡＲＱ情報を前記端末に送信するように構成される。
【００４７】
本開示の実施例の第８態様によれば、ＨＡＲＱフィードバック装置を提供し、前記装置は端末に使用され、基地局は、前記端末に対して、早期データ送信（ＥＤＴ）サービスを提供するための複数の利用可能なスケジューリングリソースを割り当て、前記装置は、
プロセッサと、プロセッサ実行可能命令を記憶するように構成されるメモリとを備え、
ここで、前記プロセッサは、
各前記利用可能なスケジューリングリソースから１つの利用可能なスケジューリングリソースを選択し、選択された利用可能なスケジューリングリソース上でＥＤＴデータを基地局に送信し、
設定されたルールに従って、前記ＥＤＴデータに対応するＨＡＲＱフィードバック時点を決定し、
前記ＨＡＲＱフィードバック時点に、前記基地局によって送信されたＨＡＲＱ情報を受信した場合、前記ＨＡＲＱ情報に従って前記ＥＤＴデータの伝送結果を決定するように構成される。
例えば、本願は以下の項目を提供する。
（項目１）
ハイブリッド自動再送要求（ＨＡＲＱ）のフィードバック方法であって、
基地局に使用され、前記基地局は、端末に対して、早期データ送信（ＥＤＴ）サービスを提供するための複数の予備スケジューリングリソースを割り当て、前記方法は、
各前記予備スケジューリングリソース上で、前記端末から前記基地局に伝送したＥＤＴデータに対してブラインド検出を実行することと、
設定されたルールに従って、前記ブラインド検出に対応するＨＡＲＱフィードバック時点を決定することと、
前記ＨＡＲＱフィードバック時点に、前記ブラインド検出に対応するＨＡＲＱフィードバック情報を前記端末に送信することとを含むことを特徴とする、前記ＨＡＲＱフィードバック方法。
（項目２）
前記ＥＤＴデータは、ランダムアクセスプロセス中に前記端末によって伝送されたアップリンクデータであり、且つ前記ランダムプロセス中のメッセージ３に配置されることを特徴とする、
項目１に記載のＨＡＲＱフィードバック方法。
（項目３）
前記予備スケジューリングリソースは、伝送ブロックサイズ（ＴＢＳ）およびアップリンク伝送の繰り返し回数を含み、
前記各前記予備スケジューリングリソース上で、前記端末から前記基地局に伝送したＥＤＴデータに対してブラインド検出を実行することは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定することと、
各前記アップリンク伝送のカットオフ時点に、前記ＥＤＴデータに対してブラインド検出を実行することとを含むことを特徴とする、
項目１に記載のＨＡＲＱフィードバック方法。
（項目４）
前記設定されたルールは、アップリンク伝送の最大繰り返し回数に基づいてＨＡＲＱフィードバックを実行することであり、
前記設定されたルールに従って、前記ブラインド検出に対応するＨＡＲＱフィードバック時点を決定することは、
各前記予備スケジューリングリソースに含まれる前記アップリンク伝送の繰り返し回数に従って、アップリンク伝送の最大繰り返し回数を決定することと、
各前記アップリンク伝送のカットオフ時点に従って、前記アップリンク伝送の最大繰り返し回数に対応するアップリンク伝送のカットオフ時点を決定することと、
前記アップリンク伝送の最大繰り返し回数に対応するアップリンク伝送のカットオフ時点に従って前記ＨＡＲＱフィードバック時点を決定することであって、決定されたＨＡＲＱフィードバック時点は、前記アップリンク伝送の最大繰り返し回数に対応するアップリンク伝送のカットオフ時点の後の指定された位置に位置することとを含むことを特徴とする、
項目３に記載のＨＡＲＱフィードバック方法。
（項目５）
前記ブラインド検出に対応するＨＡＲＱフィードバック情報は、復調成功を表す第１情報または復調失敗を表す第２情報を含み、
前記ＨＡＲＱフィードバック時点に、前記ブラインド検出に対応するＨＡＲＱフィードバック情報を前記端末に送信することは、
各前記アップリンク伝送のカットオフ時点のブラインド検出結果に対して、各前記ブラインド検出結果が復調成功を含む場合、前記ＨＡＲＱフィードバック時点に、前記第１情報を前記端末に送信することと、
各前記ブラインド検出結果が前記復調成功を含まない場合、前記ＨＡＲＱフィードバック時点に、前記第２情報を前記端末に送信することとを含むことを特徴とする、
項目４に記載のＨＡＲＱフィードバック方法。
（項目６）
前記設定されたルールは、各前記予備スケジューリングリソースに対応するアップリンク伝送のカットオフ時点の全てに対してＨＡＲＱフィードバックを実行することであり、
前記設定されたルールに従って、前記ブラインド検出に対応するＨＡＲＱフィードバック時点を決定することは、
任意の前記アップリンク伝送のカットオフ時点に対して、前記アップリンク伝送のカットオフ時点に対応するＨＡＲＱフィードバック時点を決定することを含み、決定されたＨＡＲＱフィードバック時点は、前記アップリンク伝送のカットオフ時点の後の指定された位置に位置することを特徴とする、
項目３に記載のＨＡＲＱフィードバック方法。
（項目７）
前記ブラインド検出に対応するＨＡＲＱフィードバック情報は、復調成功を表す第１情報または復調失敗を表す第２情報を含み、
前記ＨＡＲＱフィードバック時点に、前記ブラインド検出に対応するＨＡＲＱフィードバック情報を前記端末に送信することは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信することと、
前記ブラインド検出結果が復調失敗である場合、前記アップリンク伝送のカットオフ時点に対応するＨＡＲＱフィードバック時点に、前記第２情報を前記端末に送信することとを含むことを特徴とする、
項目６に記載のＨＡＲＱフィードバック方法。
（項目８）
前記設定されたルールは、ブラインド検出結果が復調成功である場合にのみＨＡＲＱフィードバックを実行することであり、
前記設定されたルールに従って、前記ブラインド検出に対応するＨＡＲＱフィードバック時点を決定することは、
任意の前記アップリンク伝送のカットオフ時点に対して、前記アップリンク伝送のカットオフ時点に対応するＨＡＲＱフィードバック時点を決定することを含み、決定されたＨＡＲＱフィードバック時点は、前記アップリンク伝送のカットオフ時点の後の指定された位置に位置することを特徴とする、
項目３に記載のＨＡＲＱフィードバック方法。
（項目９）
前記ブラインド検出に対応するＨＡＲＱフィードバック情報は、復調成功を表す第１情報を含み、
前記ＨＡＲＱフィードバック時点に、前記ブラインド検出に対応するＨＡＲＱフィードバック情報を前記端末に送信することは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信することと、
前記ブラインド検出結果が復調失敗である場合、前記アップリンク伝送のカットオフ時点に対応するＨＡＲＱフィードバック時点にＨＡＲＱフィードバックを実行しないこととを含むことを特徴とする、
項目８に記載のＨＡＲＱフィードバック方法。
（項目１０）
前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示することを特徴とする、
項目４または６または８に記載のＨＡＲＱフィードバック方法。
（項目１１）
ハイブリッド自動再送要求（ＨＡＲＱ）フィードバック方法であって、
端末に使用され、基地局は、前記端末に対して、早期データ送信（ＥＤＴ）サービスを提供するための複数の予備スケジューリングリソースを割り当て、前記方法は、
各前記予備スケジューリングリソースから１つの予備スケジューリングリソースを選択し、選択された予備スケジューリングリソース上でＥＤＴデータを基地局に送信することと、
設定されたルールに従って、前記ＥＤＴデータに対応するＨＡＲＱフィードバック時点を決定することと、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することとを含むことを特徴とする、前記ＨＡＲＱフィードバック方法。
（項目１２）
前記ＥＤＴデータは、前記端末がランダムアクセスプロセス中に伝送する必要があるアップリンクデータであり、且つ前記ランダムプロセス中のメッセージ３に配置されることを特徴とする、
項目１１に記載のＨＡＲＱフィードバック方法。
（項目１３）
前記予備スケジューリングリソースは、伝送ブロックサイズ（ＴＢＳ）およびアップリンク伝送の繰り返し回数を含み、
前記各前記予備スケジューリングリソースから１つの予備スケジューリングリソースを選択し、選択された予備スケジューリングリソース上でＥＤＴデータを基地局に送信することは、
各前記予備スケジューリングリソースに含まれる前記ＴＢＳおよび前記アップリンク伝送の繰り返し回数に従って、各前記予備スケジューリングリソースから１つの予備スケジューリングリソースを選択することと、
選択された予備スケジューリングリソース上でＥＤＴデータを基地局に送信することとを含むことを特徴とする、
項目１１に記載のＨＡＲＱフィードバック方法。
（項目１４）
前記設定されたルールは、アップリンク伝送の最大繰り返し回数に基づいてＨＡＲＱフィードバックを実行することであり、
前記設定されたルールに従って、前記ＥＤＴデータに対応するＨＡＲＱフィードバック時点を決定することは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定することと、
各前記予備スケジューリングリソースに含まれる前記アップリンク伝送の繰り返し回数に従って、アップリンク伝送の最大繰り返し回数を決定することと、
各前記アップリンク伝送のカットオフ時点に従って、前記アップリンク伝送の最大繰り返し回数に対応するアップリンク伝送のカットオフ時点を決定することと、
前記アップリンク伝送の最大繰り返し回数に対応するアップリンク伝送のカットオフ時点に従って前記ＨＡＲＱフィードバック時点を決定することであって、決定されたＨＡＲＱフィードバック時点は、前記アップリンク伝送の最大繰り返し回数に対応するアップリンク伝送のカットオフ時点の後の指定された位置に位置することとを含むことを特徴とする、
項目１３に記載のＨＡＲＱフィードバック方法。
（項目１５）
前記ＨＡＲＱフィードバック情報は、復調成功を表す第１情報または復調失敗を表す第２情報を含み、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することは、
前記ＨＡＲＱフィードバック時点に、前記基地局によって送信されたＨＡＲＱフィードバック情報を受信することと、
前記ＨＡＲＱフィードバック情報が前記第１情報である場合、前記ＥＤＴデータの伝送結果が伝送成功であると決定することと、
前記ＨＡＲＱフィードバック情報が前記第２情報である場合、前記ＥＤＴデータの伝送結果が伝送失敗であると決定することとを含むことを特徴とする、
項目１４に記載のＨＡＲＱフィードバック方法。
（項目１６）
前記設定されたルールは、各前記予備スケジューリングリソースに対応するアップリンク伝送のカットオフ時点の全てに対してＨＡＲＱフィードバックを実行することであり、
前記設定されたルールに従って、前記ＥＤＴデータに対応するＨＡＲＱフィードバック時点を決定することは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定することと、
前記選択された予備スケジューリングリソースに対応するアップリンク伝送のカットオフ時点に対して、前記アップリンク伝送のカットオフ時点に対応するＨＡＲＱフィードバック時点を決定することであって、決定されたＨＡＲＱフィードバック時点は、前記アップリンク伝送のカットオフ時点の後の指定された位置に位置することとを含むことを特徴とする、
項目１３に記載のＨＡＲＱフィードバック方法。
（項目１７）
前記ＨＡＲＱフィードバック情報は、復調成功を表す第１情報または復調失敗を表す第２情報を含み、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することは、
前記アップリンク伝送のカットオフ時点に対応するＨＡＲＱフィードバック時点に、前記基地局によって送信されたＨＡＲＱフィードバック情報を受信することと、
前記ＨＡＲＱフィードバック情報が前記第１情報である場合、前記ＥＤＴデータの伝送結果が伝送成功であると決定することと、
前記ＨＡＲＱフィードバック情報が前記第２情報である場合、前記ＥＤＴデータの伝送結果が伝送失敗であると決定することとを含むことを特徴とする、
項目１６に記載のＨＡＲＱフィードバック方法。
（項目１８）
前記設定されたルールは、ブラインド検出結果が復調成功である場合にのみＨＡＲＱフィードバックを実行することであり、
前記設定されたルールに従って、前記ＥＤＴデータに対応するＨＡＲＱフィードバック時点を決定することは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定することと、
前記選択された予備スケジューリングリソースに対応するアップリンク伝送のカットオフ時点に対して、前記アップリンク伝送のカットオフ時点に対応するＨＡＲＱフィードバック時点を決定することであって、決定されたＨＡＲＱフィードバック時点は、前記アップリンク伝送のカットオフ時点の後の指定された位置に位置することとを含むことを特徴とする、
項目１３に記載のＨＡＲＱフィードバック方法。
（項目１９）
前記ＨＡＲＱフィードバック情報は、復調成功を表す第１情報を含み、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定することは、
前記アップリンク伝送のカットオフ時点に対応するＨＡＲＱフィードバック時点に、前記基地局によって送信されたＨＡＲＱフィードバック情報を受信し、且つ前記ＨＡＲＱフィードバック情報が前記第１情報である場合、前記ＥＤＴデータの伝送結果が伝送成功であると決定することと、
前記アップリンク伝送のカットオフ時点に対応するＨＡＲＱフィードバック時点に、前記基地局によって送信されたＨＡＲＱフィードバック情報を受信しなかった場合、前記ＥＤＴデータの伝送結果が伝送失敗であると決定することとを含むことを特徴とする、
項目１８に記載のＨＡＲＱフィードバック方法。
（項目２０）
前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示することを特徴とする、
項目１４または１６または１８に記載のＨＡＲＱフィードバック方法。
（項目２１）
ハイブリッド自動再送要求（ＨＡＲＱ）フィードバック装置であって、
基地局に使用され、前記基地局は、端末に対して、早期データ送信（ＥＤＴ）サービスを提供するための複数の予備スケジューリングリソースを割り当て、前記装置は、
各前記予備スケジューリングリソース上で、前記端末から前記基地局に伝送したＥＤＴデータに対してブラインド検出を実行するように構成される検出モジュールと、
設定されたルールに従って、前記ブラインド検出に対応するＨＡＲＱフィードバック時点を決定するように構成される第１決定モジュールと、
前記ＨＡＲＱフィードバック時点に、前記ブラインド検出に対応するＨＡＲＱフィードバック情報を前記端末に送信するように構成される送信モジュールとを備えることを特徴とする、前記ＨＡＲＱフィードバック装置。
（項目２２）
前記ＥＤＴデータは、ランダムアクセスプロセス中に前記端末によって伝送されたアップリンクデータであり、且つ前記ランダムプロセス中のメッセージ３に配置されることを特徴とする、
項目２１に記載のＨＡＲＱフィードバック装置。
（項目２３）
前記予備スケジューリングリソースは、伝送ブロックサイズ（ＴＢＳ）およびアップリンク伝送の繰り返し回数を含み、
前記検出モジュールは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定するように構成される第１決定サブモジュールと、
各前記アップリンク伝送のカットオフ時点に、前記ＥＤＴデータに対してブラインド検出を実行するように構成される検出サブモジュールとを備えることを特徴とする、
項目２１に記載のＨＡＲＱフィードバック装置。
（項目２４）
前記設定されたルールは、アップリンク伝送の最大繰り返し回数に基づいてＨＡＲＱフィードバックを実行することであり、
前記第１決定モジュールは、
各前記予備スケジューリングリソースに含まれる前記アップリンク伝送の繰り返し回数に従って、アップリンク伝送の最大繰り返し回数を決定するように構成される第２決定サブモジュールと、
各前記アップリンク伝送のカットオフ時点に従って、前記アップリンク伝送の最大繰り返し回数に対応するアップリンク伝送のカットオフ時点を決定するように構成される第３決定サブモジュールと、
前記アップリンク伝送の最大繰り返し回数に対応するアップリンク伝送のカットオフ時点に従って前記ＨＡＲＱフィードバック時点を決定するように構成される第４決定サブモジュールであって、決定されたＨＡＲＱフィードバック時点は、前記アップリンク伝送の最大繰り返し回数に対応するアップリンク伝送のカットオフ時点の後の指定された位置に位置する第４決定サブモジュールとを備えることを特徴とする、
項目２３に記載のＨＡＲＱフィードバック装置。
（項目２５）
前記ブラインド検出に対応するＨＡＲＱフィードバック情報は、復調成功を表す第１情報または復調失敗を表す第２情報を含み、
前記送信モジュールは、
各前記アップリンク伝送のカットオフ時点のブラインド検出結果に対して、各前記ブラインド検出結果が復調成功を含む場合、前記ＨＡＲＱフィードバック時点に、前記第１情報を前記端末に送信するように構成される第１送信サブモジュールと、
各前記ブラインド検出結果が前記復調成功を含まない場合、前記ＨＡＲＱフィードバック時点に、前記第２情報を前記端末に送信するように構成される第２送信サブモジュールとを備えることを特徴とする、
項目２４に記載のＨＡＲＱフィードバック装置。
（項目２６）
前記設定されたルールは、各前記予備スケジューリングリソースに対応するアップリンク伝送のカットオフ時点の全てに対してＨＡＲＱフィードバックを実行することであり、
前記第１決定モジュールは、
任意の前記アップリンク伝送のカットオフ時点に対して、前記アップリンク伝送のカットオフ時点に対応するＨＡＲＱフィードバック時点を決定するように構成される第５決定サブモジュールを備え、決定されたＨＡＲＱフィードバック時点は、前記アップリンク伝送のカットオフ時点の後の指定された位置に位置することを特徴とする、
項目２３に記載のＨＡＲＱフィードバック装置。
（項目２７）
前記ブラインド検出に対応するＨＡＲＱフィードバック情報は、復調成功を表す第１情報または復調失敗を表す第２情報を含み、
前記送信モジュールは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信するように構成される第３送信サブモジュールと、
前記ブラインド検出結果が復調失敗である場合、前記アップリンク伝送のカットオフ時点に対応するＨＡＲＱフィードバック時点に、前記第２情報を前記端末に送信するように構成される第４送信サブモジュールとを備えることを特徴とする、
項目２６に記載のＨＡＲＱフィードバック装置。
（項目２８）
前記設定されたルールは、ブラインド検出結果が復調成功である場合にのみＨＡＲＱフィードバックを実行することであり、
前記第１決定モジュールは、
任意の前記アップリンク伝送のカットオフ時点に対して、前記アップリンク伝送のカットオフ時点に対応するＨＡＲＱフィードバック時点を決定するように構成される第６決定サブモジュールを備え、決定されたＨＡＲＱフィードバック時点は、前記アップリンク伝送のカットオフ時点の後の指定された位置に位置することを特徴とする、
項目２３に記載のＨＡＲＱフィードバック装置。
（項目２９）
前記ブラインド検出に対応するＨＡＲＱフィードバック情報は、復調成功を表す第１情報を含み、
前記送信モジュールは、
任意の前記アップリンク伝送のカットオフ時点のブラインド検出結果に対して、前記ブラインド検出結果が復調成功である場合、前記アップリンク伝送のカットオフ時点に対応するＨＡＲＱフィードバック時点に、前記第１情報を前記端末に送信するように構成される第５送信サブモジュールと、
前記ブラインド検出結果が復調失敗である場合、前記アップリンク伝送のカットオフ時点に対応するＨＡＲＱフィードバック時点にＨＡＲＱフィードバックを実行しないように構成される第６送信サブモジュールとを備えることを特徴とする、
項目２８に記載のＨＡＲＱフィードバック装置。
（項目３０）
前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示することを特徴とする、
項目２４または２６または２８に記載のＨＡＲＱフィードバック装置。
（項目３１）
ハイブリッド自動再送要求（ＨＡＲＱ）フィードバック装置であって、
端末に使用され、基地局は、前記端末に対して、早期データ送信（ＥＤＴ）サービスを提供するための複数の予備スケジューリングリソースを割り当て、前記装置は、
各前記予備スケジューリングリソースから１つの予備スケジューリングリソースを選択し、選択された予備スケジューリングリソース上でＥＤＴデータを基地局に送信するように構成される選択モジュールと、
設定されたルールに従って、前記ＥＤＴデータに対応するＨＡＲＱフィードバック時点を決定するように構成される第２決定モジュールと、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定するように構成される第３決定モジュールとを備えることを特徴とする、前記ＨＡＲＱフィードバック装置。
（項目３２）
前記ＥＤＴデータは、前記端末がランダムアクセスプロセス中に伝送する必要があるアップリンクデータであり、且つ前記ランダムプロセス中のメッセージ３に配置されることを特徴とする、
項目３１に記載のＨＡＲＱフィードバック装置。
（項目３３）
前記予備スケジューリングリソースは、伝送ブロックサイズ（ＴＢＳ）およびアップリンク伝送の繰り返し回数を含み、
前記選択モジュールは、
各前記予備スケジューリングリソースに含まれる前記ＴＢＳおよび前記アップリンク伝送の繰り返し回数に従って、各前記予備スケジューリングリソースから１つの予備スケジューリングリソースを選択するように構成される選択サブモジュールと、
選択された予備スケジューリングリソース上でＥＤＴデータを基地局に送信するように構成される送信サブモジュールとを備えることを特徴とする、
項目３１に記載のＨＡＲＱフィードバック装置。
（項目３４）
前記設定されたルールは、アップリンク伝送の最大繰り返し回数に基づいてＨＡＲＱフィードバックを実行することであり、
前記第２決定モジュールは、
各前記予備スケジューリングリソースに含まれる前記ＴＢＳおよび前記アップリンク伝送の繰り返し回数に従って、各前記予備スケジューリングリソースに対応するアップリンク伝送のカットオフ時点を決定するように構成される第１時点決定サブモジュールと、
各前記予備スケジューリングリソースに含まれる前記アップリンク伝送の繰り返し回数に従って、アップリンク伝送の最大繰り返し回数を決定するように構成される繰り返し回数決定サブモジュールと、
各前記アップリンク伝送のカットオフ時点に従って、前記アップリンク伝送の最大繰り返し回数に対応するアップリンク伝送のカットオフ時点を決定するように構成される第２時点決定サブモジュールと、
前記アップリンク伝送の最大繰り返し回数に対応するアップリンク伝送のカットオフ時点に従って前記ＨＡＲＱフィードバック時点を決定するように構成される第３時点決定サブモジュールであって、決定されたＨＡＲＱフィードバック時点は、前記アップリンク伝送の最大繰り返し回数に対応するアップリンク伝送のカットオフ時点の後の指定された位置に位置する第３時点決定サブモジュールとを備えることを特徴とする、
項目３３に記載のＨＡＲＱフィードバック装置。
（項目３５）
前記ＨＡＲＱフィードバック情報は、復調成功を表す第１情報または復調失敗を表す第２情報を含み、
前記第３決定モジュールは、
前記ＨＡＲＱフィードバック時点に、前記基地局によって送信されたＨＡＲＱフィードバック情報を受信するように構成される第１受信サブモジュールと、
前記ＨＡＲＱフィードバック情報が前記第１情報である場合、前記ＥＤＴデータの伝送結果が伝送成功であると決定するように構成される第１処理サブモジュールと、
前記ＨＡＲＱフィードバック情報が前記第２情報である場合、前記ＥＤＴデータの伝送結果が伝送失敗であると決定するように構成される第２処理サブモジュールとを備えることを特徴とする、
項目３４に記載のＨＡＲＱフィードバック装置。
（項目３６）
前記設定されたルールは、各前記予備スケジューリングリソースに対応するアップリンク伝送のカットオフ時点の全てに対してＨＡＲＱフィードバックを実行することであり、
前記第２決定モジュールは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定するように構成される第４時点決定サブモジュールと、
前記選択された予備スケジューリングリソースに対応するアップリンク伝送のカットオフ時点に対して、前記アップリンク伝送のカットオフ時点に対応するＨＡＲＱフィードバック時点を決定するように構成される第５時点決定サブモジュールであって、決定されたＨＡＲＱフィードバック時点は、前記アップリンク伝送のカットオフ時点の後の指定された位置に位置する第５時点決定サブモジュールとを備えることを特徴とする、
項目３３に記載のＨＡＲＱフィードバック装置。
（項目３７）
前記ＨＡＲＱフィードバック情報は、復調成功を表す第１情報または復調失敗を表す第２情報を含み、
前記第３決定モジュールは、
前記アップリンク伝送のカットオフ時点に対応するＨＡＲＱフィードバック時点に、前記基地局によって送信されたＨＡＲＱフィードバック情報を受信するように構成される第２受信サブモジュールと、
前記ＨＡＲＱフィードバック情報が前記第１情報である場合、前記ＥＤＴデータの伝送結果が伝送成功であると決定するように構成される第３処理サブモジュールと、
前記ＨＡＲＱフィードバック情報が前記第２情報である場合、前記ＥＤＴデータの伝送結果が伝送失敗であると決定するように構成される第４処理サブモジュールとを備えることを特徴とする、
項目３６に記載のＨＡＲＱフィードバック装置。
（項目３８）
前記設定されたルールは、ブラインド検出結果が復調成功である場合にのみＨＡＲＱフィードバックを実行することであり、
前記第２決定モジュールは、
前記選択された予備スケジューリングリソースに含まれる前記ＴＢＳおよび前記アップリンク伝送の繰り返し回数に従って、前記選択された予備スケジューリングリソースに対応するアップリンク伝送のカットオフ時点を決定するように構成される第６時点決定サブモジュールと、
前記選択された予備スケジューリングリソースに対応するアップリンク伝送のカットオフ時点に対して、前記アップリンク伝送のカットオフ時点に対応するＨＡＲＱフィードバック時点を決定するように構成される第７時点決定サブモジュールであって、決定されたＨＡＲＱフィードバック時点は、前記アップリンク伝送のカットオフ時点の後の指定された位置に位置する第７時点決定サブモジュールとを備えることを特徴とする、
項目３３に記載のＨＡＲＱフィードバック装置。
（項目３９）
前記ＨＡＲＱフィードバック情報は、復調成功を表す第１情報を含み、
前記第３決定モジュールは、
前記アップリンク伝送のカットオフ時点に対応するＨＡＲＱフィードバック時点に、前記基地局によって送信されたＨＡＲＱフィードバック情報を受信し、且つ前記ＨＡＲＱフィードバック情報が前記第１情報である場合、前記ＥＤＴデータの伝送結果が伝送成功であると決定するように構成される第５処理サブモジュールと、
前記アップリンク伝送のカットオフ時点に対応するＨＡＲＱフィードバック時点に、前記基地局によって送信されたＨＡＲＱフィードバック情報を受信しなかった場合、前記ＥＤＴデータの伝送結果が伝送失敗であると決定するように構成される第６処理サブモジュールとを備えることを特徴とする、
項目３８に記載のＨＡＲＱフィードバック装置。
（項目４０）
前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示することを特徴とする、
項目３４または３６または３８に記載のＨＡＲＱフィードバック装置。
（項目４１）
コンピュータ命令が記憶された非一時的なコンピュータ読み取り可能な記憶媒体であって、
前記コンピュータプログラムは、項目１ないし１０のいずれか一項に記載のＨＡＲＱフィードバック方法を実行するために使用されることを特徴とする、前記非一時的なコンピュータ読み取り可能な記憶媒体。
（項目４２）
コンピュータプログラムが記憶された非一時的なコンピュータ読み取り可能な記憶媒体であって、
前記コンピュータプログラムは、項目１１ないし２０のいずれか一項に記載のＨＡＲＱフィードバック方法を実行するために使用されることを特徴とする、前記非一時的なコンピュータ読み取り可能な記憶媒体。
（項目４３）
ハイブリッド自動再送要求（ＨＡＲＱ）フィードバック装置であって、
基地局に使用され、前記基地局は、端末に対して、早期データ送信（ＥＤＴ）サービスを提供するための複数の予備スケジューリングリソースを割り当て、前記装置は、
プロセッサと、
プロセッサ実行可能命令を記憶するように構成されるメモリとを備え、
前記プロセッサは、
各前記予備スケジューリングリソース上で、前記端末から前記基地局に伝送したＥＤＴデータに対してブラインド検出を実行し、
設定されたルールに従って、前記ブラインド検出に対応するＨＡＲＱフィードバック時点を決定し、
前記ＨＡＲＱフィードバック時点に、前記ブラインド検出に対応するＨＡＲＱフィードバック情報を前記端末に送信するように構成されることを特徴とする、前記ＨＡＲＱフィードバック装置。
（項目４４）
ハイブリッド自動再送要求（ＨＡＲＱ）フィードバック装置であって、
端末に使用され、基地局は、前記端末に対して、早期データ送信（ＥＤＴ）サービスを提供するための複数の予備スケジューリングリソースを割り当て、前記装置は、
プロセッサと、
プロセッサ実行可能命令を記憶するように構成されるメモリとを備え、
前記プロセッサは、
各前記予備スケジューリングリソースから１つの予備スケジューリングリソースを選択し、選択された予備スケジューリングリソース上でＥＤＴデータを基地局に送信し、
設定されたルールに従って、前記ＥＤＴデータに対応するＨＡＲＱフィードバック時点を決定し、
前記ＨＡＲＱフィードバック時点に、前記基地局によって送信されたＨＡＲＱフィードバック情報を受信した場合、前記ＨＡＲＱフィードバック情報に従って前記ＥＤＴデータの伝送結果を決定するように構成されることを特徴とする、前記ＨＡＲＱフィードバック装置。
【発明の効果】
【００４８】
本開示の実施例によって提供される技術的解決策は、以下の有利な効果を含み得る。
【００４９】
本開示における基地局は、各前記利用可能なスケジューリングリソース上で、端末から基地局に伝送したＥＤＴデータに対してブラインド検出を実行し、設定されたルールに従って、ブラインド検出に対応するＨＡＲＱフィードバック時点を決定し、およびＨＡＲＱフィードバック時点に、ブラインド検出に対応するＨＡＲＱ情報を端末に送信することにより、端末は、設定されたルールに従って決定されたＨＡＲＱフィードバック時点に、基地局によって送信されたＨＡＲＱ情報を受信することができ、当該ＨＡＲＱ情報に従ってＥＤＴデータの正しい伝送結果を決定することができ、それにより、ＨＡＲＱフィードバックの信頼性を向上させ、ＥＤＴ伝送の効率も向上させることができる。
【００５０】
本開示における端末は、各利用可能なスケジューリングリソースから１つの利用可能なスケジューリングリソースを選択し、選択された利用可能なスケジューリングリソース上でＥＤＴデータを基地局に送信し、設定されたルールに従って、ＥＤＴデータに対応するＨＡＲＱフィードバック時点を決定し、およびＨＡＲＱフィードバック時点に、基地局によって送信されたＨＡＲＱ情報を受信した場合、ＨＡＲＱ情報に従ってＥＤＴデータの伝送結果を決定することにより、ＨＡＲＱフィードバックの信頼性を向上させ、ＥＤＴ伝送の効率も向上させることができる。
【００５１】
上記した一般的な説明および後述する詳細な説明は、単なる例示および説明に過ぎず、本開示を限定するものではないことを理解されたい。
【図面の簡単な説明】
【００５２】
ここでの図面は、本明細書に組み込まれてその一部を構成し、本発明と一致する実施例を示し、明細書とともに本発明の原理を説明するために使用される。
【図１】一例示的な実施例によって示されたＨＡＲＱフィードバック方法のフローチャートである。
【図２】一例示的な実施例によって示されたＨＡＲＱフィードバック方法の適用シナリオの概略図である。
【図３Ａ】一例示的な実施例によって示された別のＨＡＲＱフィードバック方法のフローチャートである。
【図３Ｂ】一例示的な実施例によって示されたＨＡＲＱフィードバック方法の情報の相互作用の概略図である。
【図４Ａ】一例示的な実施例によって示された別のＨＡＲＱフィードバック方法のフローチャートである。
【図４Ｂ】一例示的な実施例によって示された別のＨＡＲＱフィードバック方法の情報の相互作用の概略図である。
【図５Ａ】一例示的な実施例によって示されたＨＡＲＱフィードバック方法のフローチャートである。
【図５Ｂ】一例示的な実施例によって示されたＨＡＲＱフィードバック方法の情報の相互作用の概略図である。
【図５Ｃ】一例示的な実施例によって示された別のＨＡＲＱフィードバック方法の情報の相互作用の概略図である。
【図６Ａ】一例示的な実施例によって示されたＨＡＲＱフィードバック方法のフローチャートである。
【図６Ｂ】一例示的な実施例によって示されたＨＡＲＱフィードバック方法の情報の相互作用の概略図である。
【図６Ｃ】一例示的な実施例によって示された別のＨＡＲＱフィードバック方法の情報の相互作用の概略図である。
【図７】一例示的な実施例によって示されたＨＡＲＱフィードバック方法のフローチャートである。
【図８】一例示的な実施例によって示された別のＨＡＲＱフィードバック方法のフローチャートである。
【図９】一例示的な実施例によって示されたさらに別のＨＡＲＱフィードバック方法のフローチャートである。
【図１０】一例示的な実施例によって示されたさらに別のＨＡＲＱフィードバック方法のフローチャートである。
【図１１】一例示的な実施例によって示されたさらに別のＨＡＲＱフィードバック方法のフローチャートである。
【図１２】一例示的な実施例によって示されたＨＡＲＱフィードバック装置のブロック図である。
【図１３】一例示的な実施例によって示された別のＨＡＲＱフィードバック装置のブロック図である。
【図１４】一例示的な実施例によって示されたさらに別のＨＡＲＱフィードバック装置のブロック図である。
【図１５】一例示的な実施例によって示されたさらに別のＨＡＲＱフィードバック装置のブロック図である。
【図１６】一例示的な実施例によって示されたさらに別のＨＡＲＱフィードバック装置のブロック図である。
【図１７】一例示的な実施例によって示されたさらに別のＨＡＲＱフィードバック装置のブロック図である。
【図１８】一例示的な実施例によって示されたさらに別のＨＡＲＱフィードバック装置のブロック図である。
【図１９】一例示的な実施例によって示されたさらに別のＨＡＲＱフィードバック装置のブロック図である。
【図２０】一例示的な実施例によって示されたＨＡＲＱフィードバック装置のブロック図である。
【図２１】一例示的な実施例によって示された別のＨＡＲＱフィードバック装置のブロック図である。
【図２２】一例示的な実施例によって示されたさらに別のＨＡＲＱフィードバック装置のブロック図である。
【図２３】一例示的な実施例によって示されたさらに別のＨＡＲＱフィードバック装置のブロック図である。
【図２４】一例示的な実施例によって示されたさらに別のＨＡＲＱフィードバック装置のブロック図である。
【図２５】一例示的な実施例によって示されたさらに別のＨＡＲＱフィードバック装置のブロック図である。
【図２６】一例示的な実施例によって示されたさらに別のＨＡＲＱフィードバック装置のブロック図である。
【図２７】一例示的な実施例によって示されたさらに別のＨＡＲＱフィードバック装置のブロック図である。
【図２８】一例示的な実施例によって示されたＨＡＲＱフィードバック装置の概略的な構造図である。
【図２９】一例示的な実施例によって示されたＨＡＲＱフィードバック装置の概略的な構造図である。
【発明を実施するための形態】
【００５３】
ここで、例示的な実施例について詳細に説明し、その例は図面に示す。特に明記しない限り、以下の説明が添付の図面に関する場合、異なる図面の同じ数字は同じまたは類似の要素を表す。以下の例示的な実施例で説明される実施形態は、本発明と一致するすべての実施形態を表すものではない。むしろ、それらは、添付された特許請求の範囲に詳述されたように、本発明の特定の態様と一致する装置および方法の例である。
【００５４】
本開示で使用される用語は、特定の実施例を説明することのみを目的とし、本開示を限定するものではない。本開示および添付された特許請求の範囲で使用された単数形の「１つの」、「前記」および「当該」は、文脈が他の意味を明確に示さない限り、複数形も含むものとする。本明細書で使用される「および／または」という用語は、１つまたは複数の関連する列挙されたアイテムのいずれかまたはすべての可能な組み合わせを指し、それらを含むことを理解されたい。
【００５５】
本開示では、「第１」、「第２」、「第３」などの用語を使用して様々な情報を説明することができるが、これらの情報はこれらの用語に限定されないことを理解されたい。これらの用語は、同じタイプの情報をお互いに区別するためにのみ使用される。例えば、本開示の範囲から逸脱することなく、第１の情報は第２の情報とも称し得、同様に、第２の情報は第１の情報とも称し得る。文脈に応じて、本明細書で使用される「…ば」という語は、「…時」または「…場合」または「…決定に応答して」と解釈することができる。
【００５６】
図１は、一例示的な実施例によって示されたＨＡＲＱフィードバック方法のフローチャートであり、図２は、一例示的な実施例によって示されたＨＡＲＱフィードバック方法の適用シナリオの概略図であり、当該ＨＡＲＱフィードバック方法は基地局に使用されることができ、当該基地局は、端末に対して、ＥＤＴサービスを提供するための複数の利用可能なスケジューリングリソースを割り当て、図１に示されたように、当該ＨＡＲＱフィードバック方法は、次のステップ１１０〜１３０を含み得る。
【００５７】
ステップ１１０において、各利用可能なスケジューリングリソース上で、端末から基地局に伝送したＥＤＴデータに対してブラインド検出を実行する。
【００５８】
本開示の実施例では、基地局は、ＥＤＴサービスを提供することができ、さらに、ＥＤＴサービスを申請した端末に対して、ＥＤＴサービスを提供するための複数の利用可能なスケジューリングリソースを割り当てることができる。
【００５９】
例えば、基地局は、端末に対して、利用可能なスケジューリングリソース１、利用可能なスケジューリングリソース２、利用可能なスケジューリングリソース３および利用可能なスケジューリングリソース４を割り当て、当該利用可能なスケジューリングリソース１、当該利用可能なスケジューリングリソース２、当該利用可能なスケジューリングリソース３および当該利用可能なスケジューリングリソース４のリソースユニットの数（Ｎ＿ＲＵ：Ｎｕｍｂｅｒ  ｏｆ  Ｒｅｓｏｕｒｃｅ  Ｕｎｉｔ）は全て３であるが、利用可能なスケジューリングリソース１の伝送ブロックサイズ（ＴＢＳ：Ｔｒａｎｓｍｉｓｓｉｏｎ  Ｂｌｏｃｋ  Ｓｉｚｅ）およびアップリンク伝送繰り返し（ｒｅｐｅｔｉｔｉｏｎ）回数は、それぞれ３２８ビット（ｂｉｔｓ）および３２回であり、利用可能なスケジューリングリソース２のＴＢＳおよびアップリンク伝送の繰り返し回数は、それぞれ５３６ビットおよび４８回であり、利用可能なスケジューリングリソース３のＴＢＳおよびアップリンク伝送の繰り返し回数は、それぞれ７７６ビットおよび６４回であり、利用可能なスケジューリングリソース４のＴＢＳおよびアップリンク伝送の繰り返し回数は、それぞれ１０００ビットおよび９６回である。
【００６０】
なお、基地局が端末に対して複数の利用可能なスケジューリングリソースを割り当てる目的とは、端末が自体の実際の状況に応じてこれらの利用可能なスケジューリングリソースから１つの利用可能なスケジューリングリソースを選択し、選択された利用可能なスケジューリングリソース上でＥＤＴデータを基地局に送信することができるようにすることであり、当該選択された利用可能なスケジューリングリソースは、端末が実際に使用した利用可能なスケジューリングリソースであるが、基地局は、端末がどの利用可能なスケジューリングリソース上で伝送するかを知らないため、基地局は、各利用可能なスケジューリングリソース上でブラインド検出を実行する。即ち、基地局は、端末が実際に使用した利用可能なスケジューリングリソース上でブラインド検出を実行するとともに、他の利用可能なスケジューリングリソース上でブラインド検出を実行する。
【００６１】
一実施例において、ＥＤＴデータは、ランダムアクセスプロセス中に端末によって伝送されたアップリンクデータであり、且つランダムプロセス中のメッセージ３（ｍｓｇ３：Ｓｃｈｅｄｕｌｅｄ  Ｔｒａｎｓｍｉｓｓｉｏｎ）に配置されるデータを指し得る。即ち、端末は、ＥＤＴデータをメッセージ３に追加し、当該メッセージ３を基地局に送信することができ、このようにして、基地局は、メッセージ３から、当該端末によって伝送されたＥＤＴデータを取得することができる。
【００６２】
一実施例において、前記利用可能なスケジューリングリソースは、ＴＢＳおよびアップリンク伝送の繰り返し回数を含み、ステップ１１０を実行する時に、次の実施形態を使用してもよいが、これらに限定されない。
【００６３】
（１−１）各利用可能なスケジューリングリソースに含まれるＴＢＳおよびアップリンク伝送の繰り返し回数に従って、各利用可能なスケジューリングリソースに対応するアップリンク伝送のカットオフ時点を決定する。
【００６４】
（１−２）各アップリンク伝送のカットオフ時点に、ＥＤＴデータに対してブラインド検出を実行する。
【００６５】
ステップ１２０において、設定されたルールに従って、ブラインド検出に対応するＨＡＲＱフィードバック時点を決定する。
【００６６】
本開示の実施例では、基地局は、端末が実際に使用した利用可能なスケジューリングリソース上でブラインド検出を実行するとともに、他の利用可能なスケジューリングリソース上でブラインド検出を実行するため、ＨＡＲＱフィードバックをどの時点に実行するかを決定する必要がある。
【００６７】
さらに、ブラインド検出に対応するＨＡＲＱフィードバック時点を決定する時に、設定されたルールに従って決定することができる。当該設定されたルールは、ＥＤＴ伝送プロトコルで記述されてもよく、このようにして、基地局および端末は、両方とも、ＥＤＴ伝送プロトコルに従って、設定ルールを取得することができる。
【００６８】
なお、基地局と端末の異なるニーズを満たすために、事前に定義された設定されたルールは、次の３つのルールを含み得るが、これらに限定されない。ただし、基地局および端末がどの設定されたルールを使用するかについては、基地局および端末が事前にネゴシエーションすることができる。
【００６９】
（２−１）設定されたルールは、アップリンク伝送の最大繰り返し回数に基づいてＨＡＲＱフィードバックを実行することであり、その具体的な具現プロセスは、図４Ａに示された実施例を参照することができる。
【００７０】
（２−２）設定されたルールは、各利用可能なスケジューリングリソースに対応するアップリンク伝送のカットオフ時点の全てに対してＨＡＲＱフィードバックを実行することであり、その具体的な具現プロセスは、図５Ａに示された実施例を参照することができる。
【００７１】
（２−３）設定されたルールは、ブラインド検出結果が復調成功である場合にのみＨＡＲＱフィードバックを実行することであり、その具体的な具現プロセスは、図６Ａに示された実施例を参照することができる。
【００７２】
ステップ１３０において、ＨＡＲＱフィードバック時点に、ブラインド検出に対応するＨＡＲＱ情報を端末に送信する。
【００７３】
本開示の実施例では、基地局が、ＨＡＲＱフィードバック時点に、ＨＡＲＱ情報を端末に送信した後、端末は、設定されたルールに従って決定されたＨＡＲＱフィードバック時点に、基地局によって送信されたＨＡＲＱ情報を受信した後に、当該ＨＡＲＱ情報に従ってＥＤＴデータの伝送結果を決定することができる。
【００７４】
図２に使用された適用シナリオでは、端末および基地局を備える。基地局は、端末に対して、利用可能なスケジューリングリソース１、利用可能なスケジューリングリソース２、利用可能なスケジューリングリソース３および利用可能なスケジューリングリソース４などの複数の利用可能なスケジューリングリソースを割り当て、端末は、これらの利用可能なスケジューリングリソースから１つの利用可能なスケジューリングリソースを選択することができ、例えば、選択された利用可能なスケジューリングリソースが利用可能なスケジューリングリソース２であると、当該端末は、利用可能なスケジューリングリソース２上でＥＤＴデータを基地局に送信することができる。しかし、基地局は、端末に対して複数の利用可能なスケジューリングリソースを割り当てたが、当該基地局は、端末が利用可能なスケジューリングリソース２上で伝送することを知らないため、基地局は、各利用可能なスケジューリングリソース上でＥＤＴデータに対してブラインド検出を実行する必要があり、設定されたルールに従って、ブラインド検出に対応するＨＡＲＱフィードバック時点を決定し、およびＨＡＲＱフィードバック時点に、ブラインド検出に対応するＨＡＲＱ情報を端末に送信し、このようにして、端末は、設定されたルールに従って決定されたＨＡＲＱフィードバック時点に、基地局によって送信されたＨＡＲＱ情報を受信した後に、当該ＨＡＲＱ情報に従ってＥＤＴデータの伝送結果を決定することができ、それにより、ＥＤＴ伝送の信頼性を向上させる。
【００７５】
上記の実施例から分かるように、各前記利用可能なスケジューリングリソース上で、端末から基地局に伝送したＥＤＴデータに対してブラインド検出を実行し、設定されたルールに従って、ブラインド検出に対応するＨＡＲＱフィードバック時点を決定し、およびＨＡＲＱフィードバック時点に、ブラインド検出に対応するＨＡＲＱ情報を端末に送信することにより、端末は、設定されたルールに従って決定されたＨＡＲＱフィードバック時点に、基地局によって送信されたＨＡＲＱ情報を受信することができ、当該ＨＡＲＱ情報に従ってＥＤＴデータの正しい伝送結果を決定することができ、それにより、ＨＡＲＱフィードバックの信頼性を向上させ、ＥＤＴ伝送の効率も向上させる。
【００７６】
図３Ａは、一例示的な実施例によって示された別のＨＡＲＱフィードバック方法のフローチャートであり、当該ＨＡＲＱフィードバック方法は、基地局に使用されることができ、当該基地局は、端末に対して、ＥＤＴサービスを提供するための複数の利用可能なスケジューリングリソースを割り当て、図１に示された方法の基で確立され、前記利用可能なスケジューリングリソースは、ＴＢＳおよびアップリンク伝送の繰り返し回数を含み、ステップ１１０を実行する場合、図３Ａに示されたように、次のステップ３１０〜３２０を含み得る。
【００７７】
ステップ３１０において、各利用可能なスケジューリングリソースに含まれるＴＢＳおよびアップリンク伝送の繰り返し回数に従って、各利用可能なスケジューリングリソースに対応するアップリンク伝送のカットオフ時点を決定する。
【００７８】
本開示の実施例では、異なるＴＢＳの数に従って、アップリンク伝送のカットオフ時点の数を決定することができる。例えば、ＴＢＳの数は４つであり、アップリンク伝送のカットオフ時点の数も４つであり、端末は４つの可能なＴＢＳ選択を有し、それらは４つの異なるアップリンク伝送の繰り返し回数に対応するため、ＥＤＴ伝送中に、４つの可能なアップリンク伝送のカットオフ時点がある。図３Ｂに示されたように、当該４つの可能なアップリンク伝送のカットオフ時点は、それぞれ、アップリンク伝送の可能なカットオフ時点＃１、アップリンク伝送の可能なカットオフ時点＃２、アップリンク伝送の可能なカットオフ時点＃３、アップリンク伝送の可能なカットオフ時点＃４であってもよい。
【００７９】
ステップ３２０において、各アップリンク伝送のカットオフ時点に、ＥＤＴデータに対してブラインド検出を実行する。
【００８０】
上記の実施例から分かるように、各利用可能なスケジューリングリソースに含まれるＴＢＳおよびアップリンク伝送の繰り返し回数に従って、各利用可能なスケジューリングリソースに対応するアップリンク伝送のカットオフ時点を決定し、各アップリンク伝送のカットオフ時点に、ＥＤＴデータに対してブラインド検出を実行し、それにより、ブラインド検出の精度を向上させることができる。
【００８１】
図４Ａは、一例示的な実施例によって示された別のＨＡＲＱフィードバック方法のフローチャートであり、当該ＨＡＲＱフィードバック方法は、基地局に使用されることができ、当該基地局は、端末に対して、ＥＤＴサービスを提供するための複数の利用可能なスケジューリングリソースを割り当て、図３Ａに示された方法の基で確立され、設定されたルールは、アップリンク伝送の最大繰り返し回数に基づいてＨＡＲＱフィードバックを実行することであり、ステップ１２０を実行する場合、図４Ａに示されたように、次のステップ４１０〜４３０を含み得る。
【００８２】
ステップ４１０において、各利用可能なスケジューリングリソースに含まれるアップリンク伝送の繰り返し回数に従って、アップリンク伝送の最大繰り返し回数を決定する。
【００８３】
本開示の実施例では、各利用可能なスケジューリングリソースに含まれるアップリンク伝送の繰り返し回数は異なる可能性があり、当該異なるアップリンク伝送の繰り返し回数から、アップリンク伝送の最大繰り返し回数を決定することができる。
【００８４】
例えば、基地局は、端末に対して利用可能なスケジューリングリソース１、利用可能なスケジューリングリソース２、利用可能なスケジューリングリソース３および利用可能なスケジューリングリソース４を割り当て、当該利用可能なスケジューリングリソース１、当該利用可能なスケジューリングリソース２、当該利用可能なスケジューリングリソース３および当該利用可能なスケジューリングリソース４のアップリンク伝送の繰り返し回数が、それぞれ３２回、４８回、６４回、９６回であると、当該アップリンク伝送の最大繰り返し回数は９６である。
【００８５】
ステップ４２０において、各アップリンク伝送のカットオフ時点に従って、アップリンク伝送の最大繰り返し回数に対応するアップリンク伝送のカットオフ時点を決定する。
【００８６】
本開示の実施例では、アップリンク伝送の最大繰り返し回数は、可能な最大伝送時間に対応し、即ち、可能な最大伝送時間は、アップリンク伝送の最大繰り返し回数で决定される。さらに、アップリンク伝送の最大繰り返し回数に対応するアップリンク伝送のカットオフ時点は、各アップリンク伝送のカットオフ時点のうちの最後のアップリンク伝送のカットオフ時点であってもよい。図３Ｂに示されたように、当該最後のアップリンク伝送のカットオフ時点は、アップリンク伝送の可能なカットオフ時点＃４であってもよい。
【００８７】
ステップ４３０において、アップリンク伝送の最大繰り返し回数に対応するアップリンク伝送のカットオフ時点に従って、ＨＡＲＱフィードバック時点を決定し、決定されたＨＡＲＱフィードバック時点は、前記アップリンク伝送の最大繰り返し回数に対応するアップリンク伝送のカットオフ時点の後の指定された位置に位置する。
【００８８】
本開示の実施例では、指定された位置は、プリセットされた固定値であってもよく、基地局が実際の状況に応じて決定した値であってもよく、例えば、指定された位置は、指定された数のサブフレームであり、さらに、当該指定された数の範囲は、一般的に、４より大きいか等しく、１つのサブフレームが１ｍｓであると、４つのサブフレームは４ｍｓである。
【００８９】
例えば、指定された位置は、指定された数のサブフレームの後の位置である。即ち、ＨＡＲＱフィードバック時間は、可能な最大伝送時間（当該可能な最大伝送時間は、アップリンク伝送の最大繰り返し回数で决定される）に指定された数のサブフレームを加えたものに等しく、図３Ｂに示されたように、アップリンク伝送の最大繰り返し回数に対応するアップリンク伝送のカットオフ時点はアップリンク伝送の可能なカットオフ時点＃４であり、当該アップリンク伝送の可能なカットオフ時点＃４をＨＡＲＱフィードバック基準点として設定し、およびＨＡＲＱフィードバック基準点の指定された数のサブフレームの後の位置をＨＡＲＱフィードバック時点として決定する。
【００９０】
さらに例えば、指定された位置は、指定された数のサブフレームの後の最初のダウンリンク制御チャネルの伝送位置であり、図４Ｂに示されたダウンリンク制御チャネルの伝送可能な位置は、ＨＡＲＱフィードバック時点として決定されることができる。
【００９１】
一実施例において、前記指定された位置は前記基地局によって構成され、ランダムアクセス応答（ＲＡＲ：Ｒａｎｄｏｍ  Ａｃｃｅｓｓ  Ｐｒｅａｍｂｌｅ）のアップリンクスケジューリング認可（ＵＬ  ｇｒａｎｔ：ｕｐｌｉｎｋ  ｇｒａｎｔ）に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【００９２】
一実施例において、前記ブラインド検出に対応するＨＡＲＱ情報は、復調成功を表す第１情報または復調失敗を表す第２情報を含み、ステップ１３０を実行する場合、図４Ａに示されたように、次のステップ４４０〜４５０を含み得る。
【００９３】
ステップ４４０において、各アップリンク伝送のカットオフ時点のブラインド検出結果に対して、各ブラインド検出結果が復調成功を含む場合、ＨＡＲＱフィードバック時点に、復調成功を表す第１情報を端末に送信する。
【００９４】
本開示の実施例では、各アップリンク伝送のカットオフ時点のブラインド検出結果は復調成功であってもよく、復調失敗であってもよい。図３Ｂに示されたように、アップリンク伝送の可能なカットオフ時点＃１のブラインド検出結果が復調失敗であり、アップリンク伝送の可能なカットオフ時点＃２のブラインド検出結果が復調成功であり、アップリンク伝送の可能なカットオフ時点＃３のブラインド検出結果が復調失敗であり、アップリンク伝送の可能なカットオフ時点＃４のブラインド検出結果が復調失敗であると、決定されたＨＡＲＱフィードバック時点に、復調成功を表す第１情報を端末に送信することができる。
【００９５】
ステップ４５０において、各ブラインド検出結果が復調成功を含まない場合、ＨＡＲＱフィードバック時点に、復調失敗を表す第２情報を端末に送信する。
【００９６】
本開示の実施例では、ブラインド検出結果は復調成功であってもよく、復調失敗であってもよい。図３Ｂに示されたように、アップリンク伝送の可能なカットオフ時点＃１のブラインド検出結果が復調失敗であり、アップリンク伝送の可能なカットオフ時点＃２のブラインド検出結果が復調失敗であり、アップリンク伝送の可能なカットオフ時点＃３のブラインド検出結果が復調失敗であり、アップリンク伝送の可能なカットオフ時点＃４のブラインド検出結果が復調失敗であると、決定されたＨＡＲＱフィードバック時点に、復調失敗を表す第２情報を端末に送信することができる。
【００９７】
上記の実施例から分かるように、設定されたルールが、アップリンク伝送の最大繰り返し回数に基づいてＨＡＲＱフィードバックを実行することである場合、各利用可能なスケジューリングリソースに含まれるアップリンク伝送の繰り返し回数に従って、アップリンク伝送の最大繰り返し回数を決定し、アップリンク伝送の最大繰り返し回数に対応するアップリンク伝送のカットオフ時点を決定し、およびアップリンク伝送の最大繰り返し回数に対応するアップリンク伝送のカットオフ時点に従って、ＨＡＲＱフィードバック時点を決定することができ、決定されたＨＡＲＱフィードバック時点は、前記アップリンク伝送の最大繰り返し回数に対応するアップリンク伝送のカットオフ時点の後の指定された位置に位置し、それにより、アップリンク伝送の最大繰り返し回数に基づいてＨＡＲＱフィードバックという機能を実現し、さらに、端末が正しいＨＡＲＱ情報を受信することができることを保証し、ＨＡＲＱフィードバックのサービス品質も向上させる。
【００９８】
図５Ａは、一例示的な実施例によって示された別のＨＡＲＱフィードバック方法のフローチャートであり、当該ＨＡＲＱフィードバック方法は、基地局に使用されることができ、当該基地局は、端末に対して、ＥＤＴサービスを提供するための複数の利用可能なスケジューリングリソースを割り当て、図３Ａに示された方法の基で確立され、前記設定されたルールは、各利用可能なスケジューリングリソースに対応するアップリンク伝送のカットオフ時点の全てに対してＨＡＲＱフィードバックを実行することであり、ステップ１２０を実行する場合、図５Ａに示されたように、次のステップ５１０を含み得る。
【００９９】
ステップ５１０において、任意のアップリンク伝送のカットオフ時点に対して、当該アップリンク伝送のカットオフ時点に対応するＨＡＲＱフィードバック時点を決定し、決定されたＨＡＲＱフィードバック時点は、当該アップリンク伝送のカットオフ時点の後の指定された位置に位置する。
【０１００】
本開示の実施例では、各アップリンク伝送のカットオフ時点に対して、基地局の全ては、当該アップリンク伝送のカットオフ時点に対応するＨＡＲＱフィードバック時点を決定する必要がある。例えば、図３Ｂに示されたように、当該４つの可能なアップリンク伝送のカットオフ時点は、それぞれ、アップリンク伝送の可能なカットオフ時点＃１、アップリンク伝送の可能なカットオフ時点＃２、アップリンク伝送の可能なカットオフ時点＃３、アップリンク伝送の可能なカットオフ時点＃４であってもよく、基地局は、４つの可能なアップリンク伝送のカットオフ時点のそれぞれのＨＡＲＱフィードバック時点を決定する必要がある。
【０１０１】
なお、各アップリンク伝送のカットオフ時点の後の指定された位置は、プリセットされた固定値であってもよく、基地局が実際の状況に応じて決定した値であってもよく、例えば、指定された位置は、指定された数のサブフレームである。
【０１０２】
例えば、指定された位置は、指定された数のサブフレームの後の位置であり、こうして決定されたＨＡＲＱフィードバック時点は、図５Ｂに示された＃１のＨＡＲＱフィードバック時点、＃２のＨＡＲＱフィードバック時点、＃３のＨＡＲＱフィードバック時点、＃４のＨＡＲＱフィードバック時点など、各アップリンク伝送のカットオフ時点の後の指定された数のサブフレームの後の位置に位置する。ここで、ＡＣＫは、復調成功を表す第１情報であり、ＮＡＣＫは、復調失敗を表す第２情報である。
【０１０３】
さらに例えば、指定された位置は、指定された数のサブフレームの後の最初のダウンリンク制御チャネルの伝送位置であり、こうして決定されたＨＡＲＱフィードバック時点は、各アップリンク伝送のカットオフ時点の後の指定された数のサブフレームの後の最初のダウンリンク制御チャネルの伝送位置に位置し、例えば、図５Ｃに示された＃１のダウンリンク制御チャネルの伝送可能な位置、＃２のダウンリンク制御チャネルの伝送可能な位置、＃３のダウンリンク制御チャネルの伝送可能な位置、＃４のダウンリンク制御チャネルの伝送可能な位置の全ては、ＨＡＲＱフィードバック時点である。ここで、ＡＣＫは、復調成功を表す第１情報であり、ＮＡＣＫは、復調失敗を表す第２情報である。
【０１０４】
一実施例において、前記指定された位置は前記基地局によって構成され、且つ前記基地局が前記端末に送信したランダムアクセス応答のアップリンクスケジューリング認可に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【０１０５】
一実施例において、前記ブラインド検出に対応するＨＡＲＱ情報は、復調成功を表す第１情報または復調失敗を表す第２情報を含み、ステップ１３０を実行する場合、図５Ａに示されたように、次のステップ５２０〜５３０を含み得る。
【０１０６】
ステップ５２０において、任意のアップリンク伝送のカットオフ時点のブラインド検出結果に対して、ブラインド検出結果が復調成功である場合、前記アップリンク伝送のカットオフ時点に対応するＨＡＲＱフィードバック時点に、復調成功を表す第１情報を端末に送信する。
【０１０７】
ステップ５３０において、ブラインド検出結果が復調失敗である場合、当該アップリンク伝送のカットオフ時点に対応するＨＡＲＱフィードバック時点に、復調失敗を表す第２情報を端末に送信する。
【０１０８】
上記の実施例から分かるように、設定されたルールが、各利用可能なスケジューリングリソースに対応するアップリンク伝送のカットオフ時点の全てに対してＨＡＲＱフィードバックを実行することである場合、先ず、各アップリンク伝送のカットオフ時点に対応するＨＡＲＱフィードバック時点を決定し、任意のアップリンク伝送のカットオフ時点のブラインド検出結果に対して、ブラインド検出結果が復調成功である場合、当該アップリンク伝送のカットオフ時点に対応するＨＡＲＱフィードバック時点に、復調成功を表す第１情報を端末に送信し、ブラインド検出結果が復調失敗である場合、当該アップリンク伝送のカットオフ時点に対応するＨＡＲＱフィードバック時点に復調失敗を表す第２情報を端末に送信し、それにより、各利用可能なスケジューリングリソースに対応するアップリンク伝送のカットオフ時点の全てに対してＨＡＲＱフィードバックを実行するという機能を実現することができることとものに、端末が正しいＨＡＲＱ情報を受信することができることを保証するため、ＨＡＲＱフィードバックのサービススタイルが豊富になる。
【０１０９】
図６Ａは、一例示的な実施例によって示された別のＨＡＲＱフィードバック方法のフローチャートであり、当該ＨＡＲＱフィードバック方法は、基地局に使用されることができ、当該基地局は、端末に対して、ＥＤＴサービスを提供するための複数の利用可能なスケジューリングリソースを割り当て、図３Ａに示された方法の基で確立され、前記設定されたルールは、ブラインド検出結果が復調成功である場合にのみＨＡＲＱフィードバックを実行することであり、ステップ１２０を実行する場合、図６Ａに示されたように、次のステップ６１０を含み得る。
【０１１０】
ステップ６１０において、任意のアップリンク伝送のカットオフ時点に対して、当該アップリンク伝送のカットオフ時点に対応するＨＡＲＱフィードバック時点を決定し、決定されたＨＡＲＱフィードバック時点は、当該アップリンク伝送のカットオフ時点の後の指定された位置に位置する。
【０１１１】
本開示の実施例では、各アップリンク伝送のカットオフ時点に対して、基地局の全ては、当該アップリンク伝送のカットオフ時点に対応するＨＡＲＱフィードバック時点を決定する必要がある。例えば、図３Ｂに示されたように、当該４つの可能なアップリンク伝送のカットオフ時点は、それぞれ、アップリンク伝送の可能なカットオフ時点＃１、アップリンク伝送の可能なカットオフ時点＃２、アップリンク伝送の可能なカットオフ時点＃３、アップリンク伝送の可能なカットオフ時点＃４であってもよく、基地局は、４つの可能なアップリンク伝送のカットオフ時点のそれぞれのＨＡＲＱフィードバック時点を決定する必要がある。
【０１１２】
なお、各アップリンク伝送のカットオフ時点の後の指定された位置は、プリセットされた固定値であってもよく、基地局が実際の状況に応じて決定した値であってもよく、例えば、指定された位置は、指定された数のサブフレームである。
【０１１３】
例えば、指定された位置は、指定された数のサブフレームの後の位置であり、こうして決定されたＨＡＲＱフィードバック時点は、各アップリンク伝送のカットオフ時点の後の指定された数のサブフレームの後の位置に位置し、図６Ｂに示されたアップリンク伝送の可能なカットオフ時点＃２は、実際の伝送のカットオフ時点である。ここで、ＡＣＫは、復調成功を表す第１情報であり、即ち、アップリンク伝送の可能なカットオフ時点＃２のブラインド検出結果が復調成功である場合のみに、指定された数のサブフレームの後の位置で、復調成功を表す第１情報、即ちＡＣＫを端末に送信する。
【０１１４】
さらに例えば、指定された位置は、指定された数のサブフレームの後の最初のダウンリンク制御チャネルの伝送位置であり、こうして決定されたＨＡＲＱフィードバック時点は、各アップリンク伝送のカットオフ時点の後の指定された数のサブフレームの後の最初のダウンリンク制御チャネルの伝送位置に位置し、図６Ｃに示されたアップリンク伝送の可能なカットオフ時点＃２は、実際の伝送のカットオフ時点である。ここで、ＡＣＫは、復調成功を表す第１情報であり、即ち、アップリンク伝送の可能なカットオフ時点＃２のブラインド検出結果が復調成功である場合のみに、ダウンリンク制御チャネルの伝送可能な位置で、復調成功を表す第１情報、即ちＡＣＫを端末に送信する。
【０１１５】
一実施例において、前記指定された位置は前記基地局によって構成され、且つ前記基地局が前記端末に送信したランダムアクセス応答のアップリンクスケジューリング認可に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【０１１６】
一実施例において、前記ブラインド検出に対応するＨＡＲＱ情報は、復調成功を表す第１情報を含み、ステップ１３０を実行する場合、図６Ａに示されたように、次のステップ６２０〜６３０を含み得る。
【０１１７】
ステップ６２０において、任意のアップリンク伝送のカットオフ時点のブラインド検出結果に対して、ブラインド検出結果が復調成功である場合、当該アップリンク伝送のカットオフ時点に対応するＨＡＲＱフィードバック時点に、復調成功を表す第１情報を端末に送信する。
【０１１８】
ステップ６３０において、ブラインド検出結果が復調失敗である場合、当該アップリンク伝送のカットオフ時点に対応するＨＡＲＱフィードバック時点にＨＡＲＱフィードバックを実行しない。
【０１１９】
上記の実施例から分かるように、設定されたルールが、ブラインド検出結果が復調成功である場合にのみ、ＨＡＲＱフィードバックを実行することである場合、まず、各アップリンク伝送のカットオフ時点に対応するＨＡＲＱフィードバック時点を決定し、任意のアップリンク伝送のカットオフ時点のブラインド検出結果に対して、ブラインド検出結果が復調成功である場合、当該アップリンク伝送のカットオフ時点に対応するＨＡＲＱフィードバック時点に、復調成功を表す第１情報を端末に送信し、ブラインド検出結果が復調失敗である場合、当該アップリンク伝送のカットオフ時点に対応するＨＡＲＱフィードバック時点にＨＡＲＱフィードバックを実行せず、それにより、ブラインド検出結果が復調成功である場合にのみ、ＨＡＲＱフィードバックを実行するという機能を実現することができ、端末が正しいＨＡＲＱ情報を受信することができることを前提として、ＨＡＲＱフィードバックコンテンツおよびフィードバック回数が削減され、ＨＡＲＱフィードバックの効率が向上する。
【０１２０】
図７は、一例示的な実施例によって示された別のＨＡＲＱフィードバック方法のフローチャートであり、当該ＨＡＲＱフィードバック方法は、端末に使用され、基地局は、当該端末に対して、ＥＤＴサービスを提供するための複数の利用可能なスケジューリングリソースを割り当て、図７に示されたように、当該ＨＡＲＱフィードバック方法は、次のステップ７１０〜７３０を含み得る。
【０１２１】
ステップ７１０において、各利用可能なスケジューリングリソースから１つの利用可能なスケジューリングリソースを選択し、選択された利用可能なスケジューリングリソース上でＥＤＴデータを基地局に送信する。
【０１２２】
一実施例において、ＥＤＴデータは、端末がランダムアクセスプロセス中に伝送する必要があるアップリンクデータであり、且つランダムプロセス中のメッセージ３に配置される。即ち、端末は、ＥＤＴデータをメッセージ３に追加し、当該メッセージ３を基地局に送信することができ、このようにして、基地局は、メッセージ３から、当該端末によって伝送されたＥＤＴデータを取得することができる。
【０１２３】
ステップ７２０において、設定されたルールに従って、ＥＤＴデータに対応するＨＡＲＱフィードバック時点を決定する。
【０１２４】
本開示の実施例では、基地局と端末の異なるニーズを満たすために、事前に定義された設定されたルールは、次の３つのルールを含み得るが、これらに限定されない。ただし、基地局および端末がどの設定されたルールを使用するかについては、基地局および端末が事前にネゴシエーションすることができる。
【０１２５】
（３−１）設定されたルールは、アップリンク伝送の最大繰り返し回数に基づいてＨＡＲＱフィードバックを実行することであり、その具体的な具現プロセスは、図９に示された実施例を参照することができる。
【０１２６】
（３−２）設定されたルールは、各利用可能なスケジューリングリソースに対応するアップリンク伝送のカットオフ時点の全てに対してＨＡＲＱフィードバックを実行することであり、その具体的な具現プロセスは、図１０に示された実施例を参照することができる。
【０１２７】
（３−３）設定されたルールは、ブラインド検出結果が復調成功である場合にのみＨＡＲＱフィードバックを実行することであり、その具体的な具現プロセスは、図１１に示された実施例を参照することができる。
【０１２８】
ステップ７３０において、ＨＡＲＱフィードバック時点に、基地局によって送信されたＨＡＲＱ情報を受信した場合、ＨＡＲＱ情報に従ってＥＤＴデータの伝送結果を決定する。
【０１２９】
上記の実施例から分かるように、各利用可能なスケジューリングリソースから１つの利用可能なスケジューリングリソースを選択し、選択された利用可能なスケジューリングリソース上でＥＤＴデータを基地局に送信し、設定されたルールに従って、ＥＤＴデータに対応するＨＡＲＱフィードバック時点を決定し、およびＨＡＲＱフィードバック時点に、基地局によって送信されたＨＡＲＱ情報を受信した場合、ＨＡＲＱ情報に従ってＥＤＴデータの伝送結果を決定することにより、ＨＡＲＱフィードバックの信頼性を向上させ、ＥＤＴ伝送の効率も向上させることができる。
【０１３０】
図８は、一例示的な実施例によって示された別のＨＡＲＱフィードバック方法のフローチャートであり、当該ＨＡＲＱフィードバック方法は、端末に使用されることができ、基地局は、当該端末に対して、ＥＤＴサービスを提供するための複数の利用可能なスケジューリングリソースを割り当て、図７に示された方法の基で確立され、前記利用可能なスケジューリングリソースは、ＴＢＳおよびアップリンク伝送の繰り返し回数を含み、ステップ７１０を実行する場合、図８に示されたように、次のステップ８１０〜８２０を含み得る。
【０１３１】
ステップ８１０において、各利用可能なスケジューリングリソースに含まれるＴＢＳおよびアップリンク伝送の繰り返し回数に従って、各利用可能なスケジューリングリソースから１つの利用可能なスケジューリングリソースを選択する。
【０１３２】
ステップ８２０において、選択された利用可能なスケジューリングリソース上でＥＤＴデータを基地局に送信する。
【０１３３】
上記の実施例から分かるように、各利用可能なスケジューリングリソースに含まれるＴＢＳおよびアップリンク伝送の繰り返し回数に従って、各利用可能なスケジューリングリソースから１つの利用可能なスケジューリングリソースを選択し、選択された利用可能なスケジューリングリソース上でＥＤＴデータを基地局に送信することができ、それにより、利用可能なスケジューリングリソースの精度を選択する。
【０１３４】
図９は、一例示的な実施例によって示されたさらに別のＨＡＲＱフィードバック方法のフローチャートであり、当該ＨＡＲＱフィードバック方法は、端末に使用されることができ、基地局は、当該端末に対して、ＥＤＴサービスを提供するための複数の利用可能なスケジューリングリソースを割り当て、図８に示された方法の基で確立され、前記設定されたルールは、アップリンク伝送の最大繰り返し回数に基づいてＨＡＲＱフィードバックを実行することであり、ステップ７２０を実行する場合、図９に示されたように、次のステップ９１０〜９５０を含み得る。
【０１３５】
ステップ９１０において、各利用可能なスケジューリングリソースに含まれるＴＢＳおよびアップリンク伝送の繰り返し回数に従って、各利用可能なスケジューリングリソースに対応するアップリンク伝送のカットオフ時点を決定する。
【０１３６】
ステップ９２０において、各利用可能なスケジューリングリソースに含まれるアップリンク伝送の繰り返し回数に従って、アップリンク伝送の最大繰り返し回数を決定する。
【０１３７】
ステップ９３０において、各アップリンク伝送のカットオフ時点に従って、アップリンク伝送の最大繰り返し回数に対応するアップリンク伝送のカットオフ時点を決定する。
【０１３８】
ステップ９４０において、アップリンク伝送の最大繰り返し回数に対応するアップリンク伝送のカットオフ時点に従ってＨＡＲＱフィードバック時点を決定し、決定されたＨＡＲＱフィードバック時点は、アップリンク伝送の最大繰り返し回数に対応するアップリンク伝送のカットオフ時点の後の指定された位置に位置する。
【０１３９】
一実施例において、前記指定された位置は前記基地局によって構成され、且つ前記基地局が前記端末に送信したランダムアクセス応答のアップリンクスケジューリング認可に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【０１４０】
一実施例において、前記ＨＡＲＱ情報は、復調成功を表す第１情報または復調失敗を表す第２情報を含み、ステップ７３０を実行する場合、図９に示されたように、次のステップ９５０〜９７０を含み得る。
【０１４１】
ステップ９５０において、ＨＡＲＱフィードバック時点に、基地局によって送信されたＨＡＲＱ情報を受信する。
【０１４２】
ステップ９６０において、ＨＡＲＱ情報が、復調成功を表す第１情報である場合、ＥＤＴデータの伝送結果が伝送成功であると決定する。
【０１４３】
ステップ９７０において、ＨＡＲＱ情報が、復調失敗を表す第２情報である場合、ＥＤＴデータの伝送結果が伝送失敗であると決定する。
【０１４４】
上記の実施例から分かるように、設定されたルールが、アップリンク伝送の最大繰り返し回数に基づいてＨＡＲＱフィードバックを実行することである場合、各利用可能なスケジューリングリソースに含まれるＴＢＳおよびアップリンク伝送の繰り返し回数に従って、各利用可能なスケジューリングリソースに対応するアップリンク伝送のカットオフ時点を決定し、およびアップリンク伝送の最大繰り返し回数に対応するアップリンク伝送のカットオフ時点に従って、およびアップリンク伝送の最大繰り返し回数に対応するアップリンク伝送のカットオフ時点に従って、ＨＡＲＱフィードバック時点を決定することができ、決定されたＨＡＲＱフィードバック時点は、前記アップリンク伝送の最大繰り返し回数に対応するアップリンク伝送のカットオフ時点の後の指定された位置に位置し、それにより、アップリンク伝送の最大繰り返し回数に基づいてＨＡＲＱフィードバックを実行するという機能を実現し、さらに、端末が正しいＨＡＲＱ情報を受信することができることを保証し、ＨＡＲＱフィードバックのサービス品質も向上させる。
【０１４５】
図１０は、一例示的な実施例によって示されたさらに別のＨＡＲＱフィードバック方法のフローチャートであり、当該ＨＡＲＱフィードバック方法は、端末に使用されることができ、基地局は、当該端末に対して、ＥＤＴサービスを提供するための複数の利用可能なスケジューリングリソースを割り当て、図８に示された方法の基で確立され、前記設定されたルールは、各前記利用可能なスケジューリングリソースに対応するアップリンク伝送のカットオフ時点の全てに対してＨＡＲＱフィードバックを実行することであり、ステップ７２０を実行する場合、図１０に示されたように、次のステップ１０１０〜１０２０を含み得る。
【０１４６】
ステップ１０１０において、選択された利用可能なスケジューリングリソースに含まれるＴＢＳおよびアップリンク伝送の繰り返し回数に従って、当該選択された利用可能なスケジューリングリソースに対応するアップリンク伝送のカットオフ時点を決定する。
【０１４７】
ステップ１０２０において、選択された利用可能なスケジューリングリソースに対応するアップリンク伝送のカットオフ時点に対して、前記アップリンク伝送のカットオフ時点に対応するＨＡＲＱフィードバック時点を決定し、決定されたＨＡＲＱフィードバック時点は、当該アップリンク伝送のカットオフ時点の後の指定された位置に位置する。
【０１４８】
一実施例において、前記指定された位置は前記基地局によって構成され、且つ前記基地局が前記端末に送信したランダムアクセス応答のアップリンクスケジューリング認可に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【０１４９】
一実施例において、前記ＨＡＲＱ情報は、復調成功を表す第１情報または復調失敗を表す第２情報を含み、ステップ７３０を実行する場合、図１０に示されたように、次のステップ１０３０〜１０５０を含み得る。
【０１５０】
ステップ１０３０において、当該アップリンク伝送のカットオフ時点に対応するＨＡＲＱフィードバック時点に、基地局によって送信されたＨＡＲＱ情報を受信する。
【０１５１】
ステップ１０４０において、ＨＡＲＱ情報が、復調成功を表す第１情報である場合、ＥＤＴデータの伝送結果が伝送成功であると決定する。
【０１５２】
ステップ１０５０において、ＨＡＲＱ情報が、復調失敗を表す第２情報である場合、ＥＤＴデータの伝送結果が伝送失敗であると決定する。
【０１５３】
上記の実施例から分かるように、設定されたルールが、各前記利用可能なスケジューリングリソースに対応するアップリンク伝送のカットオフ時点の全てに対してＨＡＲＱフィードバックを実行することである場合、選択された利用可能なスケジューリングリソースに対応するアップリンク伝送のカットオフ時点、および当該アップリンク伝送のカットオフ時点に対応するＨＡＲＱフィードバック時点のみを決定し、当該アップリンク伝送のカットオフ時点に対応するＨＡＲＱフィードバック時点に、基地局によって送信されたＨＡＲＱ情報を受信し、およびＨＡＲＱ情報が、復調成功を表す第１情報である場合、ＥＤＴデータの伝送結果が伝送成功であると決定し、ＨＡＲＱ情報が、復調失敗を表す第２情報である場合、ＥＤＴデータの伝送結果が伝送失敗であると決定ことができ、それにより、伝送結果の精度を向上させる。
【０１５４】
図１１は、一例示的な実施例によって示されたさらに別のＨＡＲＱフィードバック方法のフローチャートであり、当該ＨＡＲＱフィードバック方法は、端末に使用されることができ、基地局は、当該端末に対して、ＥＤＴサービスを提供するための複数の利用可能なスケジューリングリソースを割り当て、図８に示された方法の基で確立され、前記設定されたルールは、ブラインド検出結果が復調成功である場合にのみＨＡＲＱフィードバックを実行することであり、ステップ７２０を実行する場合、図１１に示されたように、次のステップ１１１０〜１１２０を含み得る。
【０１５５】
ステップ１１１０において、選択された利用可能なスケジューリングリソースに含まれるＴＢＳおよびアップリンク伝送の繰り返し回数に従って、当該選択された利用可能なスケジューリングリソースに対応するアップリンク伝送のカットオフ時点を決定する。
【０１５６】
ステップ１１２０において、選択された利用可能なスケジューリングリソースに対応するアップリンク伝送のカットオフ時点に対して、当該アップリンク伝送のカットオフ時点に対応するＨＡＲＱフィードバック時点を決定し、決定されたＨＡＲＱフィードバック時点は、前記アップリンク伝送のカットオフ時点の後の指定された位置に位置する。
【０１５７】
一実施例において、前記指定された位置は前記基地局によって構成され、且つ前記基地局が前記端末に送信したランダムアクセス応答のアップリンクスケジューリング認可に位置する。即ち、基地局は、指定された位置をランダムアクセス応答のアップリンクスケジューリング認可に追加し、当該ランダムアクセス応答を端末に送信することができ、このようにして、端末は、ランダムアクセス応答に従って、基地局によって構成された、指定された位置を決定することができる。または、前記設定されたルールは、前記指定された位置を表す第３情報を含み、前記第３情報は、ＨＡＲＱフィードバック時点と、決定されたアップリンク伝送のカットオフ時点との間の相対関係を指示する。即ち、指定された位置の具体的な内容は、設定されたルールで記述され、このようにして、基地局および端末は、両方とも、設定されたルールの第３情報に従って、当該指定された位置を決定することができる。
【０１５８】
一実施例において、前記ＨＡＲＱ情報は、復調成功を表す第１情報を含み、ステップ７３０を実行する場合、図１１に示されたように、次のステップ１１３０〜１１４０を含み得る。
【０１５９】
ステップ１１３０において、当該アップリンク伝送のカットオフ時点に対応するＨＡＲＱフィードバック時点に、基地局によって送信されたＨＡＲＱ情報を受信し、且つＨＡＲＱ情報が復調成功を表す第１情報である場合、ＥＤＴデータの伝送結果が伝送成功であると決定する。
【０１６０】
ステップ１１４０において、当該アップリンク伝送のカットオフ時点に対応するＨＡＲＱフィードバック時点に、基地局によって送信されたＨＡＲＱ情報を受信しなかった場合、ＥＤＴデータの伝送結果が伝送失敗であると決定する。
【０１６１】
上記の実施例から分かるように、設定されたルール是ブラインド検出結果が復調成功である場合にのみＨＡＲＱフィードバックを実行する場合、選択された利用可能なスケジューリングリソースに対応するアップリンク伝送のカットオフ時点、および当該アップリンク伝送のカットオフ時点に対応するＨＡＲＱフィードバック時点のみを決定し、当該アップリンク伝送のカットオフ時点に対応するＨＡＲＱフィードバック時点に、基地局によって送信されたＨＡＲＱ情報を受信し、且つＨＡＲＱ情報が復調成功を表す第１情報である場合、ＥＤＴデータの伝送結果が伝送成功であると決定し、当該アップリンク伝送のカットオフ時点に対応するＨＡＲＱフィードバック時点に、基地局によって送信されたＨＡＲＱ情報を受信しなかった場合、ＥＤＴデータの伝送結果が伝送失敗であると決定することができ、それにより、伝送結果の精度を保証する以外にも、ＨＡＲＱフィードバックコンテンツおよびフィードバック次数を削減して、ＨＡＲＱフィードバックの効率を向上させる。
【０１６２】
上記したＨＡＲＱフィードバック方法の実施例に対応して、本開示は、ＨＡＲＱフィードバック装置の実施例をさらに提供する。
【０１６３】
図１２は、一例示的な実施例によって示されたＨＡＲＱフィードバック装置のブロック図であり、当該装置は、基地局に使用されることができ、当該基地局は、端末に対して、ＥＤＴサービスを提供するための複数の利用可能なスケジューリングリソースを割り当て、図１に示されたＨＡＲＱフィードバック方法を実行するように構成され、図１２に示されたように、当該ＨＡＲＱフィードバック装置は、
各前記利用可能なスケジューリングリソース上で、前記端末から前記基地局に伝送したＥＤＴデータに対してブラインド検出を実行するように構成される検出モジュール１２１と、
設定されたルールに従って、前記ブラインド検出に対応するＨＡＲＱフィードバック時点を決定するように構成される第１決定モジュール１２２と、
前記ＨＡＲＱフィードバック時点に、前記ブラインド検出に対応するＨＡＲＱ情報を前記端末に送信するように構成される送信モジュール１２３とを備えることができる。
【０１６４】
上記の実施例から分かるように、各前記利用可能なスケジューリングリソース上で、端末から基地局に伝送したＥＤＴデータに対してブラインド検出を実行し、設定されたルールに従って、ブラインド検出に対応するＨＡＲＱフィードバック時点を決定し、およびＨＡＲＱフィードバック時点に、ブラインド検出に対応するＨＡＲＱ情報を端末に送信することにより、端末は、設定されたルールに従って決定されたＨＡＲＱフィードバック時点に、基地局によって送信されたＨＡＲＱ情報を受信することができ、当該ＨＡＲＱ情報に従ってＥＤＴデータの正しい伝送結果を決定することができ、それにより、ＨＡＲＱフィードバックの信頼性を向上させ、ＥＤＴ伝送の効率も向上させる。
【０１６５】
一実施例において、図１２に示された装置の確立の基で、前記ＥＤＴデータは、ランダムアクセスプロセス中に前記端末によって伝送されたアップリンクデータであり、且つ前記ランダムプロセス中のメッセージ３に配置される。
【０１６６】
一実施例において、図１２に示された装置の確立の基で、前記利用可能なスケジューリングリソースは、伝送ブロックサイズ（ＴＢＳ）およびアップリンク伝送の繰り返し回数を含み、図１３に示されたように、前記検出モジュール１２１は、
各前記利用可能なスケジューリングリソースに含まれる前記ＴＢＳおよび前記アップリンク伝送の繰り返し回数に従って、各前記利用可能なスケジューリングリソースに対応するアップリンク伝送のカットオフ時点を決定するように構成される第１決定サブモジュール１３１と、
各前記アップリンク伝送のカットオフ時点に、前記ＥＤＴデータに対してブラインド検出を実行するように構成される検出サブモジュール１３２とを備えることができる。
【０１６７】
上記の実施例から分かるように、各利用可能なスケジューリングリソースに含まれるＴＢＳおよびアップリンク伝送の繰り返し回数に従って、各利用可能なスケジューリングリソースに対応するアップリンク伝送のカットオフ時点を決定し、各アップリンク伝送のカットオフ時点に、ＥＤＴデータに対してブラインド検出を実行し、それにより、ブラインド検出の精度を向上させることができる。
【０１６８】
一実施例において、図１３に示された装置の確立の基で、前記設定されたルールは、アップリンク伝送の最大繰り返し回数に基づいてＨＡＲＱフィードバックを実行することであり、図１４に示されたように、前記第１決定モジュール１２２は、
各前記利用可能なスケジューリングリソースに含まれる前記アップリンク伝送の繰り返し回数に従って、アップリンク伝送の最大繰り返し回数を決定するように構成される第２決定サブモジュール１４１と、
各前記アップリンク伝送のカットオフ時点に従って、前記アップリンク伝送の最大繰り返し回数に対応するアップリンク伝送のカットオフ時点を決定するように構成される第３決定サブモジュール１４２と、
前記アップリンク伝送の最大繰り返し回数に対応するアップリンク伝送のカットオフ時点に従って前記ＨＡＲＱフィードバック時点を決定するように構成される第４決定サブモジュール１４３であって、決定されたＨＡＲＱフィードバック時点は、前記アップリンク伝送の最大繰り返し回数に対応するアップリンク伝送のカットオフ時点の後の指定された位置に位置する第４決定サブモジュール１４３とを備えることができる。
【０１６９】
一実施例において、図１４に示された装置の確立の基で、前記ブラインド検出に対応するＨＡＲＱ情報は、復調成功を表す第１情報または復調失敗を表す第２情報を含み、図１５に示されたように、前記送信モジュール１２３は、
各前記アップリンク伝送のカットオフ時点のブラインド検出結果に対して、各前記ブラインド検出結果が復調成功を含む場合、前記ＨＡＲＱフィードバック時点に、前記第１情報を前記端末に送信するように構成される第１送信サブモジュール１５１と、
各前記ブラインド検出結果が前記復調成功を含まない場合、前記ＨＡＲＱフィードバック時点に、前記第２情報を前記端末に送信するように構成される第２送信サブモジュール１５２とを備えることができる。
【０１７０】
上記の実施例から分かるように、設定されたルールが、アップリンク伝送の最大繰り返し回数に基づいてＨＡＲＱフィードバックを実行することである場合、各利用可能なスケジューリングリソースに含まれるアップリンク伝送の繰り返し回数に従って、アップリンク伝送の最大繰り返し回数を決定し、アップリンク伝送の最大繰り返し回数に対応するアップリンク伝送のカットオフ時点を決定し、およびアップリンク伝送の最大繰り返し回数に対応するアップリンク伝送のカットオフ時点に従って、ＨＡＲＱフィードバック時点を決定することができ、決定されたＨＡＲＱフィードバック時点は、前記アップリンク伝送の最大繰り返し回数に対応するアップリンク伝送のカットオフ時点の後の指定された位置に位置し、それにより、アップリンク伝送の最大繰り返し回数に基づいてＨＡＲＱフィードバックという機能を実現し、さらに、端末が正しいＨＡＲＱ情報を受信することができることを保証し、ＨＡＲＱフィードバックのサービス品質も向上させる。
【０１７１】
一実施例において、図１３に示された装置の確立の基で、前記設定されたルールは、各前記利用可能なスケジューリングリソースに対応するアップリンク伝送のカットオフ時点の全てに対してＨＡＲＱフィードバックを実行することであり、図１６に示されたように、前記第１決定モジュール１２２は、
任意の前記アップリンク伝送のカットオフ時点に対して、前記アップリンク伝送のカットオフ時点に対応するＨＡＲＱフィードバック時点を決定するように構成される第５決定サブモジュール１６１を備えることができ、決定されたＨＡＲＱフィードバック時点は、当該アップリンク伝送のカットオフ時点の後の指定された位置に位置する。
【０１７２】
一実施例において、図１６に示された装置の確立の基で、図１７に示されたように、前記送信モジュール１２３は、
任意の前記アップリンク伝送のカットオフ時点のブラインド検出結果に対して、前記ブラインド検出結果が復調成功である場合、当該アップリンク伝送のカットオフ時点に対応するＨＡＲＱフィードバック時点に、前記第１情報を前記端末に送信するように構成される第３送信サブモジュール１７１と、
前記ブラインド検出結果が復調失敗である場合、当該アップリンク伝送のカットオフ時点に対応するＨＡＲＱフィードバック時点に、前記第２情報を前記端末に送信するように構成される第４送信サブモジュール１７２とを備えることができる。
【０１７３】
上記の実施例から分かるように、設定されたルールが、各利用可能なスケジューリングリソースに対応するアップリンク伝送のカットオフ時点の全てに対してＨＡＲＱフィードバックを実行することである場合、先ず、各アップリンク伝送のカットオフ時点に対応するＨＡＲＱフィードバック時点を決定し、任意のアップリンク伝送のカットオフ時点のブラインド検出結果に対して、ブラインド検出結果が復調成功である場合、当該アップリンク伝送のカットオフ時点に対応するＨＡＲＱフィードバック時点に、復調成功を表す第１情報を端末に送信し、ブラインド検出結果が復調失敗である場合、当該アップリンク伝送のカットオフ時点に対応するＨＡＲＱフィードバック時点に復調失敗を表す第２情報を端末に送信し、それにより、各利用可能なスケジューリングリソースに対応するアップリンク伝送のカットオフ時点の全てに対してＨＡＲＱフィードバックを実行するという機能を実現することができることとものに、端末が正しいＨＡＲＱ情報を受信することができることを保証するため、ＨＡＲＱフィードバックのサービススタイルが豊富になる。
【０１７４】
一実施例において、図１３に示された装置の確立の基で、前記設定されたルールは、ブラインド検出結果が復調成功である場合にのみＨＡＲＱフィードバックを実行することであり、図１８に示されたように、前記第１決定モジュール１２２は、
任意の前記アップリンク伝送のカットオフ時点に対して、当該アップリンク伝送のカットオフ時点に対応するＨＡＲＱフィードバック時点を決定するように構成される第６決定サブモジュール１８１を備えることができ、決定されたＨＡＲＱフィードバック時点は、当該アップリンク伝送のカットオフ時点の後の指定された位置に位置する。
【０１７５】
一実施例において、図１８に示された装置の確立の基で、図１９に示されたように、前記送信モジュール１２３は、
任意の前記アップリンク伝送のカットオフ時点のブラインド検出結果に対して、前記ブラインド検出結果が復調成功である場合、当該アップリンク伝送のカットオフ時点に対応するＨＡＲＱフィードバック時点に、前記第１情報を前記端末に送信するように構成される第５送信サブモジュール１９１と、
前記ブラインド検出結果が復調失敗である場合、当該アップリンク伝送のカットオフ時点に対応するＨＡＲＱフィードバック時点にＨＡＲＱフィードバックを実行しないように構成される第６送信サブモジュール１９２とを備えることができる。
【０１７６】
上記の実施例から分かるように、設定されたルールが、ブラインド検出結果が復調成功である場合にのみ、ＨＡＲＱフィードバックを実行することである場合、まず、各アップリンク伝送のカットオフ時点に対応するＨＡＲＱフィードバック時点を決定し、任意のアップリンク伝送のカットオフ時点のブラインド検出結果に対して、ブラインド検出結果が復調成功である場合、当該アップリンク伝送のカットオフ時点に対応するＨＡＲＱフィードバック時点に、復調成功を表す第１情報を端末に送信し、ブラインド検出結果が復調失敗である場合、当該アップリンク伝送のカットオフ時点に対応するＨＡＲＱフィードバック時点にＨＡＲＱフィードバックを実行せず、それにより、ブラインド検出結果が復調成功である場合にのみ、ＨＡＲＱフィードバックを実行するという機能を実現することができ、端末が正しいＨＡＲＱ情報を受信することができることを前提として、ＨＡＲＱフィードバックコンテンツおよびフィードバック回数が削減され、ＨＡＲＱフィードバックの効率が向上する。
【０１７７】
一実施例において、図１４、１６、１８に示された装置の確立の基で、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【０１７８】
図２０は、一例示的な実施例によって示されたＨＡＲＱフィードバック装置のブロック図であり、当該装置は、端末に使用されることができ、基地局は、当該端末に対して、ＥＤＴサービスを提供するための複数の利用可能なスケジューリングリソースを割り当て、図７に示されたＨＡＲＱフィードバック方法を実行するように構成され、図２０に示されたように、当該ＨＡＲＱフィードバック装置は、
各前記利用可能なスケジューリングリソースから１つの利用可能なスケジューリングリソースを選択し、選択された利用可能なスケジューリングリソース上でＥＤＴデータを基地局に送信するように構成される選択モジュール２０１と、
設定されたルールに従って、前記ＥＤＴデータに対応するＨＡＲＱフィードバック時点を決定するように構成される第２決定モジュール２０２と、
前記ＨＡＲＱフィードバック時点に、前記基地局によって送信されたＨＡＲＱ情報を受信した場合、前記ＨＡＲＱ情報に従って前記ＥＤＴデータの伝送結果を決定するように構成される第３決定モジュール２０３とを備えることができる。
【０１７９】
上記の実施例から分かるように、各利用可能なスケジューリングリソースから１つの利用可能なスケジューリングリソースを選択し、選択された利用可能なスケジューリングリソース上でＥＤＴデータを基地局に送信し、設定されたルールに従って、ＥＤＴデータに対応するＨＡＲＱフィードバック時点を決定し、およびＨＡＲＱフィードバック時点に、基地局によって送信されたＨＡＲＱ情報を受信した場合、ＨＡＲＱ情報に従ってＥＤＴデータの伝送結果を決定することにより、ＨＡＲＱフィードバックの信頼性を向上させ、ＥＤＴ伝送の効率も向上させることができる。
【０１８０】
一実施例において、図２０に示された装置の確立の基で、前記ＥＤＴデータは、前記端末がランダムアクセスプロセス中に伝送する必要があるアップリンクデータであり、且つ前記ランダムプロセス中のメッセージ３に配置される。
【０１８１】
一実施例において、図２０に示された装置の確立の基で、前記利用可能なスケジューリングリソースは、伝送ブロックサイズ（ＴＢＳ）およびアップリンク伝送の繰り返し回数を含み、図２１に示されたように、前記選択モジュール２０１は、
各前記利用可能なスケジューリングリソースに含まれる前記ＴＢＳおよび前記アップリンク伝送の繰り返し回数に従って、各前記利用可能なスケジューリングリソースから１つの利用可能なスケジューリングリソースを選択するように構成される選択サブモジュール２１１と、
選択された利用可能なスケジューリングリソース上でＥＤＴデータを基地局に送信するように構成される送信サブモジュール２１２とを備えることができる。
【０１８２】
上記の実施例から分かるように、各利用可能なスケジューリングリソースに含まれるＴＢＳおよびアップリンク伝送の繰り返し回数に従って、各利用可能なスケジューリングリソースから１つの利用可能なスケジューリングリソースを選択し、選択された利用可能なスケジューリングリソース上でＥＤＴデータを基地局に送信することができ、それにより、利用可能なスケジューリングリソースの精度を選択する。
【０１８３】
一実施例において、図２１に示された装置の確立の基で、前記設定されたルールは、アップリンク伝送の最大繰り返し回数に基づいてＨＡＲＱフィードバックを実行することであり、図２２に示されたように、前記第２決定モジュール２０２は、
各前記利用可能なスケジューリングリソースに含まれる前記ＴＢＳおよび前記アップリンク伝送の繰り返し回数に従って、各前記利用可能なスケジューリングリソースに対応するアップリンク伝送のカットオフ時点を決定するように構成される第１時点決定サブモジュール２２１と、
各前記利用可能なスケジューリングリソースに含まれる前記アップリンク伝送の繰り返し回数に従って、アップリンク伝送の最大繰り返し回数を決定するように構成される繰り返し回数決定サブモジュール２２２と、
各前記アップリンク伝送のカットオフ時点に従って、前記アップリンク伝送の最大繰り返し回数に対応するアップリンク伝送のカットオフ時点を決定するように構成される第２時点決定サブモジュール２２３と、
前記アップリンク伝送の最大繰り返し回数に対応するアップリンク伝送のカットオフ時点に従って前記ＨＡＲＱフィードバック時点を決定するように構成される第３時点決定サブモジュール２２４であって、決定されたＨＡＲＱフィードバック時点は、前記アップリンク伝送の最大繰り返し回数に対応するアップリンク伝送のカットオフ時点の後の指定された位置に位置する第３時点決定サブモジュール２２４とを備えることができる。
【０１８４】
一実施例において、図２２に示された装置の確立の基で、図２３に示されたように、前記第３決定モジュール２０３は、
前記ＨＡＲＱフィードバック時点に、前記基地局によって送信されたＨＡＲＱ情報を受信するように構成される第１受信サブモジュール２３１と、
前記ＨＡＲＱ情報が前記第１情報である場合、前記ＥＤＴデータの伝送結果が伝送成功であると決定するように構成される第１処理サブモジュール２３２と、
前記ＨＡＲＱ情報が前記第２情報である場合、前記ＥＤＴデータの伝送結果が伝送失敗であると決定するように構成される第２処理サブモジュール２３３とを備えることができる。
【０１８５】
上記の実施例から分かるように、設定されたルールが、アップリンク伝送の最大繰り返し回数に基づいてＨＡＲＱフィードバックを実行することである場合、各利用可能なスケジューリングリソースに含まれるＴＢＳおよびアップリンク伝送の繰り返し回数に従って、各利用可能なスケジューリングリソースに対応するアップリンク伝送のカットオフ時点を決定し、およびアップリンク伝送の最大繰り返し回数に対応するアップリンク伝送のカットオフ時点に従って、およびアップリンク伝送の最大繰り返し回数に対応するアップリンク伝送のカットオフ時点に従って、ＨＡＲＱフィードバック時点を決定することができ、決定されたＨＡＲＱフィードバック時点は、前記アップリンク伝送の最大繰り返し回数に対応するアップリンク伝送のカットオフ時点の後の指定された位置に位置し、それにより、アップリンク伝送の最大繰り返し回数に基づいてＨＡＲＱフィードバックを実行するという機能を実現し、さらに、端末が正しいＨＡＲＱ情報を受信することができることを保証し、ＨＡＲＱフィードバックのサービス品質も向上させる。
【０１８６】
一実施例において、図２１に示された装置の確立の基で、前記設定されたルールは、各前記利用可能なスケジューリングリソースに対応するアップリンク伝送のカットオフ時点の全てに対してＨＡＲＱフィードバックを実行することであり、図２４に示されたように、前記第２決定モジュール２０２は、
前記選択された利用可能なスケジューリングリソースに含まれる前記ＴＢＳおよび前記アップリンク伝送の繰り返し回数に従って、前記選択された利用可能なスケジューリングリソースに対応するアップリンク伝送のカットオフ時点を決定するように構成される第４時点決定サブモジュール２４１と、
前記選択された利用可能なスケジューリングリソースに対応するアップリンク伝送のカットオフ時点に対して、前記アップリンク伝送のカットオフ時点に対応するＨＡＲＱフィードバック時点を決定するように構成される第５時点決定サブモジュール２４２であって、決定されたＨＡＲＱフィードバック時点は、前記アップリンク伝送のカットオフ時点の後の指定された位置に位置する第５時点決定サブモジュール２４２とを備えることができる。
【０１８７】
一実施例において、図２４に示された装置の確立の基で、前記ＨＡＲＱ情報は、復調成功を表す第１情報または復調失敗を表す第２情報を含み、図２５に示されたように、前記第３決定モジュール２０３は、
当該アップリンク伝送のカットオフ時点に対応するＨＡＲＱフィードバック時点に、前記基地局によって送信されたＨＡＲＱ情報を受信するように構成される第２受信サブモジュール２５１と、
前記ＨＡＲＱ情報が前記第１情報である場合、前記ＥＤＴデータの伝送結果が伝送成功であると決定するように構成される第３処理サブモジュール２５２と、
前記ＨＡＲＱ情報が前記第２情報である場合、前記ＥＤＴデータの伝送結果が伝送失敗であると決定するように構成される第４処理サブモジュール２５３とを備えることができる。
【０１８８】
上記の実施例から分かるように、設定されたルールが、各前記利用可能なスケジューリングリソースに対応するアップリンク伝送のカットオフ時点の全てに対してＨＡＲＱフィードバックを実行することである場合、選択された利用可能なスケジューリングリソースに対応するアップリンク伝送のカットオフ時点、および当該アップリンク伝送のカットオフ時点に対応するＨＡＲＱフィードバック時点のみを決定し、当該アップリンク伝送のカットオフ時点に対応するＨＡＲＱフィードバック時点に、基地局によって送信されたＨＡＲＱ情報を受信し、およびＨＡＲＱ情報が、復調成功を表す第１情報である場合、ＥＤＴデータの伝送結果が伝送成功であると決定し、ＨＡＲＱ情報が、復調失敗を表す第２情報である場合、ＥＤＴデータの伝送結果が伝送失敗であると決定ことができ、それにより、伝送結果の精度を向上させる。
【０１８９】
一実施例において、図２１に示された装置の確立の基で、前記設定されたルールは、ブラインド検出結果が復調成功である場合にのみＨＡＲＱフィードバックを実行することであり、図２６に示されたように、前記第２決定モジュール２０２は、
前記選択された利用可能なスケジューリングリソースに含まれる前記ＴＢＳおよび前記アップリンク伝送の繰り返し回数に従って、前記選択された利用可能なスケジューリングリソースに対応するアップリンク伝送のカットオフ時点を決定するように構成される第６時点決定サブモジュール２６１と、
前記選択された利用可能なスケジューリングリソースに対応するアップリンク伝送のカットオフ時点に対して、当該アップリンク伝送のカットオフ時点に対応するＨＡＲＱフィードバック時点を決定するように構成される第７時点決定サブモジュール２６２であって、決定されたＨＡＲＱフィードバック時点は、当該アップリンク伝送のカットオフ時点の後の指定された位置に位置する第７時点決定サブモジュール２６２とを備えることができる。
【０１９０】
一実施例において、図２６に示された装置の確立の基で、図２７に示されたように、前記第３決定モジュール２０３は、
当該アップリンク伝送のカットオフ時点に対応するＨＡＲＱフィードバック時点に、前記基地局によって送信されたＨＡＲＱ情報を受信し、且つ前記ＨＡＲＱ情報が前記第１情報である場合、前記ＥＤＴデータの伝送結果が伝送成功であると決定するように構成される第５処理サブモジュール２７１と、
当該アップリンク伝送のカットオフ時点に対応するＨＡＲＱフィードバック時点に、前記基地局によって送信されたＨＡＲＱ情報を受信しなかった場合、前記ＥＤＴデータの伝送結果が伝送失敗であると決定するように構成される第６処理サブモジュール２７２とを備えることができる。
【０１９１】
上記の実施例から分かるように、設定されたルール是ブラインド検出結果が復調成功である場合にのみＨＡＲＱフィードバックを実行する場合、選択された利用可能なスケジューリングリソースに対応するアップリンク伝送のカットオフ時点、および当該アップリンク伝送のカットオフ時点に対応するＨＡＲＱフィードバック時点のみを決定し、当該アップリンク伝送のカットオフ時点に対応するＨＡＲＱフィードバック時点に、基地局によって送信されたＨＡＲＱ情報を受信し、且つＨＡＲＱ情報が復調成功を表す第１情報である場合、ＥＤＴデータの伝送結果が伝送成功であると決定し、当該アップリンク伝送のカットオフ時点に対応するＨＡＲＱフィードバック時点に、基地局によって送信されたＨＡＲＱ情報を受信しなかった場合、ＥＤＴデータの伝送結果が伝送失敗であると決定することができ、それにより、伝送結果の精度を保証する以外にも、ＨＡＲＱフィードバックコンテンツおよびフィードバック次数を削減して、ＨＡＲＱフィードバックの効率を向上させる。
【０１９２】
一実施例において、図２２、または図２４、または図２６に示された装置の確立の基で、前記指定された位置は前記基地局によって構成され、且つ前記基地局が前記端末に送信したランダムアクセス応答のアップリンクスケジューリング認可に位置し、または
前記設定されたルールは、前記指定された位置を表す第３情報を含み、前記第３情報は、ＨＡＲＱフィードバック時点と、決定されたアップリンク伝送のカットオフ時点との間の相対関係を指示する。
【０１９３】
装置の実施例において、それらは基本的に方法の実施例に対応するので、関連する部分は方法の実施例の説明の部分を参照することができる。上記で説明された装置の実施例は例示的なものに過ぎず、ここで、前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズに応じて、その中の一部または全てのモジュールを選択して本開示の技術案の目的を実現することができる。当業者は、創造的な努力なしに、理解して実施することができる。
【０１９４】
本開示は、非一時的なコンピュータ読み取り可能な記憶媒体をさらに提供し、前記記憶媒体にはコンピュータプログラムが記憶され、前記コンピュータプログラムは、上記の図１ないし図６Ｃのいずれか１つに記載のＨＡＲＱフィードバック方法を実行するために使用される。
【０１９５】
本開示は、非一時的なコンピュータ読み取り可能な記憶媒体をさらに提供し、前記記憶媒体にはコンピュータプログラムが記憶され、前記コンピュータプログラムは、上記の図７ないし図１１のいずれか１つに記載のＨＡＲＱフィードバック方法を実行するために使用される。
【０１９６】
本開示は、ＨＡＲＱフィードバック装置をさらに提供し、前記装置は基地局に使用され、前記基地局は、端末に対して、ＥＤＴサービスを提供するための複数の利用可能なスケジューリングリソースを割り当て、前記装置は、
プロセッサと、
プロセッサ実行可能命令を記憶するように構成されるメモリを備え、
ここで、前記プロセッサは、
各前記利用可能なスケジューリングリソース上で、前記端末から前記基地局に伝送したＥＤＴデータに対してブラインド検出を実行し、
設定されたルールに従って、前記ブラインド検出に対応するＨＡＲＱフィードバック時点を決定し、
前記ＨＡＲＱフィードバック時点に、前記ブラインド検出に対応するＨＡＲＱ情報を前記端末に送信するように構成される。
【０１９７】
図２８に示されたように、図２８は、一例示的な実施例によって示されたＨＡＲＱフィードバック装置の概略的な構造図である。装置２８００は、基地局として提供されてもよい。図２８を参照すると、装置２８００は、処理コンポーネント２８２２、無線送信／受信コンポーネント２８２４、アンテナコンポーネント２８２６、および無線インターフェースに固有の信号処理部を備え、処理コンポーネント２８２２は、さらに、１つまたは複数のプロセッサを備えることができる。
【０１９８】
処理コンポーネント２８２２における１つのプロセッサは、上述のいずれか１つに記載のＨＡＲＱフィードバック方法を実行するように構成される。
【０１９９】
本開示は、ＨＡＲＱフィードバック装置をさらに提供し、前記装置は端末に使用され、基地局は、前記端末に対して、早期データ送信（ＥＤＴ）サービスを提供するための複数の利用可能なスケジューリングリソースを割り当て、前記装置は、
プロセッサと、
プロセッサ実行可能命令を記憶するように構成されるメモリを備え、
ここで、前記プロセッサは、
各前記利用可能なスケジューリングリソースから１つの利用可能なスケジューリングリソースを選択し、選択された利用可能なスケジューリングリソース上でＥＤＴデータを基地局に送信し、
設定されたルールに従って、前記ＥＤＴデータに対応するＨＡＲＱフィードバック時点を決定し、
前記ＨＡＲＱフィードバック時点に、前記基地局によって送信されたＨＡＲＱ情報報を受信した場合、前記ＨＡＲＱ情報に従って前記ＥＤＴデータの伝送結果を決定するように構成される。
【０２００】
図２９は、一例示的な実施例によって示されたＨＡＲＱフィードバック装置の概略的な構造図である。図２９に示されたように、一例示的な実施例によって示されたＨＡＲＱフィードバック装置２９００によれば、当該装置２９００は、コンピュータ、携帯電話、デジタル放送端末、メッセージングデバイス、ゲームコンソール、タブレットデバイス、医療機器、フィットネス機器、携帯情報端末などの端末であってもよい。
【０２０１】
図２９を参照すると、装置２９００は、処理コンポーネント２９０１、メモリ２９０２、電力コンポーネント２９０３、マルチメディアコンポーネント２９０４、オーディオコンポーネント２９０５、入力／出力（Ｉ／Ｏ）インターフェース２９０６、センサコンポーネント２９０７、及び通信コンポーネント２９０８のうちの１つまたは複数のコンポーネットを備えることができる。
【０２０２】
処理コンポーネント２９０１は、一般的に、ディスプレイ、電話の呼び出し、データ通信、カメラ操作及び記録操作に関する操作のような装置２９００の全般的な操作を制御する。処理コンポーネント２９０１は、上記の方法のステップのすべてまたは一部を完了するために、１つまたは複数のプロセッサ２９０９を備えて命令を実行することができる。加えて、処理コンポーネント２９０１は、処理コンポーネント２９０１と他のコンポーネントの間の相互作用を容易にするために、１つまたは複数のモジュールを備えることができる。例えば、処理コンポーネント２９０１は、マルチメディアコンポーネント２９０４と処理コンポーネント２９０１との間の相互作用を容易にするために、マルチメディアモジュールを備えることができる。
【０２０３】
メモリ２９０２は、装置２９００での操作をサポートするために、様々なタイプのデータを格納するように構成される。これらのデータの例には、装置２９００で動作する任意のアプリケーションまたは方法の命令、連絡先データ、電話帳データ、メッセージ、写真、ビデオ等が含まれる。メモリ２９０２は、スタティックランダムアクセスメモリ（ＳＲＡＭ）、電気的に消去可能なプログラム可能な読み取り専用メモリ（ＥＥＰＲＯＭ）、消去可能なプログラム可能な読み取り専用メモリ（ＥＰＲＯＭ）、プログラム可能な読み取り専用メモリ（ＰＲＯＭ）、磁気メモリ、フラッシュメモリ、磁気ディスクまたは光ディスクなど、あらゆるタイプの揮発性または不揮発性ストレージデバイスまたはそれらの組み合わせによって実現されることができる。
【０２０４】
電力コンポーネント２９０３は、装置２９００の様々なコンポーネントに電力を提供する。電力コンポーネント２９０３は、電力管理システム、１つまたは複数の電源、及び装置２９００の電力の生成、管理および分配に関する他のコンポーネントを備えることができる。
【０２０５】
マルチメディアコンポーネント２９０４は、前記バッテリの充電装置２９００とユーザとの間の、出力インターフェースを提供するスクリーンを備える。いくつかの実施例において、スクリーンは、液晶ディスプレイ（ＬＣＤ）及びタッチパネル（ＴＰ）を備えることができる。スクリーンがタッチパネルを備える場合、スクリーンは、ユーザからの入力信号を受信するためのタッチスクリーンとして実装されることができる。タッチパネルは、タッチ、スワイプ及びタッチパネルでのジェスチャーを検知するための１つまたは複数のタッチセンサを備える。前記タッチセンサは、タッチまたはスワイプの操作の境界を感知するだけでなく、前記タッチまたはスワイプ動作に関連する持続時間及び圧力も検出することができる。いくつかの実施例において、マルチメディアコンポーネント２９０４は、１つのフロントカメラおよび／またはリアカメラを備える。装置２９００が撮影モードまたはビデオモードなどの動作モードにあるとき、フロントカメラおよび／またはリアカメラは、外部のマルチメディアデータを受信することができる。各フロントカメラ及びリアカメラは、固定された光学レンズシステムであり、または焦点距離と光学ズーム機能を持つことができる。
【０２０６】
オーディオコンポーネント２９０５は、オーディオ信号を出力および／または入力するように構成される。例えば、オーディオコンポーネント２９０５は、１つのマイクロフォン（ＭＩＣ）を備え、装置２９００が通話モード、録音モード及び音声認識モードなどの動作モードにあるとき、マイクロフォンは、外部オーディオ信号を受信するように構成される。受信されたオーディオ信号は、メモリ２９０２にさらに記憶されてもよく、または通信コンポーネント２９０８を介して送信されてもよい。  いくつかの実施例において、オーディオコンポーネント２９０５は、オーディオ信号を出力するためのスピーカをさらに備える。
【０２０７】
Ｉ／Ｏインターフェース２９０６は、処理コンポーネント２９０１と周辺インターフェースモジュールとの間にインターフェースを提供し、前記周辺インターフェースモジュールは、キーボード、クリックホイール、ボタンなどであってもよい。これらのボタンは、ホームボタン、ボリュームボタン、スタートボタン、ロックボタンを備えることができるが、これらに限定されない。
【０２０８】
センサコンポーネント２９０７は、装置２９００に各態様の状態の評価を提供するための１つまたは複数のセンサを備える。例えば、センサコンポーネント２９０７は、機器２９００のオン／オフ状態と、装置２９００のディスプレイやキーパッドなどのコンポーネントの相対的な位置づけを検出することができ、センサコンポーネント２９０７は、装置２９００または装置２９００のコンポーネントの位置の変化、ユーザとの装置２９００の接触の有無、装置２９００の向きまたは加速／減速、及び装置２９００の温度の変化も検出することができる。センサコンポ―ネット２９０７は、物理的接触なしに近くの物体の存在を検出するように構成された近接センサを備えることができる。センサコンポーネント２９０７は、撮像用途で使用するためのＣＭＯＳまたはＣＣＤ画像センサなどの光センサをさらに備えることができる。いくつかの実施例において、当該センサコンポーネント２９０７は、加速度センサ、ジャイロスコープセンサ、磁気センサ、圧力センサまたは温度センサをさらに備えることができる。
【０２０９】
通信コンポーネント２９０８は、装置２９００と他の装置の間の有線または無線通信を容易にするように構成される。装置２９００は、ＷｉＦｉ、２Ｇまたは３Ｇ、またはそれらの組み合わせなどの通信規格に基づく無線ネットワークにアクセスすることができる。一例示的な実施例において、前記通信コンポーネント２９０８は、放送チャンネルを介して外部放送管理システムからの放送信号または放送関連情報を受信する。一例示的な実施例において、前記通信コンポーネント２９０８は、短距離通信を促進するために、近距離通信（ＮＦＣ）モジュールをさらに備える。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術に基づいて具現することができる。
【０２１０】
例示的な実施例において、装置２９００は、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子によって具現されることができ、上記の方法を実行するように構成される。
【０２１１】
例示的な実施例において、命令を含むメモリ２９０２などの、命令を含む非一時的なコンピュータ読み取り可能な記憶媒体をさらに提供し、前記命令は、装置２９００のプロセッサ２９０９によって実行されて上記の方法を完了することができる。例えば、前記非一時的なコンピュータ読み取り可能な記憶媒体は、ＲＯＭ、ランダムアクセスメモリ（ＲＡＭ）、ＣＤ−ＲＯＭ、磁気テープ、フロッピー（登録商標）ディスクおよび光学データ記憶装置などであってもよい。
【０２１２】
ここで、前記記憶媒体の指令が前記プロセッサによって実行される時に、装置２９００が、上述のいずれか１つに記載のＨＡＲＱフィードバック方法を実行することができるようにする。
【０２１３】
本開示は、上記に既に説明し且つ図面に示した正確な構造に限定されるものではなく、その範囲から逸脱することなく様々な修正及び変更を行うことができることを理解されたい。本開示の範囲は、添付の特許請求の範囲によってのみ制限される。
【国際調査報告】
2021520152.tif 000038
2021520152.tif 000039
2021520152.tif 000040
2021520152.tif 000041